(57)【要約】【課題】データ圧縮された動画像データを用いた表示演出のための制御負担を軽減することができる遊技機を提供する。【解決手段】可変表示制御手段１０１ａは、動画像を含む表示態様によって識別情報の可変表示を行う第１可変表示制御（リーチＣの制御）と、動画像を含まない表示態様によって識別情報の可変表示を行う第２可変表示制御（リーチＡ，Ｂの制御）とを行う。また、フェードイン切替表示手段１０１ｃは、フェードイン画像生成手段１０１ｃａと、フェードイン処理手段１０１ｃｂと、動画再生開始手段１０１ｃｃとを含む。さらに、表示制御決定手段１０１ａｄは、第２可変表示制御よりも第１可変表示制御による可変表示の表示結果が高確率で特定表示結果となるように、何れを行うかを決定する。よって、データ圧縮された動画像データを用いた表示演出のための制御負担を軽減することができる。【選択図】      図６９
2004187887.tif 000002
【特許請求の範囲】
【請求項１】
各々が識別可能な複数種類の識別情報の可変表示を行い、前記識別情報の表示結果が特定表示結果となったときに遊技者にとって有利な特定遊技状態とする遊技機であって、
遊技演出に用いられる画像を表示する画像表示装置と、
動き補償予測符号化による圧縮データを含む動画像データを格納する圧縮データ格納手段と、
前記圧縮データ格納手段に格納されている動画像データを伸張するデータ伸張手段と、
前記画像表示装置上で前記識別情報の可変表示の制御を行う可変表示制御手段と、
前記データ伸張手段により伸張された動画像データに基づいて生成される画像を前記画像表示装置に順次表示させることによって動画再生を行うデータ再生手段と、
段階的に画像を出現させるフェードイン処理を行うことで前記画像表示装置上の表示画像の切替表示を実行させるフェードイン切替表示手段とを備え、
前記可変表示制御手段は、前記データ再生手段が行う動画再生による動画像を含む表示態様によって識別情報の可変表示を行う第１可変表示制御と、前記データ再生手段が行う動画再生による動画像を含まない表示態様によって識別情報の可変表示を行う第２可変表示制御とを実行する機能を有し、
識別情報の可変表示の開始条件の成立にもとづく可変表示が開始される以前に、表示結果を特定表示結果とするか否かをあらかじめ決定する特定表示結果決定手段と、
前記特定表示結果決定手段の決定結果にもとづいて、識別情報の可変表示を前記第１可変表示制御と前記第２可変表示制御との何れにより行うかを決定する表示制御決定手段とを含み、
前記フェードイン切替表示手段は、
前記データ再生手段による動画再生の再生開始時に使用されるフレームデータから透過度を段階的に高めていった複数のフェードイン画像を生成するフェードイン画像生成手段と、
前記フェードイン画像生成手段により生成された各フェードイン画像を、透過度が最も高められているフェードイン画像から、透過度がより低いフェードイン画像に順次移行させ、最終的に前記フレームデータの画像を表示させることによって前記フェードイン処理を実行するフェードイン処理手段と、
前記フェードイン処理手段によるフェードイン処理が完了したあと、フェードイン処理の完了時に表示されている前記フレームデータの画像から前記データ再生手段に動画再生を開始させる動画再生開始手段とを含み、
前記表示制御決定手段は、前記第２可変表示制御による可変表示が実行されたときと比較して、前記第１可変表示制御による可変表示が実行されたときの方が高確率で特定表示結果となるように、決定用データが前記第１可変表示制御と前記第２可変表示制御とに割り振られている決定用データテーブルを用いて、前記第１可変表示制御と前記第２可変表示制御との何れを行うかを決定する
ことを特徴とする遊技機。
【請求項２】
フェードイン切替表示手段は、フェードイン処理にて、所定の中間画像を介して段階的に画像を出現させる
請求項１記載の遊技機。
【請求項３】
各々が識別可能な複数種類の識別情報の可変表示を行い、前記識別情報の表示結果が特定表示結果となったときに遊技者にとって有利な特定遊技状態とする遊技機であって、
遊技演出に用いられる画像を表示する画像表示装置と、
動き補償予測符号化による圧縮データを含む動画像データを格納する圧縮データ格納手段と、
前記圧縮データ格納手段に格納されている動画像データを伸張するデータ伸張手段と、
前記画像表示装置上で前記識別情報の可変表示の制御を行う可変表示制御手段と、
前記データ伸張手段により伸張された動画像データに基づいて生成される画像を前記画像表示装置に順次表示させることによって動画再生を行うデータ再生手段と、
段階的に画像を消滅させるフェードアウト処理を行うことで前記画像表示装置上の表示画像の切替表示を実行させるフェードアウト切替表示手段とを備え、
前記可変表示制御手段は、前記データ再生手段が行う動画再生による動画像を含む表示態様によって識別情報の可変表示を行う第１可変表示制御と、前記データ再生手段が行う動画再生による動画像を含まない表示態様によって識別情報の可変表示を行う第２可変表示制御とを実行する機能を有し、
識別情報の可変表示の開始条件の成立にもとづく可変表示が開始される以前に、表示結果を特定表示結果とするか否かをあらかじめ決定する特定表示結果決定手段と、
前記特定表示結果決定手段の決定結果にもとづいて、識別情報の可変表示を前記第１可変表示制御と前記第２可変表示制御との何れにより行うかを決定する表示制御決定手段とを含み、
前記フェードアウト切替表示手段は、
前記データ再生手段による動画再生を終了するときに、再生終了時に使用されるフレームデータの画像を表示する動画再生終了手段と、
前記フレームデータから透過度を段階的に高めていった複数のフェードアウト画像を生成するフェードアウト画像生成手段と、
前記フェードアウト画像生成手段により生成された各フェードアウト画像を、前記フレームデータの画像から、透過度がより高められているフェードアウト画像に順次移行させ、最終的に透過度が最も高められているフェードアウト画像を表示させることによって前記フェードアウト処理を実行するフェードアウト処理手段とを含み、
前記表示制御決定手段は、前記第２可変表示制御による可変表示が実行されたときと比較して、前記第１可変表示制御による可変表示が実行されたときの方が高確率で特定表示結果となるように、決定用データが前記第１可変表示制御と前記第２可変表示制御とに割り振られている決定用データテーブルを用いて、前記第１可変表示制御と前記第２可変表示制御との何れを行うかを決定する
ことを特徴とする遊技機。
【請求項４】
フェードアウト切替表示手段は、フェードアウト処理にて、段階的に画像を消滅させて所定の中間画像を表示させる
請求項３記載の遊技機。
【請求項５】
動画像データは、フレーム内符号化により圧縮されたキーフレームデータと、再生時に先に使用されるフレームデータを用いて符号化する前方向予測符号化により圧縮された前方向予測符号化フレームデータと、再生時に先に使用されるフレームデータと後に使用されるフレームデータとを用いて符号化する双方向予測符号化により圧縮された双方向予測符号化フレームデータとを含み、
前記キーフレームデータは、前記動画像データにおいて、動画像中に現れる表示物体が遅く動作する動画像を再生するためのデータ部分よりも、当該表示物体が速く動作する動画像を再生するためのデータ部分に多く用いられる
請求項１から請求項４のうちのいずれかに記載の遊技機。
【請求項６】
動画像データは、実写画像及びコンピュータグラフィクスの少なくともいずれか一方を含む多色画像を動画再生するためのデータである
請求項１から請求項５のうちのいずれかに記載の遊技機。
【請求項７】
データ再生手段が行う動画再生による動画像には、識別情報の表示態様がリーチ態様となったことにもとづいて実行されるリーチ演出を示す動画像を含む
請求項１から請求項６のうちのいずれかに記載の遊技機。
【請求項８】
データ再生手段が行う動画再生による動画像には、識別情報の表示態様がリーチ態様となることを予告するためのリーチ態様予告演出を示す動画像を含む
請求項１から請求項７のうちのいずれかに記載の遊技機。
【請求項９】
データ再生手段が行う動画再生による動画像には、識別情報の表示結果が特定表示結果となることを予告するための特定表示結果予告演出を示す動画像を含む
請求項１から請求項８のうちのいずれかに記載の遊技機。
【発明の詳細な説明】
【０００１】
【発明の属する技術分野】
本発明は、各々が識別可能な複数種類の識別情報の可変表示を行い、識別情報の表示結果が特定表示結果となったときに遊技者にとって有利な特定遊技状態とするパチンコ遊技機等の遊技機に関する。
【０００２】
【従来の技術】
パチンコ遊技機等の遊技機においては、液晶表示装置（ＬＣＤ：Liquid Crystal Display）等の表示装置上に所定の識別情報（以下、表示図柄）を更新表示させることで変動表示を行い、その表示結果により所定の遊技価値を付与するか否かを決定する、いわゆる可変表示ゲームによって遊技興趣を高めたものが数多く提供されている。
【０００３】
可変表示ゲームには、主に、前述した表示装置を画像表示装置として用いることにより行うもの（以下、特図ゲーム）がある。特図ゲームは、所定領域を通過する遊技球の検出に伴って表示図柄の更新表示を行い、表示図柄の更新表示が完全に停止した際の停止図柄態様が特定表示態様となっている場合を「大当り」とするゲームである。特図ゲームにおいて「大当り」となると、大入賞口と呼ばれる特別電動役物を作動させ、大入賞口扉を開放状態とする。これによって、遊技者に対して遊技球の入賞が極めて容易となる状態を一定時間継続的に提供する。
【０００４】
以下、特図ゲームにおいて大当りとなり、大入賞口扉が開放状態となることで、遊技者に対して遊技球の入賞が極めて容易となる状態となることを特定遊技状態という。特定遊技状態となるためには、通常、特別図柄表示装置に表示される表示図柄の停止図柄態様が予め定められた特定表示態様となること（一般的には表示図柄が同一図柄で揃うこと）が条件となる。
【０００５】
このように、遊技者にとって特図ゲームでは、停止図柄態様が特定表示態様となって「大当り」となるか否かに最大の関心が払われることになる。このため、「大当り」となるか否かを判別することのできる停止図柄態様の確定までの間に、表示図柄の変動態様を異ならせる等の遊技興趣を高めるための様々な演出表示が行われる。
【０００６】
このような遊技機では、一般に、遊技状態に応じて、可変表示装置に所定のキャラクタを登場させたり、そのキャラクタを変化させたり、ランプ・ＬＥＤ等の発光体を明滅させたりすることによって各種の遊技演出が行われている。また、可変表示装置に実写画像などの多色画像を表示させることによって遊技演出を行うものもある（例えば、特許文献１および特許文献２参照）。
【０００７】
通常、可変表示装置に多色画像による動画像を表示することによって演出表示を行う場合には、動画像データのデータ量が膨大なものとなるため、遊技演出に用いる動画像データは、例えばＭＰＥＧ２（Moving Picture Experts Group phase 2）などの符号化技術によりデータ圧縮された状態で遊技機が備えるＲＯＭなどの記憶媒体に格納される。
【０００８】
【特許文献１】
特開平７−１８５０８８号公報
【特許文献２】
特開平９−１４９３７６号公報
【０００９】
【発明が解決しようとする課題】
ところで、多色画像による動画像を用いた演出の出現頻度が多いと、データ圧縮された動画像データの伸張処理や再生処理などのための制御負担が大きくなってしまうという問題がある。
【００１０】
また、動画像による演出を行う場合、静止画像による演出から動画像による演出に移行するときや、動画像による演出から静止画像による演出に移行するときに、表示されている画像が段々薄れてきてやがて消失するようなフェードアウト表示や、画面上に画像が段々現れてきてやがてはっきりと表示されるようなフェードイン表示を行うことによって表示画像を切り替えることがある。例えば、リーチ演出において、特別図柄の可変表示内容がリーチ表示に発展した後に、背景画面を静止画像から動画像に切り替える際、フェードアウト表示やフェードイン表示によって表示内容を切り替えるものがある。
【００１１】
しかし、フェードアウト表示を行うために、フェードアウト表示用の動画像データが用いられ、同様に、フェードイン表示を行うために、フェードイン表示用の動画像データが用いられている。すなわち、フェードアウト表示用の動画像データとフェードイン表示用の動画像データを予め用意し、遊技演出を行うための動画像データの前後にフェードアウト表示用の動画像データやフェードイン表示用の動画像データをつなぎ、その動画像データを再生することで、フェードアウト表示やフェードイン表示を実現するようにしている。このため、フェードアウト表示やフェードイン表示を行うためには、膨大なデータ量の動画像データを必要としていた。従って、フェードアウト表示やフェードイン表示を行うためには、データ圧縮されてはいるが、多大なデータ量の動画像データを必要とするので、動画像データの総データ量が増大することになってしまい、動画像データを格納する記憶領域の必要容量が増大してしまうという課題があった。また、多大なデータ量の動画像データを必要とするので、データ圧縮された動画像データの伸張処理や再生処理などのための制御負担が増大するという問題もある。
【００１２】
本発明は、上記のような課題を解決するためになされたものであり、データ圧縮された動画像データを用いた表示演出のための制御負担を軽減することができる遊技機を提供することを目的とする。
【００１３】
【課題を解決するための手段】
本発明による遊技機は、各々が識別可能な複数種類の識別情報の可変表示を行い、識別情報の表示結果が特定表示結果（例えば左中右図柄が同一の図柄）となったときに遊技者にとって有利な特定遊技状態（例えば大当り遊技状態）とする遊技機であって、遊技演出に用いられる画像を表示する画像表示装置（例えば可変表示装置９）と、動き補償予測符号化による圧縮データを含む動画像データを格納する圧縮データ格納手段（例えばＣＧＲＯＭ８３）と、圧縮データ格納手段に格納されている動画像データを伸張するデータ伸張手段（例えば動画圧縮・伸張部８９におけるステップＳ２０８，ステップＳ２１２，ステップＳ２１６，ステップＳ２２３を実行する部分）と、画像表示装置上で識別情報の可変表示の制御を行う可変表示制御手段（例えばＧＣＬ８１におけるステップＳ８０３を実行する部分）と、データ伸張手段により伸張された動画像データに基づいて生成される画像を画像表示装置に順次表示させることによって動画再生を行うデータ再生手段（例えばＧＣＬ８１における図４８に示す動画再生処理を実行する部分）と、段階的に画像を出現させるフェードイン処理を行うことで画像表示装置上の表示画像の切替表示を実行させるフェードイン切替表示手段（例えばＧＣＬ８１におけるステップＳ２３２を実行する部分）とを備え、可変表示制御手段は、データ再生手段が行う動画再生による動画像を含む表示態様によって識別情報の可変表示を行う第１可変表示制御（例えばリーチＣの動画像演出を行うための制御）と、データ再生手段が行う動画再生による動画像を含まない表示態様（例えばスプライト画像を用いた動画像などの動画再生によらない動画像を含む表示態様をも含む概念である）によって識別情報の可変表示を行う第２可変表示制御（例えばノーマルリーチ、リーチＡ、リーチＢの演出を行うための制御）とを実行する機能を有し、識別情報の可変表示の開始条件（例えば、前回の特別図柄の可変表示が終了したときに成立する条件）の成立にもとづく可変表示が開始される以前に、表示結果を特定表示結果とするか否かをあらかじめ決定する特定表示結果決定手段（例えば演出制御用ＣＰＵ１０１におけるステップＳ５６を実行する部分）と、特定表示結果決定手段の決定結果にもとづいて、識別情報の可変表示を第１可変表示制御と第２可変表示制御との何れにより行うかを決定する表示制御決定手段（例えば演出制御用ＣＰＵ１０１におけるステップＳ７１〜ステップＳ７７を実行する部分）とを含み、フェードイン切替表示手段は、データ再生手段による動画再生の再生開始時に使用されるフレームデータから透過度を段階的に高めていった複数のフェードイン画像（例えば図５１（Ｂ）〜図５１（Ｄ）に示す各画像）を生成するフェードイン画像生成手段（例えばＧＣＬ８１におけるステップＳ２５２を実行する部分）と、フェードイン画像生成手段により生成された各フェードイン画像を、透過度が最も高められているフェードイン画像（例えば図５０にてＮ＝９９とした数式を用いて生成したフェードイン画像。具体的には図５１（Ａ）に示す画像）から、透過度がより低いフェードイン画像に順次移行させ（例えば図５１（Ｂ）、図５１（Ｃ）に順次移行させる）、最終的にフレームデータの画像を表示させる（例えば図５０にてＮ＝０とした数式を用いて生成したフェードイン画像を表示させる。具体的には、例えば図５１（Ｄ）に示す画像を表示させる）ことによってフェードイン処理を実行するフェードイン処理手段（例えばＧＣＬ８１における図４９に示す処理を実行する部分）と、フェードイン処理手段によるフェードイン処理が完了したあと、フェードイン処理の完了時に表示されているフレームデータの画像からデータ再生手段に動画再生を開始させる動画再生開始手段（例えばＧＣＬ８１におけるステップＳ２５７にてフェードインフラグがオフされたあとにステップＳ２４５又はステップＳ２４６での表示処理を実行する部分）とを含み、表示制御決定手段は、第２可変表示制御による可変表示が実行されたときと比較して、第１可変表示制御による可変表示が実行されたときの方が高確率で特定表示結果となるように、決定用データ（例えば図１９に示すリーチ演出判定テーブルに設定されている比較値）が第１可変表示制御と第２可変表示制御とに割り振られている決定用データテーブル（例えば図１９に示すリーチ演出判定テーブル）を用いて、第１可変表示制御と第２可変表示制御との何れを行うかを決定する（例えば演出制御用ＣＰＵ１０１におけるステップＳ７２，ステップＳ７５を実行する部分）ことを特徴とするものである。
【００１４】
フェードイン切替表示手段が、フェードイン処理にて、所定の中間画像を介して段階的に画像を出現させる構成とされていてもよい。
【００１５】
また、本発明による遊技機は、各々が識別可能な複数種類の識別情報の可変表示を行い、識別情報の表示結果が特定表示結果（例えば左中右図柄が同一の図柄）となったときに遊技者にとって有利な特定遊技状態（例えば大当り遊技状態）とする遊技機であって、遊技演出に用いられる画像を表示する画像表示装置（例えば可変表示装置９）と、動き補償予測符号化による圧縮データを含む動画像データを格納する圧縮データ格納手段（例えばＣＧＲＯＭ８３）と、圧縮データ格納手段に格納されている動画像データを伸張するデータ伸張手段（例えば動画圧縮・伸張部８９におけるステップＳ２０８，ステップＳ２１２，ステップＳ２１６，ステップＳ２２３を実行する部分）と、画像表示装置上で識別情報の可変表示の制御を行う可変表示制御手段（例えばＧＣＬ８１におけるステップＳ８０３を実行する部分）と、データ伸張手段により伸張された動画像データに基づいて生成される画像を画像表示装置に順次表示させることによって動画再生を行うデータ再生手段（例えばＧＣＬ８１における図４８に示す動画再生処理を実行する部分）と、段階的に画像を消滅させるフェードアウト処理を行うことで画像表示装置上の表示画像の切替表示を実行させるフェードアウト切替表示手段（例えばＧＣＬ８１におけるステップＳ２３４を実行する部分）とを備え、可変表示制御手段は、データ再生手段が行う動画再生による動画像を含む表示態様によって識別情報の可変表示を行う第１可変表示制御（例えばリーチＣの動画像演出を行うための制御）と、データ再生手段が行う動画再生による動画像を含まない表示態様（例えばスプライト画像を用いた動画像などの動画再生によらない動画像を含む表示態様をも含む概念である）によって識別情報の可変表示を行う第２可変表示制御（例えばノーマルリーチ、リーチＡ、リーチＢの演出を行うための制御）とを実行する機能を有し、識別情報の可変表示の開始条件（例えば、前回の特別図柄の可変表示が終了したときに成立する条件）の成立にもとづく可変表示が開始される以前に、表示結果を特定表示結果とするか否かをあらかじめ決定する特定表示結果決定手段（例えば演出制御用ＣＰＵ１０１におけるステップＳ５６を実行する部分）と、特定表示結果決定手段の決定結果にもとづいて、識別情報の可変表示を第１可変表示制御と第２可変表示制御との何れにより行うかを決定する表示制御決定手段（例えば演出制御用ＣＰＵ１０１におけるステップＳ７１〜ステップＳ７７を実行する部分）とを含み、フェードアウト切替表示手段は、データ再生手段による動画再生を終了するときに、再生終了時に使用されるフレームデータの画像を表示する動画再生終了手段（例えばＧＣＬ８１におけるステップＳ２１１にてフェードアウトフラグがオン状態とされたあとにステップＳ２１２にて復号化されたフレームデータを表示するときのステップＳ２４５又はステップＳ２４６の処理を実行する部分）と、フレームデータから透過度を段階的に高めていった複数のフェードアウト画像（例えば図５４（Ｂ）〜図５４（Ｄ）に示す各画像）を生成するフェードアウト画像生成手段（例えばＧＣＬ８１におけるステップＳ２６２を実行する部分）と、フェードアウト画像生成手段により生成された各フェードアウト画像を、フレームデータの画像（例えば図５３にてＭ＝０とした数式を用いて生成したフェードアウト画像）から、透過度がより高められているフェードアウト画像に順次移行させ、最終的に透過度が最も高められているフェードアウト画像（例えば図５３にてＭ＝９９とした数式を用いて生成したフェードアウト画像）を表示させることによってフェードアウト処理を実行するフェードアウト処理手段（例えばＧＣＬ８１におけるステップＳ２６３を実行する部分）とを含み、表示制御決定手段は、第２可変表示制御による可変表示が実行されたときと比較して、第１可変表示制御による可変表示が実行されたときの方が高確率で特定表示結果となるように、決定用データ（例えば図１９に示すリーチ演出判定テーブルに設定されている比較値）が第１可変表示制御と第２可変表示制御とに割り振られている決定用データテーブル（例えば図１９に示すリーチ演出判定テーブル）を用いて、第１可変表示制御と第２可変表示制御との何れを行うかを決定する（例えば演出制御用ＣＰＵ１０１におけるステップＳ７２，ステップＳ７５を実行する部分）ことを特徴とするものである。
【００１６】
フェードアウト切替表示手段が、フェードアウト処理にて、段階的に画像を消滅させて所定の中間画像を表示させる構成とされていてもよい。
【００１７】
動画像データは、フレーム内符号化により圧縮されたキーフレームデータ（例えばＩピクチャデータ）と、再生時に先に使用されるフレームデータを用いて符号化する前方向予測符号化により圧縮された前方向予測符号化フレームデータ（例えばＰピクチャデータ）と、再生時に先に使用されるフレームデータと後に使用されるフレームデータとを用いて符号化する双方向予測符号化により圧縮された双方向予測符号化フレームデータ（例えばＢピクチャデータ）とを含み、キーフレームデータは、動画像データにおいて、動画像中に現れる表示物体が遅く動作する動画像を再生するためのデータ部分よりも、当該表示物体が速く動作する動画像を再生するためのデータ部分に多く用いられる構成とされていてもよい。
【００１８】
動画像データが、実写画像及びコンピュータグラフィクスの少なくともいずれか一方を含む多色画像を動画再生するためのデータである構成とされていてもよい。
【００１９】
データ再生手段が行う動画再生による動画像には、識別情報の表示態様がリーチ態様となったことにもとづいて実行されるリーチ演出を示す動画像（例えば、図６６に示す動画再生によってキャラクタが動作する画像）を含む構成とされていてもよい。
【００２０】
データ再生手段が行う動画再生による動画像には、識別情報の表示態様がリーチ態様となることを予告するためのリーチ態様予告演出を示す動画像（例えば、図２５に示す予告Ｂがリーチ予告として用いられる場合における予告Ｂとして表示されるムービー画像）を含む構成とされていてもよい。
【００２１】
データ再生手段が行う動画再生による動画像には、識別情報の表示結果が特定表示結果となることを予告するための特定表示結果予告演出を示す動画像（例えば、図２５に示す予告Ｂが大当り予告として用いられる場合における予告Ｂとして表示されるムービー画像）を含む構成とされていてもよい。
【００２２】
【発明の実施の形態】
以下、本発明の一実施形態を図面を参照して説明する。まず、遊技機の一例である第１種パチンコ遊技機の全体の構成について説明する。図１はパチンコ遊技機を正面からみた正面図、図２は遊技盤の前面を示す正面図である。
【００２３】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００２４】
図１に示すように、パチンコ遊技機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４と打球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００２５】
遊技領域７の中央付近には、それぞれが識別情報としての図柄を可変表示する複数の可変表示部１７０を含む可変表示装置（特別可変表示部）９が設けられている。可変表示装置９には、例えば「左」、「中」、「右」の３つの可変表示部（図柄表示エリア）がある。なお、可変表示部は固定的な領域であってもよいが、遊技進行中に、可変表示装置９の表示領域において移動したり大きさが変化してもよい。また、可変表示装置９には、始動入賞口１４に入った有効入賞球数すなわち始動入賞記憶数を表示する４つの特別図柄始動記憶表示エリア（始動記憶表示エリア）１８が設けられている。有効始動入賞（始動入賞記憶数が４未満のときの始動入賞）がある毎に、表示色を変化させる（例えば青色表示から赤色表示に変化させる）始動記憶表示エリア１８を１増やす。そして、可変表示装置９の可変表示が開始される毎に、表示色が変化している始動記憶表示エリア１８を１減らす（すなわち表示色をもとに戻す）。
【００２６】
なお、図柄表示エリアと始動記憶表示エリア１８とが区分けされて設けられているので、可変表示中も始動入賞記憶数が表示された状態とすることができる。また、始動記憶表示エリア１８を図柄表示エリアの一部に設けるようにしてもよく、この場合には、可変表示中は始動入賞記憶数の表示を中断するようにすればよい。また、この実施の形態では、始動記憶表示エリア１８を可変表示装置９に設けるようにしているが、始動入賞記憶数を表示する表示器（特別図柄始動記憶表示器）を可変表示装置９とは別個に設けるようにしてもよい。
【００２７】
可変表示装置９の下方には、始動入賞口１４としての可変入賞球装置１５が設けられている。始動入賞口１４に入った入賞球は、遊技盤６の背面に導かれ、始動口スイッチ１４ａによって検出される。また、始動入賞口１４の下部には開閉動作を行う可変入賞球装置１５が設けられている。可変入賞球装置１５は、ソレノイド１６によって開状態とされる。
【００２８】
可変入賞球装置１５の下部には、特定遊技状態（大当り状態）においてソレノイド２１によって開状態とされる開閉板２０が設けられている。開閉板２０は大入賞口を開閉する手段である。開閉板２０から遊技盤６の背面に導かれた入賞球のうち一方（Ｖ入賞領域）に入った入賞球はＶ入賞スイッチ２２で検出され、開閉板２０からの入賞球はカウントスイッチ２３で検出される。遊技盤６の背面には、大入賞口内の経路を切り換えるためのソレノイド２１Ａも設けられている。
【００２９】
ゲート３２に遊技球が入賞しゲートスイッチ３２ａで検出されると、普通図柄始動入賞記憶が上限に達していなければ、所定の乱数値が抽出される。そして、普通図柄表示器１０において表示状態が変化する可変表示を開始できる状態であれば、普通図柄表示器１０の表示の可変表示が開始される。普通図柄表示器１０において表示状態が変化する可変表示を開始できる状態でなければ、普通図柄始動入賞記憶の値が１増やされる。普通図柄表示器１０の近傍には、普通図柄始動入賞記憶数を表示する４つのＬＥＤによる表示部を有する普通図柄始動記憶表示器４１が設けられている。ゲート３２への入賞がある毎に、普通図柄始動記憶表示器４１は点灯するＬＥＤを１増やす。そして、普通図柄表示器１０の可変表示が開始される毎に、点灯するＬＥＤを１減らす。なお、特別図柄と普通図柄とを一つの可変表示装置で可変表示するように構成することもできる。その場合には、特別可変表示部と普通可変表示部とは１つの可変表示装置で実現される。
【００３０】
この実施の形態では、左右のランプ（点灯時に図柄が視認可能になる）が交互に点灯することによって普通図柄の可変表示が行われ、可変表示は所定時間（例えば２９．２秒）継続する。そして、可変表示の終了時に左側のランプが点灯すれば当りとなる。当りとするか否かは、ゲート３２に遊技球が入賞したときに抽出された乱数の値が所定の当り判定値と一致したか否かによって決定される。普通図柄表示器１０における可変表示の表示結果が当りである場合に、可変入賞球装置１５が所定回数、所定時間だけ開状態になって遊技球が入賞しやすい状態になる。すなわち、可変入賞球装置１５の状態は、普通図柄の停止図柄が当り図柄である場合に、遊技者にとって不利な状態から有利な状態に変化する。
【００３１】
さらに、特別遊技状態としての確変状態では、普通図柄表示器１０における停止図柄が当り図柄になる確率が高められるとともに、可変入賞球装置１５の開放時間と開放回数とのうちの一方または双方が高められ、遊技者にとってさらに有利になる。また、確変状態等の所定の状態では、普通図柄表示器１０における可変表示期間（変動時間）が短縮されることによって、遊技者にとってさらに有利になるようにしてもよい。
【００３２】
遊技盤６には、複数の入賞口２９，３０，３３，３９が設けられ、遊技球の入賞口２９，３０，３３への入賞は、それぞれ入賞口スイッチ２９ａ，３０ａ，３３ａ，３９ａによって検出される。遊技領域７の左右周辺には、遊技中に点滅表示される飾りランプ２５が設けられ、下部には、入賞しなかった打球を吸収するアウト口２６がある。また、遊技領域７の外側の左右上部には、効果音や音声を発する２つのスピーカ２７が設けられている。遊技領域７の外周には、天枠ランプ２８ａ、左枠ランプ２８ｂおよび右枠ランプ２８ｃが設けられている。
【００３３】
そして、この例では、左枠ランプ２８ｂの近傍に、賞球残数があるときに点灯する賞球ランプ５１が設けられ、天枠ランプ２８ａの近傍に、補給球が切れたときに点灯する球切れランプ５２が設けられている。さらに、図１には、パチンコ遊技機１に隣接して設置され、プリペイドカードが挿入されることによって球貸しを可能にするカードユニット５０も示されている。
【００３４】
カードユニット５０には、使用可能状態であるか否かを示す使用可表示ランプ１５１、カードユニット５０がいずれの側のパチンコ遊技機１に対応しているのかを示す連結台方向表示器１５３、カードユニット５０内にカードが投入されていることを示すカード投入表示ランプ１５４、記録媒体としてのカードが挿入されるカード挿入口１５５、およびカード挿入口１５５の裏面に設けられているカードリーダライタの機構を点検する場合にカードユニット５０を解放するためのカードユニット錠１５６が設けられている。
【００３５】
打球発射装置から発射された遊技球は、打球レールを通って遊技領域７に入り、その後、遊技領域７を下りてくる。打球が始動入賞口１４に入り始動口スイッチ１４ａで検出されると、図柄の可変表示を開始できる状態であれば、可変表示装置９において特別図柄が可変表示（変動）を始める。図柄の可変表示を開始できる状態でなければ、始動入賞記憶数を１増やす。
【００３６】
可変表示装置９における特別図柄の可変表示は、一定時間が経過したときに停止する。停止時の特別図柄の組み合わせが大当り図柄（特定表示態様）であると、大当り遊技状態に移行する。すなわち、開閉板２０が、一定時間経過するまで、または、所定個数（例えば１０個）の打球が入賞するまで開放する。そして、開閉板２０の開放中に打球がＶ入賞領域に入賞しＶ入賞スイッチ２２で検出されると、継続権が発生し開閉板２０の開放が再度行われる。継続権の発生は、所定回数（例えば１５ラウンド）許容される。
【００３７】
停止時の可変表示装置９における特別図柄の組み合わせが確率変動を伴う大当り図柄（確変図柄）の組み合わせである場合には、次に大当りとなる確率が高くなる。すなわち、確変状態という遊技者にとってさらに有利な状態（特別遊技状態）となる。
【００３８】
図３は、主基板３１における回路構成の一例を示すブロック図である。なお、図３には、払出制御基板３７、ランプドライバ基板３５、音声出力基板７０および演出制御基板１００も示されている。主基板３１には、プログラムに従ってパチンコ遊技機１を制御する基本回路５３と、ゲートスイッチ３２ａ、始動口スイッチ１４ａ、Ｖ入賞スイッチ２２、カウントスイッチ２３、入賞口スイッチ２９ａ，３０ａ，３３ａ，３９ａおよびクリアスイッチ９２１からの信号を基本回路５３に与えるスイッチ回路５８と、可変入賞球装置１５を開閉するソレノイド１６、開閉板２０を開閉するソレノイド２１および大入賞口内の経路を切り換えるためのソレノイド２１Ａを基本回路５３からの指令に従って駆動するソレノイド回路５９とが搭載されている。クリアスイッチ９２１は、例えば遊技機に設置されている電源基板に搭載されている。
【００３９】
なお、図３には示されていないが、カウントスイッチ短絡信号もスイッチ回路５８を介して基本回路５３に伝達される。また、ゲートスイッチ３２ａ、始動口スイッチ１４ａ、Ｖ入賞スイッチ２２、カウントスイッチ２３、入賞口スイッチ２９ａ，３０ａ，３３ａ，３９ａ等のスイッチは、センサと称されているものでもよい。すなわち、遊技球を検出できる遊技媒体検出手段（この例では遊技球検出手段）であれば、その名称を問わない。
【００４０】
また、基本回路５３から与えられるデータに従って、大当りの発生を示す大当り情報、可変表示装置９における図柄の可変表示開始に利用された始動入賞球の個数を示す有効始動情報、確率変動が生じたことを示す確変情報等の情報出力信号を、遊技機裏面に設置されている情報端子盤を介してホールコンピュータ等の外部装置に対して出力する情報出力回路６４が搭載されている。
【００４１】
基本回路５３は、ゲーム制御用のプログラム等を記憶するＲＯＭ５４、ワークメモリとして使用される記憶手段（変動データを記憶する手段）としてのＲＡＭ５５、プログラムに従って制御動作を行うＣＰＵ５６およびＩ／Ｏポート部５７を含む。この実施の形態では、ＲＯＭ５４，ＲＡＭ５５はＣＰＵ５６に内蔵されている。すなわち、ＣＰＵ５６は、１チップマイクロコンピュータである。なお、１チップマイクロコンピュータは、少なくともＲＡＭ５５が内蔵されていればよく、ＲＯＭ５４およびＩ／Ｏポート部５７は外付けであっても内蔵されていてもよい。なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵについても同様である。
【００４２】
また、ＲＡＭ（ＣＰＵ内蔵ＲＡＭであってもよい。）５５の一部または全部が、電源基板において作成されるバックアップ電源によってバックアップされているバックアップＲＡＭである。すなわち、遊技機に対する電力供給が停止しても、所定期間は、ＲＡＭ５５の一部または全部の内容は保存される。
【００４３】
この実施の形態では、演出制御基板１００に搭載されている演出制御手段が、遊技盤に設けられている普通図柄始動記憶表示器４１および飾りランプ２５等の表示制御を行うとともに、枠側に設けられている天枠ランプ２８ａ、左枠ランプ２８ｂ、右枠ランプ２８ｃ、賞球ランプ５１および球切れランプ５２の表示制御を行う。なお、各ランプはＬＥＤその他の種類の発光体でもよい。すなわち、ランプやＬＥＤは発光体の一例であり、以下、ランプ・ＬＥＤと総称することがある。また、可変表示装置９の上部および左右部には、可変表示装置飾りＬＥＤ（センター飾りＬＥＤ）が設置され、大入賞口の内部には大入賞口内飾りＬＥＤが設置され、大入賞口の左右には、大入賞口左飾りＬＥＤおよび大入賞口右飾りＬＥＤが設置されている。演出制御手段は、それらの発光体の制御も行う。
【００４４】
なお、ランプ・ＬＥＤを駆動するための駆動信号は、ランプドライバ基板３５において作成される。また、遊技機に演出手段としての可動部材が設置されている場合には、可動部材を駆動するためのモータやソレノイド等の演出用駆動手段６１を駆動するための駆動信号も、ランプドライバ基板３５において作成される。
【００４５】
また、特別図柄を可変表示する可変表示装置９および普通図柄を可変表示する普通図柄表示器１０の表示制御は、演出制御基板１００に搭載されている演出制御手段によって行われる。
【００４６】
図４は、演出制御基板１００、ランプドライバ基板３５および音声出力基板７０の回路構成例を示すブロック図である。演出制御基板１００は、表示制御部８０と、表示制御部８０や各基板３５，７０などの制御を行う演出制御用ＣＰＵ１０１と、演出制御用のプログラムや図柄表示・発光・音声出力等の各種の演出パターン等を記憶するＲＯＭ１０６と、ワークメモリとして使用されるＲＡＭ１０７とを含む。演出制御基板１００において、演出制御用ＣＰＵ１０１は、ＲＯＭ１０６に格納されたプログラムに従って動作し、主基板３１からのストローブ信号（演出制御ＩＮＴ信号）に応じて、入力ドライバ１０２および入力ポート１０３を介して演出制御コマンドを受信する。また、演出制御用ＣＰＵ１０１からの指示に従って、表示制御部８０は、ＬＣＤを用いた可変表示装置９の表示制御を行うとともに、普通図柄表示器１０の表示制御を行う。なお、表示制御部８０の構成については、あとで詳しく説明する。
【００４７】
さらに、演出制御用ＣＰＵ１０１は、出力ポート１０４および出力ドライバ１１０を介して音声出力基板７０に対して音番号データを出力する。また、演出制御用ＣＰＵ１０１に入出力するバス（アドレスバス、データバス、および書込／読出信号等の制御信号ラインを含む）はバスドライバ１０５を介してランプドライバ基板３５まで延長されている。
【００４８】
ランプドライバ基板３５において、演出制御用ＣＰＵ１０１に入出力するバスは、バスレシーバ３５１を介して出力ポート３５２および拡張ポート３５３に接続される。出力ポート３５２から出力される各ランプを駆動する信号は、ランプドライバ３５４で増幅され各ランプに供給される。また、出力ポート３５２から出力される各ＬＥＤを駆動する信号は、ＬＥＤ駆動回路３５５で増幅され各ＬＥＤに供給される。そして、演出用駆動手段６１を駆動する信号は、駆動回路３５６で増幅され各ランプに供給される。
【００４９】
この実施の形態では、遊技機に設けられているランプ・ＬＥＤおよび演出用駆動手段は、演出制御基板１００に搭載されている演出用ＣＰＵ１０１を含む演出制御手段によって制御される。また、可変表示装置９、普通図柄表示器１０およびランプ・ＬＥＤ等を制御するためのデータがＲＯＭ１０６に格納されている。演出用ＣＰＵ１０１は、ＲＯＭ１０６に格納されているデータにもとづいて可変表示装置９、普通図柄表示器１０およびランプ・ＬＥＤ等を制御する。そして、ランプドライバ基板３５に搭載されている出力ポート３５２および各駆動回路を介して、ランプ・ＬＥＤおよび演出用駆動手段が駆動される。従って、機種変更を行う場合に、演出制御基板１００を新たな機種のものに交換すれば、ランプドライバ基板３５を交換せずに機種変更を実現することができる。
【００５０】
なお、演出制御基板１００、ランプドライバ基板３５および音声出力基板７０は独立した基板であるが、それらは、例えば、遊技機裏面において、１つのボックスに収容された状態で設置される。また、拡張ポート３５３は、機種変更を行う場合に、ランプ・ＬＥＤ等の数が増加した場合を考慮して設置されるが、設置されていなくてもよい。演出用の可動部材等が存在しない場合には駆動回路３５６は設けられなくてもよいが、機種変更を行う場合に、演出用の可動部材等が設置された場合を考慮すると、演出用の可動部材等が存在しない場合にも設けられていることが好ましい。
【００５１】
音声出力基板７０において、演出制御基板１００からの音番号データは、入力ドライバ７０２を介して、例えばデジタルシグナルプロセッサによる音声合成用ＩＣ７０３に入力される。音声合成用ＩＣ７０３は、音番号データに応じたデータを音声データＲＯＭ７０４から読み出し、読み出したデータに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。
【００５２】
音声データＲＯＭ７０４に格納されている音番号データに応じたデータは、所定期間（例えば特別図柄の変動期間）における効果音または音声の出力態様を時系列的に示すデータの集まりである。音声合成用ＩＣ７０３は、音番号データを入力すると、音声データＲＯＭ７０４内の対応するデータに従って音出力制御を行う。対応するデータに従った音出力制御は、次の音番号データを入力するまで継続される。そして、音声合成用ＩＣ７０３は、次の音番号データを入力すると、新た入力した音番号データに対応した音声データＲＯＭ７０４内のデータに従って音出力制御を行う。
【００５３】
この実施の形態では、スピーカ２７から出力される音声や効果音は演出制御用ＣＰＵ１０１を含む演出制御手段によって制御されるのであるが、演出制御手段は、音声出力基板７０に音番号データを出力する。音声出力基板７０において、音声データＲＯＭ７０４には、遊技の進行に伴って出現しうる音声や効果音を実現するための多数のデータが格納され、それらのデータは音番号データに対応付けられている。従って、演出制御手段は、音番号データを出力するだけで音出力制御を実現することができる。なお、音番号データは例えば１バイトデータであり、シリアル信号線またはパラレル信号線によって音声出力基板７０に転送される。
【００５４】
図５は、表示制御部８０の回路構成を示すブロック図である。表示制御部８０は、可変表示装置９や普通図柄表示器１０の表示制御を行う。可変表示装置９の表示制御は、具体的には、演出制御コマンドに応じた指令をＧＣＬ（Ｇｒａｐｈｉｃｓ  Ｃｏｎｔｒｏｌｌｅｒ  ＬＳＩ）８１に与える。ＧＣＬ８１は、ＣＧＲＯＭ８３等から必要なデータを読み出す。なお、ＣＧＲＯＭ８３には、使用頻度の高いキャラクタを示すデータが格納されている。ＣＧＲＯＭ８３に格納されている使用頻度の高いキャラクタとは、例えば、可変表示装置９に表示される人物、動物、又は、文字、図形もしくは記号等からなる画像である。なお、キャラクタには、実写による動画像や静止画像も含まれる。ＧＣＬ８１は、入力したデータに従って可変表示装置９に表示するための画像データを生成し、Ｒ（赤），Ｇ（緑），Ｂ（青）信号及び同期信号を可変表示装置９に出力する。可変表示装置９は、例えば、多数の画素（ピクセル）を用いたドットマトリクス方式による画面表示を行う。本例では、Ｒ，Ｇ，Ｂ信号がそれぞれ８ビットで表される。したがって、可変表示装置９は、ＧＣＬ８１からの指示に従って、Ｒ，Ｇ，Ｂそれぞれが２５６階調であり、約１６７０万色の多色表示を行うことができる。なお、Ｒ，Ｇ，Ｂ信号のビット数は８ビット以外のビット数であってもよく、また、Ｒ，Ｇ，Ｂ信号の各ビット数が互いに異なる数であってもよい。
【００５５】
表示制御部８０には、ＣＧＲＯＭ８３やＳＤＲＡＭ（ＶＲＡＭ）８４等の各種の記憶媒体が備えられている。ＳＤＲＡＭ８４には、フレームバッファ、キャラクタのソースデータ、表示色の特定や変更等のために用いられるパレットデータ等の表示画像に関するデータが格納される。また、表示制御部８０は、ＧＣＬ８１と、普通図柄表示器１０に信号を出力するための普通図柄駆動回路８２とを備えている。
【００５６】
ＧＣＬ８１は、所定のパレットデータを一時的に保存するためなどに用いられるパレットデータバッファ８５や、所定のＣＧデータを一時的に保存するためなどに用いられるＣＧデータバッファ８６等の各種の記憶媒体の他、描画制御部９１と、可変表示装置９に信号を出力するための可変表示装置制御部８７及びＤＡＣ（ディジタルアナログコンバータ）８８と、動画圧縮処理や伸張処理を行う動画圧縮伸張部８９とを含む。描画制御部９１は、アトリビュート解析部８１ａと、ＶＲＡＭアドレス生成部８１ｂと、クリッピング部８１ｃと、半透明輝度変調部８１ｄとを含む。アトリビュート解析部８１ａは、キャラクタを描画する際に使用されるパラメータの解析を行う。このパラメータには、画像の描画順序、色数、拡大縮小率、パレット番号、座標等を指定するための情報が設定されている。なお、動画圧縮伸張部８９は、ＧＣＬ８１によって制御される構成としても、演出制御用ＣＰＵ１０１によって制御される構成としてもよい。
【００５７】
また、表示制御部８０は、駆動回路９０ａと、増幅回路９０ｂとを含む。この例では、発光部６５ａ，６５ｂを発光させるための駆動信号が、駆動回路９０ａを介して発光部６５ａ，６５ｂに出力される。また、受光部６６ａ，６６ｂからの信号は、図示しない入力ポートを介して表示制御部８０に入力され、増幅回路９０ｂにて増幅されたあとＧＣＬ８１等に入力される。なお、受光部６６ａ，６６ｂの出力信号が人体センサの出力信号に相当する。
【００５８】
図６（Ａ）は、遊技者が選択入力を入力するための選択操作手段としての人体センサの作用を説明するための説明図である。人体センサを構成する発光部６５ａ，６５ｂからの光は、遊技用枠３に設置されたガラスを透過する。しかし、ガラスにおける発光部６５ａ，６５ｂからの光の透過部に、光を反射可能な遮蔽物があると、光は遮蔽物で反射され、受光部６６ａ，６６ｂに到達する。従って、例えば遊技者が遮蔽物としての指等をタッチ部（発光部６５ａ，６５ｂからの光を反射する部分）１６１ａ，１６１ｂに当てると、受光部６６ａ，６６ｂに光が到達する。すなわち、受光部６６ａ，６６ｂに光が到達したことによって指が当てられたことが検出される。なお、受光部６６ａ，６６ｂの感度は、ガラスの外からの光を感知せず、発光部６５ａ，６５ｂからの光の遮蔽物による反射光を感知するように設定される。
【００５９】
タッチ部１６１ａ，１６１ｂは、後述するように、可変表示部１７０において選択画面（全画面のうちの一部であって、選択のための情報が表示される部分）に相当する位置になるように設定される。つまり、選択画面に相当する位置で光が反射するように、発光部６５ａ，６５ｂおよび受光部６６ａ，６６ｂの光軸が調整される。
【００６０】
この実施の形態では、図１には表されていないが、図６（Ｂ）に示すように、遊技盤６には、可変表示部１７０の上方の２箇所に、光を出射する発光部６５ａ，６５ｂが設置され、可変表示部１７０の下方に、発光部６５ａ，６５ｂから出射され所定部位で反射された光を入射する受光部６６ａ，６６ｂが設けられている。なお、発光部６５ａと受光部６６ａとで１つの人体センサが構成され、発光部６５ｂと受光部６６ｂとで１つの人体センサが構成される。
【００６１】
なお、図６（Ａ）および図６（Ｂ）に示す構造の人体センサは一例であって、ガラスにおけるタッチ部１６１ａ，１６１ｂに遊技者の指等が当てられたことを検知できるのであれば、どのような構造の人体センサを用いてもよい。
【００６２】
次に遊技機の動作について説明する。図７は、主基板３１における遊技制御手段（ＣＰＵ５６およびＲＯＭ，ＲＡＭ等の周辺回路）が実行するメイン処理を示すフローチャートである。遊技機に対して電源が投入され、リセット端子の入力レベルがハイレベルになると、ＣＰＵ５６は、ステップＳ１以降のメイン処理を開始する。メイン処理において、ＣＰＵ５６は、まず、必要な初期設定を行う。
【００６３】
初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスレジスタの初期化を行う（ステップＳ４）。また、内蔵デバイス（内蔵周辺回路）であるＣＴＣ（カウンタ／タイマ）およびＰＩＯ（パラレル入出力ポート）の初期化（ステップＳ５）を行った後、ＲＡＭをアクセス可能状態に設定する（ステップＳ６）。なお、割込みモード２は、遊技制御用マイクロコンピュータ５６が内蔵する特定レジスタ（Ｉレジスタ）の値（１バイト）と内蔵デバイスが出力する割込みベクタ（１バイト：最下位ビット０）から合成されるアドレスが、割込み番地を示すモードである。
【００６４】
次いで、ＣＰＵ５６は、入力ポートを介して入力されるクリアスイッチ９２１の出力信号の状態を１回だけ確認する（ステップＳ７）。その確認においてオンを検出した場合には、ＣＰＵ５６は、通常の初期化処理を実行する（ステップＳ１１〜ステップＳ１４）。
【００６５】
クリアスイッチ９２１がオンの状態でない場合には、遊技機への電力供給が停止したときにバックアップＲＡＭ領域のデータ保護処理（例えばパリティデータの付加等の電力供給停止時処理）が行われたか否か確認する（ステップＳ８）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。この例では、バックアップフラグ領域に「５５Ｈ」が設定されていればバックアップあり（オン状態）を意味し、「５５Ｈ」以外の値が設定されていればバックアップなし（オフ状態）を意味する。
【００６６】
バックアップありを確認したら、ＣＰＵ５６は、バックアップＲＡＭ領域のデータチェック（この例ではパリティチェック）を行う（ステップＳ９）。ステップＳ９では、算出したチェックサムと、電力供給停止時処理にて同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００６７】
チェック結果が正常であれば、ＣＰＵ５６は、遊技制御手段の内部状態と演出制御手段等の電気部品制御手段の制御状態を電力供給停止時の状態に戻すための遊技状態復旧処理を行う（ステップＳ１０）。そして、バックアップＲＡＭ領域に保存されていたＰＣ（プログラムカウンタ）の退避値がＰＣに設定され、そのアドレスに復帰する。
【００６８】
なお、この実施の形態では、バックアップフラグとチェックデータとの双方を用いてバックアップＲＡＭ領域のデータが保存されているか否かを確認しているが、いずれか一方のみを用いてもよい。すなわち、バックアップフラグとチェックデータとのいずれかを、状態復旧処理を実行するための契機としてもよい。
【００６９】
初期化処理では、ＣＰＵ５６は、まず、ＲＡＭクリア処理を行う（ステップＳ１１）。また、所定の作業領域（例えば、普通図柄判定用乱数カウンタ、普通図柄判定用バッファ、特別図柄左中右図柄バッファ、特別図柄プロセスフラグ、払出コマンド格納ポインタ、賞球中フラグ、球切れフラグ、払出停止フラグなど制御状態に応じて選択的に処理を行うためのフラグ）に初期値を設定する作業領域設定処理を行う（ステップＳ１２）。さらに、サブ基板（この実施の形態では払出制御基板３５および演出制御基板１００）を初期化するための初期化コマンドを各サブ基板に送信する処理を実行する（ステップＳ１３）。初期化コマンドとして、可変表示装置９に表示される初期図柄を示すコマンド（演出制御基板１００に対して）や賞球ランプ５１および球切れランプ５２の消灯を指示するコマンド等がある。
【００７０】
そして、２ｍｓ毎に定期的にタイマ割込がかかるようにＣＰＵ５６に設けられているＣＴＣのレジスタの設定が行われる（ステップＳ１４）。すなわち、初期値として２ｍｓに相当する値が所定のレジスタ（時間定数レジスタ）に設定される。
【００７１】
初期化処理の実行（ステップＳ１１〜Ｓ１４）が完了すると、メイン処理で、表示用乱数更新処理（ステップＳ１７）および初期値用乱数更新処理（ステップＳ１８）が繰り返し実行される。表示用乱数更新処理および初期値用乱数更新処理が実行されるときには割込禁止状態とされ（ステップＳ１６）、表示用乱数更新処理および初期値用乱数更新処理の実行が終了すると割込許可状態とされる（ステップＳ１９）。表示用乱数とは、可変表示装置９に表示される図柄を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否かを決定するための乱数を発生するためのカウンタ（大当り決定用乱数発生カウンタ）等のカウント値の初期値を決定するための乱数である。後述する遊技制御処理において、大当り決定用乱数発生カウンタのカウント値が１周すると、そのカウンタに初期値が設定される。
【００７２】
なお、表示用乱数更新処理が実行されるときには割込禁止状態とされるのは、表示用乱数更新処理が後述するタイマ割込処理でも実行されることから、タイマ割込処理における処理と競合してしまうのを避けるためである。すなわち、ステップＳ１７の処理中にタイマ割込が発生してタイマ割込処理中で表示用乱数を発生するためのカウンタのカウント値を更新してしまったのでは、カウント値の連続性が損なわれる場合がある。しかし、ステップＳ１７の処理中では割込禁止状態にしておけば、そのような不都合が生ずることはない。
【００７３】
タイマ割込が発生すると、ＣＰＵ５６は、レジスタの退避処理（ステップＳ２０）を行った後、図８に示すステップＳ２１〜Ｓ３３の遊技制御処理を実行する。遊技制御処理において、ＣＰＵ５６は、まず、スイッチ回路５８を介して、ゲートスイッチ３２ａ、始動口スイッチ１４ａ、カウントスイッチ２３および入賞口スイッチ２４ａ等のスイッチの検出信号を入力し、それらの状態判定を行う（スイッチ処理：ステップＳ２１）。
【００７４】
次に、遊技制御に用いられる大当り判定用の乱数等の各判定用乱数を生成するための各カウンタのカウント値を更新する処理を行う（ステップＳ２２）。ＣＰＵ５６は、さらに、初期値用乱数を生成するためのカウンタのカウント値を更新する処理および表示用乱数を生成するためのカウンタのカウント値を更新する処理を行う（ステップＳ２３，Ｓ２４）。
【００７５】
図９は、各乱数を示す説明図である。各乱数を示す説明図である。各乱数は、以下のように使用される。
（１）ランダム１：大当りを発生させるか否か決定する（大当り判定用）
（２）ランダム２−１〜２−３（ランダム２）：特別図柄の左中右のはずれ図柄決定用（特別図柄左中右）
（３）ランダム３：大当りを発生させる特別図柄の組合せを決定する（大当り図柄決定用）
（４）ランダム４：特別図柄の変動パターンを決定する（変動パターン決定用）
（５）ランダム５：大当りを発生させない場合にリーチとするか否かを決定する（リーチ判定用）
（６）ランダム６：普通図柄にもとづく当りを発生させるか否か決定する（普通図柄当り判定用）
（７）ランダム７：ランダム１の初期値を決定する（ランダム１初期値決定用）
（８）ランダム８：ランダム６の初期値を決定する（ランダム６初期値決定用）
【００７６】
図８に示された遊技制御処理におけるステップＳ２２では、ＣＰＵ５６は、（１）の大当り判定用乱数、（３）の大当り図柄決定用乱数、および（６）の普通図柄当り判定用乱数を生成するためのカウンタのカウントアップ（１加算）を行う。すなわち、それらが判定用乱数であり、それら以外の乱数が表示用乱数または初期値用乱数である。なお、遊技効果を高めるために、上記（１）〜（８）の乱数以外の普通図柄に関する乱数等も用いられている。
【００７７】
さらに、ＣＰＵ５６は、特別図柄プロセス処理を行う（ステップＳ２５）。特別図柄プロセス制御では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行う（ステップＳ２６）。普通図柄プロセス処理では、普通図柄表示器１０の表示状態を所定の順序で制御するための普通図柄プロセスフラグに従って該当する処理が選び出されて実行される。そして、普通図柄プロセスフラグの値は、遊技状態に応じて各処理中に更新される。
【００７８】
次いで、ＣＰＵ５６は、特別図柄に関する演出制御コマンドをＲＡＭ５５の所定の領域に設定して演出制御コマンドを送出する処理を行う（特別図柄コマンド制御処理：ステップＳ２７）。また、普通図柄に関する演出制御コマンドをＲＡＭ５５の所定の領域に設定して演出制御コマンドを送出する処理を行う（普通図柄コマンド制御処理：ステップＳ２８）。
【００７９】
さらに、ＣＰＵ５６は、例えばホール管理用コンピュータに供給される大当り情報、始動情報、確率変動情報などのデータを出力する情報出力処理を行う（ステップＳ２９）。
【００８０】
また、ＣＰＵ５６は、入賞口スイッチ２９ａ，３０ａ，３３ａ，３９ａの検出信号にもとづく賞球個数の設定などを行う賞球処理を実行する（ステップＳ３０）。具体的には、入賞口スイッチ２９ａ，３０ａ，３３ａ，３９ａの何れかがオンしたことにもとづく入賞検出に応じて、払出制御基板３７に賞球個数を示す払出制御コマンドを出力する。払出制御基板３７に搭載されている払出制御用ＣＰＵは、賞球個数を示す払出制御コマンドに応じて球払出装置９７を駆動する。
【００８１】
そして、ＣＰＵ５６は、始動入賞記憶数の増減をチェックする記憶処理を実行する（ステップＳ３１）。また、遊技機の制御状態を遊技機外部で確認できるようにするための試験信号を出力する処理である試験端子処理を実行する（ステップＳ３２）。さらに、所定の条件が成立したときにソレノイド回路５９に駆動指令を行う（ステップＳ３３）。可変入賞球装置１５または開閉板２０を開状態または閉状態としたり、大入賞口内の遊技球通路を切り替えたりするために、ソレノイド回路５９は、駆動指令に応じてソレノイド１６，２１，２１Ａを駆動する。その後、レジスタの内容を復帰させ（ステップＳ３４）、割込許可状態に設定する（ステップＳ３５）。
【００８２】
以上の制御によって、この実施の形態では、遊技制御処理は２ｍｓ毎に起動されることになる。なお、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【００８３】
図１０は、ＣＰＵ５６が実行する特別図柄プロセス処理のプログラムの一例を示すフローチャートである。図１０に示す特別図柄プロセス処理は、図８のフローチャートにおけるステップＳ２５の具体的な処理である。ＣＰＵ５６は、特別図柄プロセス処理を行う際に、変動短縮タイマ減算処理（ステップＳ３１０）を行い、遊技盤６に設けられている始動入賞口１４に遊技球が入賞したことを検出するための始動口スイッチ１４ａがオンしていたら、すなわち遊技球が始動入賞口１４に入賞する始動入賞が発生していたら（ステップＳ３１１）、始動口スイッチ通過処理（ステップＳ３１２）を行った後に、内部状態に応じて、ステップＳ３００〜Ｓ３０８のうちのいずれかの処理を行う。変動短縮タイマは、特別図柄の変動時間が短縮される場合に、変動時間を設定するためのタイマである。
【００８４】
特別図柄通常処理（ステップＳ３００）：特別図柄の可変表示を開始できる状態になるのを待つ。特別図柄の可変表示が開始できる状態になると、始動入賞記憶数を確認する。始動入賞記憶数が０でなければ、特別図柄の可変表示の結果、大当りとするか否か決定する。そして、内部状態（特別図柄プロセスフラグ）をステップＳ３０１に移行するように更新する。
【００８５】
特別図柄停止図柄設定処理（ステップＳ３０１）：特別図柄の可変表示後の左中右図柄の停止図柄を決定する。そして、内部状態（特別図柄プロセスフラグ）をステップＳ３０２に移行するように更新する。
【００８６】
変動パターン設定処理（ステップＳ３０２）：特別図柄の可変表示の変動パターン（可変表示態様）を、ランダム４の値に応じて決定する。また、変動時間タイマをスタートさせる。このとき、演出制御基板１００に対して、左中右最終停止図柄と変動態様（変動パターン）を指令する情報とが送信される。そして、内部状態（特別図柄プロセスフラグ）をステップＳ３０３に移行するように更新する。
【００８７】
特別図柄変動処理（ステップＳ３０３）：所定時間（ステップＳ３０２の変動時間タイマで示された時間）が経過すると、内部状態（特別図柄プロセスフラグ）をステップＳ３０４に移行するように更新する。
【００８８】
特別図柄停止処理（ステップＳ３０４）：可変表示装置９において表示される全図柄が停止されるように制御する。具体的には、特別図柄停止を示す演出制御コマンドが送信される状態に設定する。そして、停止図柄が大当り図柄の組み合わせである場合には、内部状態（特別図柄プロセスフラグ）をステップＳ３０５に移行するように更新する。そうでない場合には、内部状態をステップＳ３００に移行するように更新する。
【００８９】
大入賞口開放開始処理（ステップＳ３０５）：大入賞口を開放する制御を開始する。具体的には、カウンタやフラグを初期化するとともに、ソレノイド２１を駆動して大入賞口を開放する。また、プロセスタイマによって大入賞口開放中処理の実行時間を設定し、大当り中フラグをセットする。そして、内部状態（特別図柄プロセスフラグ）をステップＳ３０６に移行するように更新する。
【００９０】
大入賞口開放中処理（ステップＳ３０６）：大入賞口ラウンド表示の演出制御コマンドを演出制御基板１００に送出する制御や大入賞口の閉成条件の成立を確認する処理等を行う。最後の大入賞口の閉成条件が成立したら、内部状態をステップＳ３０７に移行するように更新する。
【００９１】
特定領域有効時間処理（ステップＳ３０７）：Ｖ入賞スイッチ２２の通過の有無を監視して、大当り遊技状態継続条件の成立を確認する処理を行う。大当り遊技状態継続の条件が成立し、かつ、まだ残りラウンドがある場合には、内部状態をステップＳ３０５に移行するように更新する。また、所定の有効時間内に大当り遊技状態継続条件が成立しなかった場合、または、全てのラウンドを終えた場合には、内部状態をステップＳ３０８に移行するように更新する。
【００９２】
大当り終了処理（ステップＳ３０８）：大当り遊技状態が終了したことを遊技者に報知する表示制御を演出制御手段に行わせるための制御を行う。そして、内部状態をステップＳ３００に移行するように更新する。
【００９３】
図１１は、この実施の形態で用いられる変動パターンの一例を示す説明図である。図１１において、「ＥＸＴ」とは、２バイト構成の演出制御コマンドにおける２バイト目のＥＸＴデータを示す。また、「時間」は特別図柄の変動時間（識別情報の可変表示期間）を示す。
【００９４】
なお、「通常変動」とは、リーチ態様を伴わない変動パターンである。「ノーマルリーチ」とは、リーチ態様を伴うが変動結果（停止図柄）が大当りを生じさせるものとならない変動パターンである。「リーチＡ」は、「ノーマルリーチ」とは異なるリーチ態様を持つ変動パターンである。また、リーチ態様が異なるとは、リーチ変動時間において異なった態様の変動態様（速度や回転方向等）やキャラクタ等が現れることをいう。例えば、「ノーマル」では単に１種類の変動態様によってリーチ態様が実現されるのに対して、「リーチＡ」では、変動速度や変動方向が異なる複数の変動態様を含むリーチ態様が実現される。
【００９５】
また、「リーチＢ」は、「ノーマルリーチ」および「リーチＡ」とは異なるリーチ態様を持つ変動パターンである。そして、「リーチＣ」は、「ノーマルリーチ」、「リーチＡ」および「リーチＢ」とは異なり、動画像によるリーチ態様を持つ変動パターンである。なお、「リーチＡ」、「リーチＢ」および「リーチＣ」では、大当りとなる場合と大当りとならない場合とがある。
【００９６】
この実施の形態では、さらに、短縮表示パターンが用いられる。短縮表示パターンは、左中右の図柄の変動時間が例えば１．０秒という極めて短い変動パターンである。
【００９７】
なお、この実施の形態では、高確率時（確変中）でも低確率時（非確変中＝通常状態）でも変動パターン１〜１４の変動パターンが用いられるが、高確率時には変動パターン１〜１４のそれぞれの変動時間を短くするようにしてもよい。また、高確率時に用いられる変動パターン群（使用されうる複数の変動パターン）と低確率時に用いられる変動パターン群とを別にしてもよい。
【００９８】
図１２は始動口スイッチ通過処理（ステップＳ３１２）を示すフローチャートである。始動口スイッチ通過処理において、ＣＰＵ５６は、始動入賞記憶数が最大値である４に達しているかどうか確認する（ステップＳ１１１）。始動入賞記憶数が４に達していなければ、始動入賞記憶数を１増やし（ステップＳ１１２）、大当り判定用乱数等の各乱数の値を抽出し、それらを始動入賞記憶数の値に対応した保存領域（特別図柄判定用バッファ）に格納する（ステップＳ１１３）。なお、乱数を抽出するとは、乱数を生成させるためのカウンタからカウント値を読み出して、読み出したカウント値を乱数値とすることである。ステップＳ１１４では、図９に示された乱数のうち、ランダム１〜ランダム５が抽出される。そして、入賞時演出設定処理を実行する（ステップＳ１１５）。
【００９９】
図１３は、入賞時演出設定処理を示すフローチャートである。入賞時演出処理において、ＣＰＵ５６は、まず、始動入賞があったことを示す入賞ありフラグをセットする（ステップＳ１２１）。入賞ありフラグは、特別図柄プロセス処理の終了後に実行される記憶処理（ステップＳ３１）で参照される。次いで、ＣＰＵ５６は、ランダム１（大当り判定用乱数）を生成するためのカウンタからランダム１を抽出し（ステップＳ１２２）、大当り判定モジュールを実行する。すなわち、大当り判定サブルーチンをコールする（ステップＳ１２３）。大当り判定モジュールにおいてランダム１の値にもとづいて大当りとなると判定された場合には（ステップＳ１２４）、確変大当りとなるか否か判定する（ステップＳ１２５）。
【０１００】
この実施の形態では、左中右の特別図柄は、それぞれ、「０」〜「１１」の１２通りあって、可変表示装置９において「０」から順に特別図柄の表示が変化することによって特別図柄の変動が実現される。なお、特別図柄の変動中において、表示図柄の表示は非連続的に変化してもよい。また、特別図柄の最終停止図柄（確定図柄）が左中右揃った場合に大当りとなり、左右が揃った場合にリーチとなる。そして、大当りとなる場合において、奇数図柄で揃ったときには、大当り遊技終了後に高確率状態に移行する。また、高確率状態において、大当りが発生すると、または、所定回の特別図柄の変動が行われると高確率状態は終了し低確率状態に戻る。
【０１０１】
従って、ステップＳ１２４では、ＣＰＵ５６は、ランダム３（大当り図柄決定用乱数）を抽出し、抽出した乱数にもとづいて大当り図柄を判定し、判定結果が異数図柄であれば確変大当りとなると判定する。確変大当りとならないと判定した場合には、非特定大当り入賞指定コマンドを示すデータを入賞コマンドとしてＲＡＭ５５にセットする（ステップＳ１２６）。確変大当りとなると判定した場合には、特定大当り入賞指定コマンドを示すデータを入賞コマンドとしてＲＡＭ５５にセットする（ステップＳ１２７）。
【０１０２】
ステップＳ１２４において大当りとしないと判定された場合には、ランダム５（リーチ判定用乱数）を生成するためのカウンタからランダム５を抽出し（ステップＳ１３１）、リーチ判定モジュールを実行する。すなわち、リーチ判定サブルーチンをコールする（ステップＳ１３２）。リーチ判定モジュールにおいてランダム５の値にもとづいてリーチとなると判定された場合には（ステップＳ１３３）、リーチ入賞指定コマンドを示すデータを入賞コマンドとしてＲＡＭ５５にセットする（ステップＳ１３４）。リーチとならないと判定された場合には、はずれ入賞指定コマンドを示すデータを入賞コマンドとしてＲＡＭ５５にセットする（ステップＳ１３５）。
【０１０３】
そして、ＲＡＭ５５に入賞コマンドとしてセットされたデータを、ＲＡＭ５５の入賞時演出用バッファとして定められている領域に格納する（ステップＳ１３６）。なお、入賞時演出用バッファに格納されたデータは、特別図柄プロセス処理の終了後に実行される記憶処理（ステップＳ３１）で参照される。
【０１０４】
図１４（Ａ）は、大当り判定モジュールで用いられる大当り判定テーブルの一例を示す説明図である。また、図１４（Ｂ）は、リーチ判定モジュールで用いられるリーチ判定テーブルの一例を示す説明図である。図１４（Ａ）に示すように、この実施の形態では、低確率時（非確変時）では大当り判定値は「３」であり、高確率時（確変時）では大当り判定値は「３」、「７」、「７９」、「１０３」、「１０７」である。また、図１４（Ｂ）に示すように、低確率時（非確変時）ではリーチ判定値は「０」、「１」、「１１」であり、高確率時ではリーチ判定値は「０」、「１」、「９」、「１１」、「１２」である。
【０１０５】
図１５は、大当り判定モジュールを示すフローチャートである。大当り判定処理において、ＣＰＵ５６は、まず、そのときの状態が確変中であるか否か判定し（ステップＳ１４１）、確変中であれば、図１４（Ａ）に示された大当り判定テーブル中の高確率時のテーブルを使用することに決定する（ステップＳ１４２）。確変中でなければ、大当り判定テーブル中の低確率時のテーブルを使用することに決定する（ステップＳ１４３）。
【０１０６】
そして、抽出されているランダム１の値に一致する値が大当り判定テーブル中にあるか否か判定し（ステップＳ１４４，Ｓ１４５）、一致する値があれば大当りとすることにし（ステップＳ１４６）、一致する値がなければ大当りとしないことに決定する（ステップＳ１４７）。
【０１０７】
図１６は、リーチ判定モジュールを示すフローチャートである。リーチ判定処理において、ＣＰＵ５６は、まず、そのときの状態が確変中であるか否か判定し（ステップＳ１５１）、確変中であれば、図１４（Ｂ）に示されたリーチ判定テーブル中の高確率時のテーブルを使用することに決定する（ステップＳ１５２）。確変中でなければ、リーチ判定テーブル中の低確率時のテーブルを使用することに決定する（ステップＳ１５２）。
【０１０８】
そして、抽出されているランダム５の値に一致する値がリーチ判定テーブル中にあるか否か判定し（ステップＳ１５４，Ｓ１５５）、一致する値があればリーチすることにし（ステップＳ１５６）、一致する値がなければリーチしないことに決定する（ステップＳ１５７）。
【０１０９】
図１７は、特別図柄プロセス処理における特別図柄通常処理（ステップＳ３００）を示すフローチャートである。特別図柄通常処理において、ＣＰＵ５６は、特別図柄の変動を開始することができる状態（例えば特別図柄プロセスフラグの値がステップＳ３００を示す値となっている場合）には（ステップＳ５１）、始動入賞記憶数の値を確認する（ステップＳ５２）。具体的には、始動入賞カウンタのカウント値を確認する。なお、特別図柄プロセスフラグの値がステップＳ３００を示す値となっている場合とは、可変表示装置９において図柄の変動がなされていず、かつ、大当り遊技中でもない場合である。
【０１１０】
始動入賞記憶数が０でなければ、始動入賞記憶数＝１に対応する保存領域に格納されている各乱数値を読み出してＲＡＭ５５の乱数バッファ領域に格納するとともに（ステップＳ５３）、始動入賞記憶数の値を１減らし、かつ、各保存領域の内容をシフトする（ステップＳ５４）。すなわち、始動入賞記憶数＝ｎ（ｎ＝２，３，４）に対応する保存領域に格納されている各乱数値を、始動入賞記憶数＝ｎ−１に対応する保存領域に格納する。
【０１１１】
次いで、ＣＰＵ５６は、乱数格納バッファから大当り判定用乱数を読み出し（ステップＳ５５）、大当り判定モジュールを実行する（ステップＳ５６）。大当りとすることに決定した場合には（ステップＳ５７）、ＣＰＵ５６は、大当りフラグをセットする（ステップＳ５８）。そして、特別図柄プロセスフラグの値を特別図柄停止図柄設定処理に対応した値に更新する（ステップＳ５９）。
【０１１２】
図１８は、特別図柄プロセス処理における特別図柄停止図柄設定処理（ステップＳ３０１）を示すフローチャートである。特別図柄停止図柄設定処理において、ＣＰＵ５６は、大当りフラグがセットされているか否か確認する（ステップＳ６１）。大当りフラグがセットされている場合には、大当り図柄用乱数（ランダム３）の値（ステップＳ５３において読み出したランダム３）に従って大当り図柄を決定する（ステップＳ６２）。この実施の形態では、ランダム３の値に応じた大当り図柄テーブルに設定されている図柄番号の各図柄が、大当り図柄として決定される。大当り図柄テーブルには、複数種類の大当り図柄の組み合わせのそれぞれに対応した左中右の図柄番号が設定されている。そして、特別図柄プロセスフラグの値を変動パターン設定処理に対応した値に更新する（ステップＳ６３）。
【０１１３】
大当りフラグがセットされていない場合には、ＣＰＵ５６は、リーチ判定モジュールを実行する（ステップＳ６５）。ここでは、リーチ判定モジュールにおいて、ステップＳ５３で保存領域から読み出したランダム３の値すなわち乱数値バッファに格納されている値にもとづいてリーチとするか否かの決定が行われる（ステップＳ６４）。また、ランダム２−１の値に従って左右図柄を決定し、ランダム２−２の値に従って中図柄を決定する（ステップＳ６７）。ここで、決定された中図柄が左右図柄と一致した場合には、中図柄に対応した乱数の値に１加算した値に対応する図柄を中図柄の停止図柄として、大当り図柄と一致しないようにする。そして、ステップＳ６３に移行する。
【０１１４】
ステップＳ６６においてリーチしないことに決定された場合には、はずれの場合の停止図柄の決定を行う（ステップＳ６８）。具体的には、ステップＳ５３で読み出した値、すなわち抽出されているランダム２−１の値に従って左図柄を決定し、ランダム２−２の値に従って中図柄を決定するとともに、ランダム２−３の値に従って右図柄を決定する。なお、ここでは、左右図柄が一致した場合には右図柄を１図柄ずらし、リーチにもならないはずれとなるようにする。そして、ステップＳ６３に移行する。なお、ステップＳ６２において確変図柄が決定された場合には、大当り遊技の終了後に確変状態に移行することを示す確変フラグがセットされる。
【０１１５】
図１９（Ａ）は、リーチ演出の判定処理（ステップＳ７２，ステップＳ７５参照）で用いられるリーチ演出判定テーブルの一例を示す説明図である。図１９（Ａ）に示すように、この実施の形態では、リーチ演出の内容を選択する際に、リーチ後にはずれとなるはずれ時では、１００／１５０の確率で「ノーマルリーチ」、３０／１５０の確率で「リーチＡ」、１５／１５０の確率で「リーチＢ」、５／１５０の確率で「リーチＣ」が選択される。また、大当り時では、３０／１５０の確率で「ノーマルリーチ」、２０／１５０の確率で「リーチＡ」、３０／１５０の確率で「リーチＢ」、７０／１５０の確率で「リーチＣ」が選択される。具体的には、リーチ演出判定テーブルには、図１９（Ａ）に示すような確率で各リーチ演出が選択されるように、乱数（この実施の形態では変動パターン決定用乱数が用いられる）の抽出値と比較される各比較値が設定されている。
【０１１６】
図１９（Ｂ）は、各リーチが出現したときの大当り信頼度（大当りとなる確率）を示す説明図である。なお、図１９（Ｂ）に示す大当り信頼度は、各可変表示における大当りとなる確率を示す大当り確率が１／３００であり、リーチ演出が出現する確率を示すリーチ出現率（ここでは結果としてはずれとなるリーチ演出の出現率であるとする）が１／１０であるとして算出されたものである。図１９（Ｂ）に示すように、ノーマルリーチが出現したあとの可変表示結果が大当り表示結果となる確率は１／１０１であり、リーチＡが出現したあとの可変表示結果が大当り表示結果となる確率は２／９２であり、リーチＢが出現したあとの可変表示結果が大当り表示結果となる確率は１／１６であり、リーチＣが出現したあとの可変表示結果が大当り表示結果となる確率は７／２２である。すなわち、本例では、ノーマルリーチ、リーチＡ、リーチＢ、リーチＣの順番で、徐々に大当り信頼度が高くなっている。従って、動画再生による動画像を含むリーチ演出（リーチＣ：図６４参照）が出現したときは、動画再生による動画像を含まない各リーチ演出（ノーマルリーチ、リーチＡ、リーチＢ：図６４参照）が出現したときと比較して、最も高確率で大当りが発生することになる。
【０１１７】
図２０は、特別図柄プロセス処理における変動パターン設定処理（ステップＳ３０２）を示すフローチャートである。変動パターン設定処理において、ＣＰＵ５６は、大当りフラグがセットされているか否か確認する（ステップＳ７１）。大当りフラグがセットされている場合には、大当り時リーチ演出判定テーブル（図１９に示されている下段のテーブル）を用いて、変動パターン決定用乱数（ランダム４）の値（ステップＳ５３において読み出したランダム４）に従ってリーチ態様を決定する（ステップＳ７２）。この実施の形態では、大当り時リーチ演出判定テーブルにおいて、ランダム４の値と同じ値の比較値が設定されているリーチ態様が、演出にて用いられるリーチ態様に決定される。そして、決定されたリーチ態様に応じた変動パターンとすることに決定する（ステップＳ７３）。すなわち、ステップＳ７２にて決定されたリーチ態様のリーチ演出を含む演出態様を指定する変動パターン（変動パターン１１〜１４の何れか）を、可変表示演出にて出現させる変動パターンとして決定する。そして、ステップＳ７８に移行する。
【０１１８】
大当りフラグがセットされていない場合には、ＣＰＵ５６は、リーチとすることに決定されているか否か確認する（ステップＳ７４）。この確認は、例えば、既に決定されている左右図柄が同一図柄であるか否かを確認することで実行される。リーチとすることに決定されていた場合には、はずれ時リーチ演出判定テーブル（図１９に示されている上段のテーブル）を用いて、変動パターン決定用乱数（ランダム４）の値（ステップＳ５３において読み出したランダム４）に従ってリーチ態様を決定する（ステップＳ７５）。この実施の形態では、はずれ時リーチ演出判定テーブルにおいて、ランダム４の値と同じ値の比較値が設定されているリーチ態様が、演出にて用いられるリーチ態様に決定される。そして、既に決定されている停止図柄と、決定されたリーチ態様とに応じた変動パターンとすることに決定する（ステップＳ７６）。すなわち、ステップＳ７２にて決定されたリーチ態様のリーチ演出であって、既に決定されている停止図柄に合致する演出態様を指定する変動パターン（変動パターン２〜１０の何れか）を、可変表示演出にて出現させる変動パターンとして決定する。例えば、ステップＳ７２にてリーチＣとすることに決定され、左中右図柄が「７」、「８」、「７」である場合には、変動パターン９とすることに決定される。そして、ステップＳ７８に移行する。
【０１１９】
ステップＳ７４においてリーチとすることに決定されていないことが確認された場合には、ＣＰＵ５６は、変動パターン１または変動パターン１５とすることに決定する（ステップＳ７７）。この実施の形態では、高確率状態であるときには変動パターン１５とすることに決定され、低確率状態であるときには変動パターン１とすることに決定される。そして、ステップＳ７８に移行する。
【０１２０】
ステップＳ７３、ステップＳ７６またはステップＳ７７にて変動パターンを決定すると、ＣＰＵ５６は、決定した変動パターン指定のコマンド送信テーブルのアドレスをポインタにセットし（ステップＳ７８）、サブルーチンであるコマンドセット処理を実行する（ステップＳ７９）。そして、特別図柄プロセスフラグの値を特別図柄変動処理に対応した値に更新する（ステップＳ８０）。
【０１２１】
図２１は、２ｍｓタイマ割込処理における記憶処理（ステップ３１）を示すフローチャートである。記憶処理において、ＣＰＵ５６は、始動入賞記憶カウンタのカウント値が前回始動入賞記憶カウンタのカウント値と同じであるか否か確認する（ステップＳ１６１）。同じでなければ、すなわち始動入賞記憶数に変化が生じていれば、始動入賞記憶数に応じた始動入賞記憶指定のコマンド送信テーブルのアドレスをポインタにセットし（ステップＳ１６２）、サブルーチンであるコマンドセット処理を実行する（ステップＳ１６３）。そして、始動入賞記憶カウンタのカウント値を、前回始動入賞記憶カウンタに設定しておく（ステップＳ１６４）。
【０１２２】
コマンドセット処理を実行することによって演出制御コマンドが演出制御基板１００に送信される。この実施の形態では、演出制御手段に送信されうる各演出制御コマンドはＲＯＭのコマンド送信テーブルに格納されている。また、コマンドセット処理では、ＣＰＵ５６は、ポインタが示すＲＯＭ５４のアドレスに格納されている演出制御コマンドデータを、演出制御コマンドデータを出力するための出力ポートに設定するとともに、コマンドを送信することを示す演出制御ＩＮＴ信号を出力する。
【０１２３】
また、入賞ありフラグがセットされている場合には（ステップＳ１６５）、入賞時演出用バッファに格納されている入賞コマンドに応じたデータに対応した入賞コマンド送信テーブルのアドレスをポインタにセットし（ステップＳ１６６）、サブルーチンであるコマンドセット処理を実行する（ステップＳ１６７）。
【０１２４】
以上の処理によって、始動入賞記憶数が変化したときには、演出制御基板１００に搭載されている演出制御手段に対して、始動入賞記憶数指定の演出制御コマンドが送信される（ステップＳ１６１〜Ｓ１６３）。また、始動入賞記憶数が増加したときには、特定大当り入賞指定、非特定大当り入賞指定、リーチ入賞指定またははずれ入賞指定の演出制御コマンドが送信される（図１２に示されたステップＳ１１２，Ｓ１１５、図１３、および図２１に示されたステップＳ１６６，Ｓ１６７参照）。なお、この実施の形態では、大当りではない場合には、リーチ入賞指定またははずれ入賞指定の表示制御コマンドが送信されるが、大当りではない場合には常にはずれ入賞指定の表示制御コマンドが送信されるようにしてもよい。以下、特定大当り入賞指定、非特定大当り入賞指定、リーチ入賞指定およびはずれ入賞指定の演出制御コマンドを、入賞時判定結果コマンドまたは判定結果コマンドということがある。
【０１２５】
なお、始動入賞が発生した時点で判定される大当りおよびリーチ（ステップＳ１２３，Ｓ１３２参照）は、可変表示装置９における可変表示開始を開始させるための条件（実行条件であって開始条件ではない）の成立にもとづいて決定されたものである。可変表示装置９において可変表示を開始できる条件（開始条件）が成立したときには、あらためて、大当りとするか否か、またはずれリーチとするか否かが決定される（ステップＳ５６，Ｓ６５参照）。そして、その決定結果にもとづいて実際の可変表示の表示結果が導出される（ステップＳ６２，Ｓ６７，Ｓ６８参照）。ただし、可変表示の開始条件が成立したときに用いられる乱数値は、可変表示の実行条件が成立したときに抽出され保存領域に保存された値である。従って、可変表示の開始条件が成立したときの確変大当りとするか否かと、非確変大当りとするか否かと、はずれリーチとするか否かの決定結果は、可変表示の実行条件が成立したときの決定結果と同じになる。
【０１２６】
なぜなら、可変表示の開始条件が成立したときに用いられる所定の数値データを抽出する処理であるステップＳ１１３の処理と、可変表示の実行条件成立時の判定に相当する入賞時演出設定処理とは１回のタイマ割込処理内で完了し、その間変化しないからである。
【０１２７】
また、遊技制御手段は、保留記憶数コマンドとしての始動入賞記憶数指定コマンドを判定結果コマンドよりも先に送信する（記憶処理においてステップＳ１６２，Ｓ１６３の処理をステップＳ１６６，Ｓ１６７の処理よりも先に実行）。よって、演出制御手段は、最新の保留記憶数にもとづいて連続予告に関する決定を行うことができる。
【０１２８】
次に、遊技制御手段から演出制御手段に対する制御コマンドの送出方式について説明する。図２２は、主基板３１から演出制御基板１００に送信される演出制御コマンドの信号線を示す説明図である。図２２に示すように、この実施の形態では、演出制御コマンドは、演出制御信号Ｄ０〜Ｄ７の８本の信号線で主基板３１から演出制御基板１００に送信される。また、主基板３１と演出制御基板１００との間には、ストローブ信号（演出制御ＩＮＴ信号）を送信するための演出制御ＩＮＴ信号の信号線も配線されている。なお、図２２には、演出制御コマンドの例が示されているが、他の電気部品制御基板（この実施の形態では払出制御手段）への制御コマンドも、８本の信号線と１本のＩＮＴ信号の信号線によって送信される。
【０１２９】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」とされ、ＥＸＴデータの先頭ビット（ビット７）は必ず「０」とされる。なお、そのようなコマンド形態は一例であって他のコマンド形態を用いてもよい。例えば、１バイトや３バイト以上で構成される制御コマンドを用いてもよい。
【０１３０】
図２３に示すように、演出制御コマンドの８ビットの演出制御コマンドデータは、演出制御ＩＮＴ信号に同期して出力される。演出制御基板１００に搭載されている演出制御手段は、演出制御ＩＮＴ信号が立ち上がったことを検知して、割込処理によって１バイトのデータの取り込み処理を開始する。従って、演出制御手段から見ると、演出制御ＩＮＴ信号は、演出制御コマンドデータの取り込みの契機となる取込信号に相当する。
【０１３１】
演出制御コマンドは、演出制御手段が認識可能に１回だけ送出される。認識可能とは、この例では、演出制御ＩＮＴ信号のレベルが変化することであり、認識可能に１回だけ送出されるとは、例えば演出制御コマンドデータの１バイト目および２バイト目のそれぞれに応じて演出制御ＩＮＴ信号が１回だけパルス状（矩形波状）に出力されることである。なお、演出制御ＩＮＴ信号は図２３に示された極性と逆極性であってもよい。
【０１３２】
図２４は、演出制御基板１００に送出される演出制御コマンドの内容の一例を示す説明図である。図２４に示す例において、コマンド８０００（Ｈ）〜８００Ｅ（Ｈ）は、特別図柄を可変表示する可変表示装置９における特別図柄の変動パターンを指定する演出制御コマンドである。なお、変動パターンを指定するコマンド（変動パターンコマンド）は変動開始指示も兼ねている。また、コマンド８００Ｅ（Ｈ）は、短縮表示パターンを指定するコマンドである。
【０１３３】
コマンド８８ＸＸ（Ｈ）（Ｘ＝４ビットの任意の値）は、普通図柄の変動パターンに関する演出制御コマンドである。コマンド８９ＸＸ（Ｈ）は、普通図柄の停止図柄を指定する演出制御コマンドである。コマンド８Ａ００（Ｈ）は、普通図柄の可変表示の停止を指示する演出制御コマンドである。
【０１３４】
コマンド９１ＸＸ（Ｈ）、９２ＸＸ（Ｈ）および９３ＸＸ（Ｈ）は、特別図柄の左中右の停止図柄を指定する演出制御コマンドである。「ＸＸ」には図柄番号が設定される。また、コマンドＡ０００（Ｈ）は、特別図柄の可変表示の停止を指示する演出制御コマンドである。コマンドＢＸＸＸ（Ｈ）は、大当り遊技開始から大当り遊技終了までの間に送出される演出制御コマンドである。そして、コマンドＣ０００（Ｈ）〜ＥＸＸＸ（Ｈ）は、特別図柄の変動および大当り遊技に関わらない可変表示装置９の表示状態に関する演出制御コマンドである。
【０１３５】
コマンドＣ３ＸＸ（Ｈ）は、始動入賞が生じたときに送信される判定結果コマンドである。Ｃ３００（Ｈ）ははずれ入賞指定の演出制御コマンド（はずれ入賞指定コマンド）であり、Ｃ３０１（Ｈ）はリーチ入賞指定の演出制御コマンド（リーチ入賞指定コマンド）であり、Ｃ３０２（Ｈ）は非特定大当り入賞指定の演出制御コマンド（非特定大当り入賞指定コマンド）であり、Ｃ３０３（Ｈ）は特定大当り入賞指定の演出制御コマンド（特定大当り入賞指定コマンド）である。また、コマンドＤ０００（Ｈ）は、客待ちデモンストレーションを指定する演出制御コマンドである。
【０１３６】
コマンドＥ０ＸＸ（Ｈ）は、可変表示装置９における始動入賞記憶数を表示する表示エリアにおいて、表示色を変化させる始動記憶表示エリア１８の個数を示す演出制御コマンドである。例えば、演出制御手段は、各始動記憶表示エリア１８のうち「ＸＸ（Ｈ）」で指定される個数の始動記憶表示エリア１８の表示色を変化させる。すなわち、コマンドＥ０ＸＸ（Ｈ）は、保留個数という情報を報知するために設けられている表示エリアの制御を指示するコマンドである。なお、表示色を変化させる始動記憶表示エリア１８の個数に関するコマンドが、表示色を変化させるエリアの個数の増減を示すように構成されていてもよい。また、この実施の形態では、始動入賞記憶の上限値は４であるから、「ＸＸ」は０〜４のいずれかである。
【０１３７】
また、コマンドＥ４００（Ｈ）は、高確率状態から低確率状態になったときに送信されるコマンドであり、コマンドＥ４０１（Ｈ）は、低確率状態から高確率状態になったときに送信されるコマンドである。
【０１３８】
演出制御基板１００の演出制御手段は、主基板３１の遊技制御手段から上述した演出制御コマンドを受信すると図２４に示された内容に応じて可変表示装置９および普通図柄表示器１０の表示状態を変更するとともに、ランプ・ＬＥＤの表示状態を変更し、必要ならば音声出力基板７０に対して音番号データを出力する。なお、図２４に示された例以外の制御コマンドも遊技制御手段から演出制御手段に送信される。例えば、賞球ランプ５１や球切れランプ５２の表示状態、および普通図柄始動記憶表示器４１の点灯個数を示す制御コマンド等や、大当り遊技に関するより詳細な演出制御コマンドも遊技制御手段から演出制御手段に送信される。
【０１３９】
可変表示の開始を示す可変表示開始指定コマンドおよび可変表示態様を特定可能な可変表示態様指定コマンドは、変動パターン指定の演出制御コマンドで実現され、識別情報の表示結果を特定可能な識別情報指定コマンドは、左図柄指定、中図柄指定、右図柄指定の演出制御コマンドで実現され、可変表示の終了を示す可変表示終了指定コマンドは、特別図柄停止の演出制御コマンドで実現されている。また、この実施の形態では、変動パターン指定の演出制御コマンドが可変表示の開始を示す可変表示開始指定コマンドおよび可変表示態様を特定可能な可変表示態様指定コマンドとして兼用されているが、可変表示開始指定コマンドと可変表示態様を特定可能な可変表示態様指定コマンドとを別にしてもよい。
【０１４０】
図２５は、遊技機に設けられている可変表示装置９を用いて実行される予告演出（大当りとなる可能性があること、またはリーチとなる可能性があることを報知するための演出）の例を示す説明図である。図２５（Ａ）〜（Ｂ）に例示するように、この実施の形態では、可変表示装置９において、背景（図柄表示エリア以外の部分）に現れるキャラクタ等の表示による２種類の予告演出を行うことが可能である。図２５（Ａ）に示す予告Ａおよび図２５（Ｂ）に示す予告Ｂは、連続予告（保留予告：始動入賞発生時に実行される大当りとするか否かの抽選の結果にもとづいて、以後の複数回の特別図柄の可変表示において始動入賞記憶数を上限として連続的に実行される予告演出、但し、複数回の可変表示において連続的でなく間欠的であってもよい）以外の予告演出である。
【０１４１】
また、図２６（Ａ）〜（Ｄ）に示すような可変表示装置９を用いた４種類の連続予告の演出（［表示態様Ａ］，［表示態様Ｂ］，［表示態様Ｃ］，［表示態様Ｄ］）を行うことが可能である。すなわち、図２６（Ａ）〜（Ｄ）に示す連続予告演出は、演出手段としての可変表示装置９を用いた連続予告の演出態様である。
【０１４２】
なお、図示はしないが、本例では、発光体を用いた４種類の連続予告演出（［発光体態様Ａ］，［発光体態様Ｂ］，［発光体態様Ｃ］，［発光体態様Ｄ］）を行うことが可能である。この連続予告演出は、演出手段としての発光体（ランプ・ＬＥＤ）を用いた連続予告の演出態様である。［発光体態様Ａ］，［発光体態様Ｂ］，［発光体態様Ｃ］，［発光体態様Ｄ］は、例えば、発光体の点滅パターンが互いに異なっている。
【０１４３】
また、図示はしないが、本例では、スピーカ２７を用いた４種類の連続予告演出（［音態様Ａ］，［音態様Ｂ］，［音態様Ｃ］，［音態様Ｄ］）を行うことが可能である。この連続予告演出は、演出手段としてのスピーカ２７を用いた連続予告の演出態様である。［音態様Ａ］，［音態様Ｂ］，［音態様Ｃ］，［音態様Ｄ］は、例えば、スピーカ２７からの音出力パターンが互いに異なっている。
【０１４４】
なお、図２５，図２６等の上述した予告演出の例は一例であって、より多くの種類の予告演出を行うようにしてもよい。なお、より多くの種類の連続予告演出を行う場合でも、いずれの演出手段を用いて連続予告を行うのかと、いずれの演出態様によって連続予告を行うのかとは、演出制御手段が、判定結果コマンドと始動入賞記憶数指定の演出制御コマンドの受信にもとづいて独自に決定する。
【０１４５】
次に、演出制御手段の動作を説明する。図２７は、演出制御用ＣＰＵ１０１が実行するメイン処理を示すフローチャートである。メイン処理では、まず、ＲＡＭ領域のクリアや各種初期値の設定、また演出制御の起動間隔を決めるための２ｍｓタイマの初期設定等を行うための初期化処理が行われる（ステップＳ７０１）。その後、演出制御用ＣＰＵ１０１は、タイマ割込フラグの監視（ステップＳ７０２）の確認を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし（ステップＳ７０３）、以下の演出制御処理を実行する。
【０１４６】
この実施の形態では、タイマ割込は２ｍｓ毎にかかる。すなわち、演出制御処理は、２ｍｓ毎に起動される。また、この実施の形態では、タイマ割込処理ではフラグセットのみがなされ、具体的な演出制御処理はメイン処理において実行されるが、タイマ割込処理で演出制御処理を実行してもよい。
【０１４７】
演出制御処理において、演出制御用ＣＰＵ１０１は、まず、受信した演出制御コマンドを解析する（コマンド解析実行処理：ステップＳ７０４）。次いで演出制御用ＣＰＵ１０１は、演出制御プロセス処理を行う（ステップＳ７０５）。演出制御プロセス処理では、制御状態に応じた各プロセスのうち、現在の制御状態に対応したプロセスを選択して実行する。そして、予告乱数カウンタを更新する処理を実行する（ステップＳ７０６）。
【０１４８】
そして、演出制御用ＣＰＵ１０１は、所定の表示態様選択受付タイミングとなっている場合には、可変表示装置９に後述する表示態様選択画面（図６２参照）を表示させ、表示態様の選択を受け付けるための表示態様選択受付処理を行う（ステップＳ７０７）。このステップＳ７０７での受付時に、人体センサからの信号入力があった場合には、演出制御用ＣＰＵ１０１は、入力信号に応じて演出における表示態様の設定を変更しておく。なお、表示態様の設定を変更した場合には、演出制御用ＣＰＵ１０１は、該当する演出が終了したあと、表示態様の設定を通常設定に戻す。表示態様選択受付タイミングは、例えば表示態様が複数用意されている演出を実行する前の所定のタイミングとされ、具体的には動画像によるリーチ演出を実行する前などが当該する。その後、ステップＳ７０２のタイマ割込みフラグの確認を行う処理に戻る。
【０１４９】
なお、この実施の形態では、４つの予告乱数カウンタがあり、予告乱数カウンタ１のカウント値は、連続予告を行わない場合に、予告ＡまたはＢの予告演出（図２５参照）を行うか否かと、いずれの予告演出を行うのかを決定するために用いられる。予告乱数カウンタ２のカウント値は、連続予告を行うか否かと、連続予告を行う場合の連続回数（何回の可変表示に亘って連続予告を行うのか）とを決定するために用いられる。予告乱数カウンタ３のカウント値は、いずれの演出手段（１つまたは複数）を用いて連続予告を行うのかを決定するために用いられる。予告乱数カウンタ４のカウント値は、いずれの演出態様で連続予告を行うのかを決定するために用いられる。
【０１５０】
次に、主基板３１からの演出制御コマンド受信処理について説明する。図２８は、主基板３１から受信した演出制御コマンドを格納するためのコマンド受信バッファの一構成例を示す説明図である。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよく、例えば、図柄指定コマンド格納領域を３個（２×３＝６バイトのコマンド受信バッファ）、それ以外の変動パターン指定などのコマンド格納領域を１個（２×１＝２バイトのコマンド受信バッファ）のようなバッファ構成としてもよい。音声制御手段や、ランプ制御手段においても同様に、リングバッファ形式でないバッファ形式としてもよい。
【０１５１】
主基板３１からの演出制御用のＩＮＴ信号は演出制御用ＣＰＵ１０１の割込端子に入力されている。例えば、主基板３１からのＩＮＴ信号がオン状態になると、演出制御用ＣＰＵ１０１において割込がかかる。そして、演出制御用ＣＰＵ１０１は、割込処理において演出制御コマンドの受信処理を実行する。演出制御コマンドの受信処理において、演出制御用ＣＰＵ１０１は、受信した演出制御コマンドデータを、コマンド受信個数カウンタが示す受信コマンドバッファに格納する。
【０１５２】
図２９および図３０は、コマンド解析処理（ステップＳ７０４）の具体例を示すフローチャートである。主基板３１から受信された演出制御コマンドは受信コマンドバッファに格納されるが、コマンド解析処理では、演出制御用ＣＰＵ１０１は、コマンド受信バッファに格納されているコマンドの内容を確認する。
【０１５３】
コマンド解析処理において、演出制御用ＣＰＵ１０１は、まず、コマンド受信バッファに受信コマンドが格納されているか否か確認する（ステップＳ６１１）。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、演出制御用ＣＰＵ１０１は、コマンド受信バッファから受信コマンドを読み出す（ステップＳ６１２）。なお、読み出したら読出ポインタの値を＋１しておく。
【０１５４】
受信した演出制御コマンドが特別図柄左指定の演出制御コマンド（９１ＸＸ（Ｈ））であれば（ステップＳ６１３）、演出制御用ＣＰＵ１０１は、「ＸＸ」で示される左図柄を示すデータを、ＲＡＭにおける左図柄格納領域に格納する（ステップＳ６１４）。また、特別図柄中指定の演出制御コマンド（９２ＸＸ（Ｈ））であれば（ステップＳ６１６）、演出制御用ＣＰＵ１０１は、「ＸＸ」で示される中図柄を示すデータを、ＲＡＭにおける中図柄格納領域に格納する（ステップＳ６１７）。そして、特別図柄右指定の演出制御コマンド（９３ＸＸ（Ｈ））であれば（ステップＳ６１８）、演出制御用ＣＰＵ１０１は、「ＸＸ」で示される右図柄を示すデータを、ＲＡＭにおける右図柄格納領域に格納する（ステップＳ６１９）。
【０１５５】
また、受信した演出制御コマンドが変動パターン指定の演出制御コマンドであれば（ステップＳ６２１）、演出制御用ＣＰＵ１０１は、そのコマンドのＥＸＴデータを変動パターンデータ格納領域に格納し（ステップＳ６２２）、変動パターン受信フラグをセットする（ステップＳ６２３）。
【０１５６】
受信した演出制御コマンドが始動入賞記憶数指定の演出制御コマンドであれば（ステップＳ６３１）、演出制御用ＣＰＵ１０１は、ＲＡＭにおける始動入賞数記憶領域の始動入賞記憶数を演出制御コマンドで指定された数に更新する（ステップＳ６３２）。また、可変表示装置９において表示色が変化する始動記憶表示エリア１８の数を更新する（ステップＳ６３３）。さらに、予告乱数カウンタ（予告乱数カウンタ１〜４）の値を＋１する（ステップＳ６３４）。なお、予告乱数カウンタのカウント値が最大値を越えたら、その値を０に戻す。また、予告乱数カウンタ１〜４の歩進がなるべく同期しないように、例えば、予告乱数カウンタｎ（ｎ＝１〜３）のカウント値が０に戻されるときに、予告乱数カウンタｎ＋１のカウント値を＋１するようにしてもよい。
【０１５７】
また、受信した演出制御コマンドがはずれ入賞指定の演出制御コマンドであれば（ステップＳ６３５）、演出制御用ＣＰＵ１０１は、予告乱数カウンタの値を＋１するとともに（ステップＳ６３６）、予告乱数カウンタのカウント値を読み出すことによって予告乱数（予告乱数カウンタ１〜４のカウント値である予告乱数１〜４）を抽出し（ステップＳ６３７）、連続予告の判定を行う（ステップＳ６３８）。受信した演出制御コマンドがリーチ入賞指定の演出制御コマンドである場合にも（ステップＳ６３９）、予告乱数カウンタの値を＋１するとともに（ステップＳ６４０）、予告乱数を抽出し（ステップＳ６４１）、連続予告の判定を行う（ステップＳ６４２）。
【０１５８】
また、受信した演出制御コマンドが非特定大当り入賞指定の演出制御コマンドである場合にも（ステップＳ６５１）、予告乱数カウンタの値を＋１するとともに（ステップＳ６５２）、予告乱数を抽出し（ステップＳ６５３）、連続予告の判定を行う（ステップＳ６５４）。さらに、受信した演出制御コマンドが特定大当り入賞指定の演出制御コマンドである場合にも（ステップＳ６５５）、予告乱数カウンタの値を＋１するとともに（ステップＳ６５６）、予告乱数を抽出し（ステップＳ６５７）、連続予告の判定を行う（ステップＳ６５８）。
【０１５９】
そして、ステップＳ６１２で読み出した受信コマンドがその他の演出制御コマンドである場合には、受信コマンドに対応するフラグをセットする（ステップＳ６５９）。
【０１６０】
次に、連続予告の判定について説明する。図３１は、上述した予告乱数カウンタ１〜４のカウント値の範囲の一例を示す説明図である。
【０１６１】
図３２および図３３は、始動入賞記憶数と連続予告の実行回数の関係の一例を示す説明図である。（Ａ）は、はずれ入賞指定の演出制御コマンドを受信した場合の始動入賞記憶数と連続予告をする／しないおよび連続予告の実行回数との関係を示し、（Ｂ）は、リーチ入賞指定の演出制御コマンドを受信した場合の始動入賞記憶数と連続予告をする／しないおよび連続予告の実行回数との関係を示し、（Ｃ）は、非特定大当り入賞指定の演出制御コマンドを受信した場合の始動入賞記憶数と連続予告をする／しないおよび連続予告の実行回数との関係を示す。そして、（Ｄ）は、特定大当り入賞指定の演出制御コマンドを受信した場合の始動入賞記憶数と連続予告をする／しないおよび連続予告の実行回数との関係を示す。なお、図３２および図３３に示す設定は、演出制御基板１００に搭載されているＲＯＭにテーブルとして設定されている。このテーブルを連続予告実行回数テーブルと呼ぶ。また、連続予告実行回数テーブルに設定されている値を判定値と呼ぶ。
【０１６２】
図３２および図３３に示すように、この実施の形態では、はずれ入賞指定の演出制御コマンドを受信した場合には、乱数の値が２９または１２４（連続予告判定値）に一致すれば連続予告を実行可能であり、リーチ入賞指定の演出制御コマンドを受信した場合には、乱数の値が７、２９、７９または１２４（連続予告判定値）に一致すれば連続予告を実行可能であり、非特定大当り入賞指定の演出制御コマンドを受信した場合には、乱数の値が７〜２７または１０５〜１２４（連続予告判定値）に一致すれば連続予告が実行可能である。そして、特定大当り入賞指定の演出制御コマンドを受信した場合には、乱数の値が３〜６７または８５〜１２４（連続予告判定値）に一致すれば連続予告が実行可能である。
【０１６３】
図３４は、予告乱数３にもとづく演出手段の選択方法と予告乱数４にもとづく演出態様の選択方法の一例を示す説明図である。図３４（Ａ）は、そのときの遊技状態が非特別遊技状態としての低確率状態（通常時）であるときの選択方法を示し、図３４（Ｂ）は、そのときの遊技状態が特別遊技状態としての高確率状態（確変時）であるときの選択方法を示す。図３４に示す設定は、演出制御基板１００に搭載されているＲＯＭにテーブルとして設定されている。このテーブルを連続予告判定テーブルと呼ぶ。また、連続予告判定テーブルに設定されている値を判定値と呼ぶ。
【０１６４】
図３４に示すように、予告乱数３の値に応じて、スピーカ２７（図３４では「音」として表されている。）、（１）ランプ・ＬＥＤ（発光体）、（２）可変表示装置９（図３４では「表示」として表されている。）、（３）スピーカ２７および可変表示装置９、（４）ランプ・ＬＥＤおよび可変表示装置９、（５）スピーカ２７とランプ・ＬＥＤと可変表示装置９、のうちのいずれかが連続予告の演出を行うための演出手段として選択される。
【０１６５】
また、予告乱数４の値に応じて、態様Ａ、態様Ｂ、態様Ｃ、態様Ｄのうちのいずれかが連続予告の演出態様として選択される。なお、態様Ａ〜Ｄは、演出手段として可変表示装置９が選択されている場合には図２６（Ａ）〜（Ｄ）に示された表示態様Ａ〜表示態様Ｄであり、演出手段としてランプ・ＬＥＤが選択されている場合には発光体態様Ａ〜発光体態様Ｄであり、演出手段としてスピーカ２７が選択されている場合には音態様Ａ〜音態様Ｄである。なお、演出制御用ＣＰＵ１００は、特定大当り入賞指定の演出制御コマンドまたは非特定大当り入賞指定の演出制御コマンドを受信した場合には、連続予告判定テーブルのうちの大当りの部分を使用し、はずれ入賞指定の演出制御コマンドまたはリーチ入賞指定の演出制御コマンドを受信した場合には、連続予告判定テーブルのうちのはずれの部分を使用する。
【０１６６】
従って、図３４に例示した選択方法では、演出制御手段は、判定結果コマンドにより判定結果が大当りと特定される場合には、はずれと判定される場合に比べて、高い割合で、可変表示装置９を連続予告の演出に用いる演出手段として選択する。すなわち、演出制御手段に含まれる演出決定手段は、判定結果コマンドにより所定の判定結果（この例では大当り）が特定される場合には、複数種類の演出手段のうち特定の演出手段（この例では可変表示装置９）を高い割合で選択する。
【０１６７】
また、演出制御手段は、判定結果コマンドにより判定結果が大当りと特定される場合には、はずれと判定される場合に比べて、高い割合で、態様Ｄを選択する。すなわち、演出決定手段は、判定結果コマンドにより所定の判定結果（この例では大当り）が特定される場合には、複数の演出態様のうち特定の演出態様（この例では態様Ｄ）を高い割合で選択する。
【０１６８】
さらに、判定結果コマンドにより判定結果が大当りと特定される場合には、はずれと判定される場合に比べて、複数の演出手段が選択される割合が高い。従って、遊技者は、複数の演出手段によって連続予告の演出が実行されるときには、実際に大当りが発生することを強く期待することができる。そして、判定結果コマンドにより判定結果がはずれと特定される場合には、全ての（この例では３つの）演出手段が選択される割合が極めて低い。従って、遊技者は、全ての演出手段によって連続予告の演出が実行されるときには、実際に大当りが発生することをさらに強く期待することができる。
【０１６９】
また、演出決定手段は、特別遊技状態であるか否かに応じて、図３４（Ａ）の説明図に対応したテーブルと図３４（Ｂ）に対応したテーブルとを使い分ける。すなわち、特別遊技状態であるか否かに応じて、いずれの演出手段を用いるのかといずれの演出態様で所定の演出を実行するのかとを異なる割合で決定する。従って、遊技状態に応じて所定の演出の出現割合にめりはりをつけ、所定の演出に対する興趣の低下を防止することができる。
【０１７０】
なお、この実施の形態では、連続予告判定テーブルが、判定結果コマンドにより判定結果が大当りと特定される場合とはずれと特定される場合との２つに分かれているが、大当り、リーチ、はずれの場合の３つに分けてもよい。さらに、特定大当り、非特定大当り、リーチ、はずれの場合の４つに分けてもよい。
【０１７１】
図３５は、ステップＳ６３８，Ｓ６４２，Ｓ６５４，Ｓ６５８で実行される連続予告の判定処理例を示すフローチャートである。連続予告の判定処理において、演出制御用ＣＰＵ１０１は、連続予告を実行中であるか否か判定する（ステップＳ６６１）。実行中であるか否かは、実行中にセットされている内部フラグである連続予告実行中フラグによって判定できる。連続予告の実行中でなければ、連続予告を行うか否かを決定するための処理を行う。具体的には、演出制御用ＣＰＵ１０１は、まず、そのときの遊技状態が高確率状態（確変状態）であるか否か判定する（ステップＳ６６２）。高確率状態であれば、図３２および図３３に示された情報が設定されている連続予告実行回数テーブルの右側部分を選択し（ステップＳ６６３）、高確率状態でなければ、テーブル全体を選択する（ステップＳ６６４）。
【０１７２】
テーブルの右側部分を選択するとは、図３２（Ａ）に示す例では、乱数値が２９のときにのみ連続予告を可能にすることであり、テーブル全体を選択するとは、乱数値が２９または１２４のときに連続予告を可能にすることである。図３３（Ｃ）に示す例では、テーブルの右側部分を選択するとは、乱数値が７〜１７または１０５〜１１５のいずれかのときに連続予告を可能にすることであり、テーブル全体を選択するとは、乱数値が７〜１７、１８〜２７、１０５〜１１５または１１６〜１２６のときに連続予告を可能にすることである。
【０１７３】
すなわち、特別遊技状態としての高確率状態では、非特別遊技状態として低確率状態に比べて、所定の演出としての連続予告の演出が選択される割合が低くなっている。このような制御は、高確率時には変動パターン１〜１４のそれぞれの変動時間を短くする場合や、特別遊技状態として特別図柄の変動時間を短縮する時短状態を採用している遊技機において効果的である。特別遊技状態において所定の演出としての連続予告の演出の出現割合を低くしておけば、変動時間が短い変動パターンによる演出が所定の演出によって煩わされることが防止されるからである。
【０１７４】
そして、演出制御用ＣＰＵ１０１は、抽出されている予告乱数２の値と同じ判定値が連続予告実行回数テーブル（図３２および図３３参照）に設定されているか否か確認し（ステップＳ６６５）、一致しているものがあれば、連続予告判定テーブルから対応する連続予告の実行回数を抽出する。実行回数が０でなければ（ステップＳ６６６）、いずれの演出手段を用いるのかの選択処理と、いずれの演出態様で連続予告を実行するのかの選択処理を行う。すなわち、抽出されている予告乱数３の値と同じ判定値が連続予告判定テーブルに設定されているか否か確認し、一致しているものがあれば、連続予告判定テーブルから対応する演出手段の名称を抽出する（ステップＳ６６７）。また、抽出されている予告乱数４の値と同じ判定値が連続予告判定テーブルに設定されているか否か確認し、一致しているものがあれば、連続予告判定テーブルから対応する演出態様を抽出する（ステップＳ６６８）。
【０１７５】
そして、演出手段の名称をＲＡＭにおける演出手段名バッファに格納し、連続予告の種類（演出態様）をＲＡＭにおける演出態様バッファに格納し、実行回数をＲＡＭにおける実行回数バッファに格納し（ステップＳ６６９）、連続予告抽選済フラグセットする（ステップＳ６７０）。
【０１７６】
以上の処理によって、乱数カウンタは、始動入賞記憶数指定、はずれ入賞指定、リーチ入賞指定、非特定大当り入賞指定、特定大当り入賞指定の演出制御コマンドを受信する度に歩進し、はずれ入賞指定、リーチ入賞指定、非特定大当り入賞指定、特定大当り入賞指定の演出制御コマンドを受信すると連続予告を行うか否かの抽選が実行される。そして、連続予告を行うことに決定された場合には、そのときの始動入賞記憶数に応じてあらかじめ決められた実行回数が決定される。さらに、いずれの演出手段を用いて連続予告を行うのかと、いずれの演出態様によって連続予告を行うのかとを演出制御用ＣＰＵ１０１が決定する。従って、いずれの演出手段を用いて連続予告を行うのかと、いずれの演出態様によって連続予告を行うのかとは、演出制御手段が、判定結果コマンドと始動入賞記憶数指定の演出制御コマンドの受信にもとづいて独自に決定することになる。
【０１７７】
なお、後述するように、演出制御用ＣＰＵ１０１は、０回でない実行回数が決定された後、可変表示装置９において特別図柄の可変表示を行う場合には、実行回数分の特別図柄の可変表示期間において予告演出（連続予告）の制御を行う。
【０１７８】
なお、この実施の形態では、始動入賞記憶数が０である場合の決定結果も連続予告実行回数テーブルに設定されているが、始動入賞記憶数指定の演出制御コマンドを判定結果コマンドよりも先に受信でき、かつ、始動入賞記憶数が０である場合には連続予告を行わないので、連続予告実行回数テーブルに始動入賞記憶数が０である場合のデータは設定されていなくてもよい。設定されていなくても、演出制御手段は、受信した始動入賞記憶数指定の演出制御コマンドにもとづいて、始動入賞記憶数が０である場合には連続予告を行わないと判断することができる。
【０１７９】
図３６は、図２７に示されたメイン処理における演出制御プロセス処理（ステップＳ７０５）を示すフローチャートである。演出制御プロセス処理では、演出制御プロセスフラグの値に応じてステップＳ８００〜Ｓ８０６のうちのいずれかの処理が行われる。各処理において、以下のような処理が実行される。
【０１８０】
変動パターンコマンド受信待ち処理（ステップＳ８００）：コマンド受信割込処理によって、変動時間を特定可能な演出制御コマンド（変動パターンコマンド）を受信したか否か確認する。具体的には、変動パターンコマンドが受信されたことを示すフラグ（変動パターン受信フラグ）がセットされたか否か確認する。変動パターン受信フラグは、コマンド解析処理によって、変動パターン指定の演出制御コマンドが受信されたことが確認された場合にセットされる（ステップＳ６２３）。
【０１８１】
予告選択処理（ステップＳ８０１）：予告演出（連続予告ではない予告演出）を行うか否かと、行う場合の予告演出の種類を決定する。
【０１８２】
全図柄変動開始処理（ステップＳ８０２）：左中右図柄の変動が開始されるように制御する。
【０１８３】
図柄変動中処理（ステップＳ８０３）：変動パターンを構成する各変動状態（変動速度）の切替タイミングを制御するとともに、変動時間の終了を監視する。また、左右図柄の停止制御を行う。
【０１８４】
全図柄停止待ち設定処理（ステップＳ８０４）：変動時間の終了時に、全図柄停止を指示する演出制御コマンド（特別図柄停止の演出制御コマンド）を受信していたら、図柄の変動を停止し停止図柄（確定図柄）を表示する制御を行う。
【０１８５】
大当り表示処理（ステップＳ８０５）：変動時間の終了後、確変大当り表示または通常大当り表示の制御を行う。
【０１８６】
大当たり遊技中処理（ステップＳ８０６）：大当たり遊技中の制御を行う。例えば、大入賞口開放前表示や大入賞口開放時表示の演出制御コマンドを受信したら、ラウンド数の表示制御等を行う。
【０１８７】
図３７は、変動パターンテーブル毎に設定されているプロセスデータの一構成例を示す説明図である。プロセスデータは、プロセスタイマ設定値と演出制御実行データの組み合わせが複数集まったデータで構成されている。演出制御実行データは、表示制御実行データとランプ制御実行データとを含む。表示制御実行データは、特別図柄の変動期間中における可変表示装置９の表示状態を示すデータが設定されている。例えば、表示制御実行データ１には、可変表示開始時の可変表示装置９の表示状態を示すデータが設定されている。また、ランプ制御実行データは、特別図柄の変動期間中におけるランプ・ＬＥＤの表示状態を示すデータが設定されている。例えば、ランプ制御実行データ１には、可変表示開始時のランプ・ＬＥＤの表示状態を示すデータが設定されている。そして、特別図柄の変動期間中において、表示状態を切り替えるタイミング（例えば可変表示装置９において新たなキャラクタが登場するタイミング、ランプ・ＬＥＤを点灯状態から消灯状態に切り替えるタイミング）が到来すると、演出制御手段は、プロセスデータにおける次の演出制御実行データに従って、可変表示装置９およびランプ・ＬＥＤの表示状態を制御する。プロセスタイマ設定値には、切替のタイミングに応じた時間が設定されている。
【０１８８】
このように、演出制御手段が、ＲＯＭに記憶されているプログラムおよびプロセスデータにもとづいて演出手段を制御し、複数の演出手段（この実施の形態では可変表示装置９およびランプ・ＬＥＤ）の制御に関わるプログラムが、演出制御基板１００に搭載されているＲＯＭに格納されている。そして、それらのプログラムを格納するＲＯＭを１つのＲＯＭとして構成することができる。従って、部品点数を減らすことができる。また、ＲＯＭに記憶されているプロセスデータのうち、プロセスタイマ設定値が共通化されている。従って、演出制御手段のＲＯＭ容量を節減することができる。なお、演出制御実行データについても、表示制御実行データとランプ制御実行データとを共通化できるのであれば、１つの演出制御実行データとしてもよい。このように、この実施の形態では、複数の演出手段の制御に関わるデータのうち少なくとも一部のデータ（この実施の形態では音声データＲＯＭ７０４に格納されているデータを除くデータ）を同一ＲＯＭに格納することができる。
【０１８９】
図３７に示すプロセスデータは、演出制御基板１００におけるＲＯＭに格納されている。また、プロセスデータは、各変動パターンのそれぞれに応じて用意されている。また、予告演出の種類に応じて用意されている。例えば、変動パターン１０で予告Ａの予告演出を実行する場合のプロセスデータは、変動パターン１０で予告Ｂの予告演出を実行する場合のプロセスデータとは別に用意されている。従って、演出制御用ＣＰＵ１０１は、変動パターンと予告演出の種類とに応じて、使用するプロセスデータを選択する。
【０１９０】
図３８は、図３６に示された演出制御プロセス処理における変動パターンコマンド受信待ち処理（ステップＳ８００）を示すフローチャートである。変動パターンコマンド受信待ち処理において、演出制御用ＣＰＵ１０１は、変動パターン受信フラグがセットされたか否か確認する（ステップＳ８７１）。セットされていたら、そのフラグをリセットする（ステップＳ８７２）。そして、演出制御プロセスフラグの値を予告選択処理（ステップＳ８０１）に対応した値に変更する（ステップＳ８７３）。
【０１９１】
図３９は、図３６に示された演出制御プロセス処理における予告選択処理（ステップＳ８０１）を示すフローチャートである。予告選択処理において、演出制御用ＣＰＵ１０１は、連続予告を実行中であるか否か確認する（ステップＳ８１１）。実行中でなければ、連続予告抽選済フラグがセットされているか否か確認する（ステップＳ８１２）。連続予告抽選済フラグがセットされていれば、すなわち、連続予告を行うことに決定されていれば、連続予告抽選済フラグをリセットし（ステップＳ８１３）、実行回数バッファの内容を実行回数カウンタに設定する（ステップＳ８１４）。そして、連続予告実行中フラグをセットする（ステップＳ８１５）。
【０１９２】
また、決定した予告演出に対応した予告開始時間決定タイマをスタートする（ステップＳ８１６）。そして、演出制御プロセスフラグを全図柄変動開始処理（ステップＳ８０２）に対応した値に更新する（ステップＳ８１７）。予告開始時間決定タイマは、可変表示装置９において図柄の変動が開始されてから、予告演出を開始するタイミングを決定するためのタイマである。
【０１９３】
ステップＳ８１１において連続予告実行中であると確認したら、演出制御用ＣＰＵ１０１は、実行回数カウンタを−１し（ステップＳ８２１）、実行回数カウンタが０でなければステップＳ８１６に移行する（ステップＳ８２２）。実行回数カウンタが０になった場合には、決定された実行回数分の連続予告が既に完了していることになる。その場合には、ステップＳ８２５に移行する。
【０１９４】
ステップＳ８１２において、連続予告抽選済フラグがセットされていないことを確認した場合には、予告Ａまたは予告Ｂによる予告演出を行う。あるいは、予告演出を行わないことにする。具体的には、予告乱数カウンタ１から乱数値を抽出して予告乱数１とし（ステップＳ８２５）、予告乱数１の値にもとづいて予告する／しないと、予告するならば予告Ａと予告Ｂのうちのいずれの態様で予告演出を行うのかを決定する（ステップＳ８２６）。例えば、予告しない／予告Ａ／予告Ｂのそれぞれに対応した判定値が設定されているテーブルをＲＯＭに用意しておき、予告乱数１の値と判定値とを比較することによって、予告する／しないと、予告するならば予告Ａと予告Ｂのうちのいずれの態様で予告演出を行うのかを決定する。予告Ａまたは予告Ｂの予告演出を行うことに決定した場合には（ステップＳ８２７）、ステップＳ８１６に移行する。
【０１９５】
図４０は、演出制御プロセス処理における全図柄変動開始処理（ステップＳ８０２）を示すフローチャートである。全図柄変動開始処理において、演出制御用ＣＰＵ１０１は、まず、特別図柄の可変表示の変動パターンに応じたプロセスデータを選択する（ステップＳ８８１）。そして、選択したプロセスデータにおける演出実行データ１に対応したプロセスタイマをスタートさせる（ステップＳ８８２）。また、プロセスデータ中の表示制御実行データ１にもとづいてＬＣＤ制御を行う（ステップＳ８８３）。例えば、表示制御実行データ１の内容に応じた信号を、ＬＣＤによる可変表示装置９に与える。なお、表示制御実行データにはＲＯＭのアドレスが設定され、そのアドレスから始まる領域に、より詳細な制御データを格納しておき、それらの制御データに従ってＬＣＤ制御を行うように構成してもよい。また、プロセスデータ中のランプ制御実行データ１にもとづいてランプ・ＬＥＤ制御を行う（ステップＳ８８４）。例えば、ランプ制御実行データ１の内容に応じた信号を各ランプ・ＬＥＤに与える。なお、ランプ制御実行データにはＲＯＭのアドレスが設定され、そのアドレスから始まる領域に、より詳細な制御データを格納しておき、それらの制御データに従ってランプ・ＬＥＤ制御を行うように構成してもよい。
【０１９６】
また、変動パターンに応じた音番号データを音声出力基板７０に出力する（ステップＳ８８５）。音声出力基板７０において、音声合成用ＩＣ７０３は、音番号データに応じたデータを音声データＲＯＭ７０４から読み出し、読み出したデータに応じた音声や効果音を発生し増幅回路７０５に出力する。増幅回路７０５は、音声合成用ＩＣ７０３の出力レベルを、ボリューム７０７で設定されている音量に応じたレベルに増幅した音声信号をスピーカ２７に出力する。
【０１９７】
その後、変動時間タイマ（特別図柄の変動時間に応じたタイマ）をスタートし（ステップＳ８８６）、演出制御プロセスフラグの値を図柄変動中処理に対応した値にする（ステップＳ８８７）。
【０１９８】
図４１は、演出制御プロセス処理における図柄変動中処理（ステップＳ８０３）を示すフローチャートである。図柄変動中処理において、演出制御用ＣＰＵ１０１は、予告開始時間決定用タイマがタイムアウトしたか否か確認する（ステップＳ８５１）。タイムアウトしていたら、連続予告実行フラグがセットされているか否か確認する（ステップＳ８５２）。予告開始時間決定用タイマがタイムアウトし、かつ、連続予告実行フラグがセットされているということは、特別図柄の可変表示中に、連続予告の演出を開始すべきタイミングになったことを意味する。また、予告開始時間決定用タイマがタイムアウトし、かつ、連続予告実行フラグがセットされていないということは、連続予告ではない予告演出すなわち予告Ａまたは予告Ｂの演出を開始すべきタイミングになったことを意味する。
【０１９９】
演出制御用ＣＰＵ１０１は、連続予告実行フラグがセットされている場合には、演出手段名バッファに設定されている演出手段すなわち連続予告演出を実行することに決定されている演出手段を示すデータと演出態様バッファに設定されている演出態様（態様Ａ、Ｂ、ＣまたはＤ）とに対応したプロセスデータを選択する（ステップＳ８５４）。すなわち、以後、選択したプロセスデータを用いて演出手段の演出を制御することに決定する。また、連続予告の演出でスピーカ２７を使用する場合には、連続予告の演出態様に応じた音番号データを音声出力基板７０に出力する（ステップＳ８５５，Ｓ８５６）。音声出力基板７０において、音声合成用ＩＣ７０３は、音番号データに応じたデータを音声データＲＯＭ７０４から読み出し、読み出したデータに応じた音声や効果音を発生し増幅回路７０５に出力する。増幅回路７０５は、音声合成用ＩＣ７０３の出力レベルを、ボリューム７０７で設定されている音量に応じたレベルに増幅した音声信号をスピーカ２７に出力する。
【０２００】
演出制御用ＣＰＵ１０１は、連続予告実行フラグがセットされていない場合には、連続予告ではない予告Ａまたは予告Ｂに対応したプロセスデータを選択する（ステップＳ８５３）。
【０２０１】
なお、演出制御手段は、予告演出の演出制御を、変動時間タイマがタイムアウトする前すなわち変動表示結果が確定する前に終了する。なお、この実施の形態では、変動パターン１１〜１４以外の変動パターン（変動パターン１〜１０および１５）による特別図柄の変動では変動表示結果が大当り図柄とならないので（図１１参照）、変動パターン１〜１０および１５による特別図柄の変動中に実行される予告演出は、遊技制御手段から送信される指示コマンド（この例では変動パターン指定の演出制御コマンド）にもとづいて、変動表示結果が確定する前に実行される、リーチ演出表示態様となる旨のリーチ予告報知に相当する。また、変動パターン１１〜１４による特別図柄の変動中に実行される予告演出は、遊技制御手段から送信される指示コマンドにもとづいて、変動表示結果が確定する前に実行される、大当りとなる旨の大当り予告報知に相当する。さらに、リーチ予告報知に用いられる予告の種類と大当り予告報知に用いられる予告の種類とを別にし、変動パターン２〜変動パターン１０（リーチとなるが左中右の確定図柄が揃わない変動パターン：図１１参照）による特別図柄の変動中において、左右図柄が揃った後（リーチとなった後）の演出期間中で、大当り予告報知に用いられる種類の予告演出を行うようにしてもよい。そのような予告演出は実際には大当り遊技の発生を予告しているものではないが、遊技演出のバリエーションを豊富にするために効果的である。また、非確変大当り予告報知に用いられる予告の種類と確変大当り予告報知に用いられる予告の種類とを別にして、非確変大当り予告報知と確変大当り予告報知とを区別して実行するようにしてもよい。
【０２０２】
また、演出制御用ＣＰＵ１０１は、プロセスタイマがタイムアウトしたら（ステップＳ８６１）、プロセスデータにおける演出制御実行データの切り替えを行う（ステップＳ８６２）。すなわち、プロセスデータにおいて、次に設定されているプロセスタイマをスタートさせるとともに（ステップＳ８６３）、次に設定されている表示制御実行データにもとづいてＬＣＤ制御を行う（ステップＳ８６４）。また、プロセスデータ中の次に設定されているランプ制御実行データにもとづいてランプ・ＬＥＤ制御を行う（ステップＳ８６５）。
【０２０３】
そして、変動時間タイマがタイムアウトしていたら（ステップＳ８６６）、特別図柄停止の表示制御コマンドの受信を監視するための監視タイマをスタートさせ（ステップＳ８６７）、演出制御プロセスフラグの値を全図柄停止待ち処理に対応した値にする（ステップＳ８６８）。
【０２０４】
図４２は、演出制御プロセス処理における全図柄停止待ち処理（ステップＳ８０４）を示すフローチャートである。全図柄停止待ち処理において、演出制御用ＣＰＵ１０１は、全図柄停止を指示する演出制御コマンド（特別図柄停止の演出制御コマンド）を受信しているか否か確認する（ステップＳ８４１）。全図柄停止を指示する演出制御コマンドを受信していれば、記憶されている停止図柄で図柄を停止させる制御を行う（ステップＳ８４２）。
【０２０５】
そして、ステップＳ８４２で大当り図柄を表示した場合には、演出制御用ＣＰＵ１０１は、演出制御プロセスフラグの値を大当り表示処理（ステップＳ８０５）に対応した値に設定する（ステップＳ８４４）。そして、連続予告の実行回数を示す実行回数カウンタの値をクリアしておくとともに（ステップＳ８４６）、連続予告実行中フラグをリセットする（ステップＳ８４７）。この結果、連続予告の実行回数分の連続予告が完了していなくても、この時点で、連続予告の制御は終了する。
【０２０６】
ステップＳ８４２で大当り図柄を表示しない場合（はずれ図柄を表示した場合）には、演出制御用ＣＰＵ１０１は、演出制御プロセスフラグの値を変動パターンコマンド受信待ち処理（ステップＳ８００）に対応した値に設定する（ステップＳ８４４）。
【０２０７】
全図柄停止を指定する演出制御コマンドを受信していない場合には、監視タイマがタイムアウトしているかどうか確認する（ステップＳ８４８）。タイムアウトした場合には、何らかの異常が発生したと判断して、可変表示装置９にエラー画面を表示する制御を行う（ステップＳ８４９）。そして、ステップＳ８４３に移行する。
【０２０８】
この実施の形態では、静止画を用いた演出の他、リーチ演出などの各種の演出において実写画像などの多色画像による動画像を用いた演出が実行される。以下、動画像演出に関する構成や動作について説明する。
【０２０９】
図４３は、遊技演出で使用される動画像データのデータ構造の一例を示す説明図である。この動画像データは、本例では、演出制御基板１００が備えるＲＯＭに格納されている。遊技演出で使用される動画像データは、本例では、ＭＰＥＧ２と呼ばれる符号化技術によりデータ圧縮された状態で演出制御基板１００が備えるＣＧＲＯＭ８３に格納されている。
【０２１０】
本例では、動画像データに基づく動画像演出が複数種類予め用意されている。すなわち、複数種類の動画像データが予め用意されてＣＧＲＯＭ８３に格納されている。なお、この例では、大当り遊技演出時に使用される動画像データ、リーチ演出時に使用される動画像データなど、使用される演出毎に区別されてＣＧＲＯＭ８３に格納されている。そして、例えば動画像演出を実行するときに、例えば乱数などを利用して使用する動画像データが選択され、選択された動画像データに基づく動画像演出が実行される。
【０２１１】
図４３に示すように、動画像データは、シーケンスと呼ばれるストリームデータによって構成される。シーケンスは、画像の大きさを示す情報などのシーケンス全体に関連する情報が含まれているシーケンスヘッダで始まり、シーケンスエンドで終了する。このシーケンスは、例えば、動画像による１単位の遊技演出を実現するためのビデオプログラム全体の符号化データによって構成されている。すなわち、本例では、動画像による遊技演出の種類毎に予めシーケンスが用意され、動画像による遊技演出を実行するための動画像データは、１つのシーケンスによって構成されている。シーケンスは、ＭＰＥＧ２機能拡張情報と、少なくとも１つのＧＯＰ（Group Of Picture）とを含む。シーケンスに含まれているＭＰＥＧ２機能拡張情報は、ＭＰＥＧ２に準拠した符号化データであることを示す情報などの各種の情報を含む。
【０２１２】
各ＧＯＰは、ＧＯＰヘッダと、Ｉピクチャ、Ｐピクチャ、Ｂピクチャのうち少なくとも１つのピクチャとを含む。ここで、Ｉピクチャは、フレーム内符号化によって符号化されているピクチャである。Ｐピクチャは、過去のフレームのみを用いて前方向の動き補償予測を行うピクチャである。Ｂピクチャは、過去及び未来の両方のフレームを用いて双方向の動き補償予測を行うピクチャである。
【０２１３】
各ピクチャは、ピクチャヘッダと、ＭＰＥＧ２機能拡張情報と、少なくとも１つのスライスとを含む。ピクチャヘッダには、Ｉピクチャ、Ｐピクチャ、Ｂピクチャのいずれかを識別するための情報や、各ピクチャの表示順序を指定する情報などが含まれている。ピクチャに含まれているＭＰＥＧ２機能拡張情報には、例えば、フレーム構造やフィールド構造を設定するための情報などが含まれる。スライスは、分割フレーム内符号化を実現するためにピクチャが細分化された１つの単位を意味する。
【０２１４】
各スライスは、スライス情報と、少なくとも１つのマクロブロックとを含む。スライス情報は、スライス内で使用される符号化情報が含まれている。符号化情報には、例えば、量子化特性を示す情報が該当する。
【０２１５】
各マクロブロックは、マクロブロック情報と、複数のブロックとを含む。１つのマクロブロックには、例えば、４個の輝度信号ブロックと、２個（Cr信号、Cb信号各１個）の色差信号ブロックとが含まれる。マクロブロック情報には、マクロブロック単位で符号化制御を行うための情報などが含まれる。各ブロックは、輝度信号、Cr信号、Cb信号のいずれかのＤＣＴ（離散コサイン変換）係数データ（離散コサイン変換によって得られる係数群）から構成される。なお、各ブロックは、ＥＯＢ（End Of  Block）コードで終了する。
【０２１６】
なお、本例では、各シーケンスは、再生時に表示されるキャラクタなどの表示物体が速い動きをする部分には、キーフレームとして用いられるＩピクチャを多く用いるようにしている。また、各シーケンスは、再生時に表示されるキャラクタなどの表示物体の動きが少ない部分には、ＰピクチャやＢピクチャを多く用いた構成とされている。特に表示物体の動きがない部分や、動きが特に少ない部分には、最もデータ量の少ないＢピクチャを多く用いた構成とされている。
【０２１７】
上記のように、表示物体の動きが速い部分にはキーフレームデータ（例えばＩピクチャデータ）を多く用いて動画像データを構成しているので、動きの速い物体が表示される動画像によって演出を行う場合であっても、情報の欠落がほとんどない良好な画像品質の画像を復号化によって得ることができ、そのような良質の画像によって動画像演出を行うことができる。よって、表示物体の動きが速い部分の画像品質を向上させることができる。
【０２１８】
また、上記のように、表示物体の動きが遅い部分には前方向予測符号化フレームデータ（例えばＰピクチャデータ）や双方向予測符号化フレームデータ（例えばＢピクチャデータ）を多く用いて動画像データを構成しているので、画像品質を劣化させることなく、動画像データのデータ量を削減することができる。このような効果は、データ圧縮率が向上するので、動画像データによって再生される動画像における表示物体の動きが速い部分が少ないほど著しい。
【０２１９】
つまり、上記のように、表示物体の動きが速い部分にはキーフレームデータを多く用い、表示物体の動きが遅い部分には前方向予測符号化フレームデータや双方向予測符号化フレームデータを多く用いるようにして動画像データを作成しているので、全体としての画像品質を向上させることができるとともに、動画像データのデータ総量を低減させることができるようになる。
【０２２０】
なお、この例では、動画像データは、可変表示部１７０の表示サイズ（例えば４１６×２１６）よりも大きい表示サイズ（例えば４２０×２２０）で作成されている。
【０２２１】
次に、演出制御基板１００に搭載されているＧＣＬ８１の機能について説明する。ＧＣＬ８１は、演出制御用ＣＰＵ１０１からの指示に従って、動画像データを用いた動画像による各種の演出を実行する機能を有している。例えば、演出制御用ＣＰＵ１０１は、ＧＣＬ８１に対して、１画面分ずつ、座標データと、各座標データが示す座標位置に表示させる色の情報が格納された画像アドレスとを指示する。この指示に従って、ＧＣＬ８１は、１画面ずつ順次表示していき、動画像の表示を行う。
【０２２２】
図４４は、ＧＣＬ８１が実行する動画像表示領域設定処理の例を示すフローチャートである。動画像表示領域設定処理は、例えば、動画像データにもとづく動画像による遊技演出が開始されるときに実行される。本例では、シーケンスによる一連の動画像演出が開始される毎に、動画像表示領域設定処理が実行されるものとする。動画像表示領域設定処理において、ＧＣＬ８１は、まず、ＣＧＲＯＭ８６に格納されている演出に使用する動画像データ（シーケンス）に領域指定データが設定されているか否かを確認する（ステップＳ２８１）。領域指定データは、例えば、各シーケンスにおけるシーケンスヘッダのあとのＭＰＥＧ２機能拡張情報に含まれている。従って、ＧＣＬ８１は、演出に使用するシーケンスのＭＰＥＧ２機能拡張情報を確認することで、領域指定データが設定されているか否かを判定することができる。
【０２２３】
演出に使用する動画像データに領域指定データが設定されていた場合には、ＧＣＬ８１は、領域指定データに従って動画像表示領域を設定する（ステップＳ２８２）。つまり、領域指定データには、その領域指定データが設定されているシーケンスにもとづく動画像の表示を行う動画像表示領域を特定するため情報が含まれている。なお、動画像表示領域については、あとで詳しく説明する。
【０２２４】
図４５は、ＧＣＬ８１が実行する動画像表示領域解除処理の例を示すフローチャートである。動画像表示領域の設定を解除するための処理は、例えば、動画像データにもとづく動画像による遊技演出を終了するときに実行される。本例では、動画像表示領域解除処理において、シーケンスによる一連の動画像演出を終了することを確認したときに、設定されている動画像表示領域を解除する処理が実行されるものとする。動画像表示領域解除処理において、ＧＣＬ８１は、まず、ＣＧＲＯＭ８６に格納されている演出に使用されている動画像データ（シーケンス）において順次読み出されているデータが、シーケンスエンドであるか否かを確認する（ステップＳ２８５）。シーケンスエンドであることを確認すると、ＧＣＬ８１は、シーケンスによる一連の動画像演出が終了したものと判断して、動画像表示領域が設定されている場合には、その設定を解除する（ステップＳ２８６）。具体的には、例えば、上述したステップＳ２８２にてセットされる動画像表示領域の設定中であることを示すフラグをオフ状態とする。この例では、上述したステップＳ２８２にて、動画像表示領域の設定中であることを示すフラグのセットと、動画像表示領域の範囲の指定がなされる。
【０２２５】
図４６は、ＧＣＬ８１が実行する復号化処理の例を示すフローチャートである。復号化処理において、ＧＣＬ８１は、まず、後述するフェードインフラグ、フェードアウトフラグ、及び静止表示フラグがいずれもオンでなければ（ステップＳ２０１のＮ）、ＣＧＲＯＭ８６に格納されている演出に使用する動画像データ（シーケンス）からピクチャを示すピクチャデータを読み出す（ステップＳ２０２）。ピクチャデータは、動画像データにて配列されている順番に従って再生することができるような順番で読み出される。なお、再生される順番と復号化される順番は必ずしも一致しない。例えば、Ｂピクチャは、その後に配されているＩピクチャ又はＰピクチャを復号化したあとに復号化される。
【０２２６】
読み出したピクチャデータが静止表示対象ピクチャであれば（ステップＳ２０３のＹ）、ＧＣＬ８１は、静止表示フラグをオン状態とし（ステップＳ２０４）、静止表示時間タイマをスタートさせる（ステップＳ２０５）。
【０２２７】
静止表示対象ピクチャとは、所定期間継続して静止表示させるピクチャとして予め定められているピクチャを意味する。静止表示対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャが静止表示対象ピクチャであるか否かを判定することができる。
【０２２８】
静止表示フラグは、例えば、演出制御基板１００が備えるＲＡＭ１０３の所定の領域に設けられており、静止表示処理（図４６，図４８に示す処理において、静止表示フラグがオン状態とされてからオフ状態とされるまでの一連の処理）の実行中であるか否かの判定に用いられるフラグである。
【０２２９】
静止表示時間タイマは、静止表示対象ピクチャによる静止表示処理を実行する期間（例えば３秒、５秒などの期間）を計測するためのタイマである。例えば、静止表示時間タイマは、カウンタを含む演出制御用ＣＰＵ３０１によって構成される。具体的には、演出制御用ＣＰＵ３０１は、所定期間（例えば２ｍｓ）毎にカウントアップしていくカウンタのカウント値を監視し、計測開始後に所定回数（例えば３秒を計測する場合には１５００回）カウントされたことを確認したときに計測時間が経過したものと判定することで、静止表示時間を計測する。
【０２３０】
ステップＳ２０２にて読み出したピクチャデータがフェードイン対象ピクチャであれば（ステップＳ２０６のＹ）、ＧＣＬ８１は、フェードインフラグをオン状態とし（ステップＳ２０７）、動画圧縮・伸張部８９を制御して読み出したピクチャデータを復号化して（ステップＳ２０８）、復号化したピクチャデータをフレーム単位で所定のフェードイン対象静止画像格納エリアに格納する（ステップＳ２０９）。なお、復号化を行うときには、動画圧縮・伸張部８９は、対象となるピクチャデータがＩピクチャデータであるか、Ｐピクチャデータであるか、Ｂピクチャデータであるかに応じた復号化処理を実行する。
【０２３１】
フェードイン対象ピクチャとは、フェードイン処理に用いるピクチャとして予め定められているピクチャを意味する。フェードイン対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャがフェードイン対象ピクチャであるか否かを判定することができる。
【０２３２】
フェードインフラグは、例えば、演出制御基板１００が備えるＲＡＭ１０３の所定の領域に設けられており、フェードイン処理を実行するか否かの判定に用いられるフラグである。
【０２３３】
フェードイン対象静止画像格納エリアは、フェードイン対象静止画像であるフェードイン対象ピクチャをフレーム単位で格納するために、例えばＳＤＲＡＭ８４の所定の領域に設けられている。
【０２３４】
ステップＳ２０２にて読み出したピクチャデータがフェードアウト対象ピクチャであれば（ステップＳ２１０のＹ）、ＧＣＬ８１は、フェードアウトフラグをオン状態とし（ステップＳ２１１）、動画圧縮・伸張部８９を制御して読み出したピクチャデータを復号化して（ステップＳ２１２）、復号化したピクチャデータをフレーム単位で所定のフェードアウト対象静止画像格納エリアに格納する（ステップＳ２１３）。
【０２３５】
フェードアウト対象ピクチャとは、フェードアウト処理に用いるピクチャとして予め定められているピクチャを意味する。フェードアウト対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャがフェードアウト対象ピクチャであるか否かを判定することができる。
【０２３６】
フェードアウトフラグは、例えば、演出制御基板１００が備えるＲＡＭ１０３の所定の領域に設けられており、フェードアウト処理を実行するか否かの判定に用いられるフラグである。
【０２３７】
フェードアウト対象静止画像格納エリアは、フェードアウト対象静止画像であるフェードアウト対象ピクチャをフレーム単位で格納するために、例えばＳＤＲＡＭ８４の所定の領域に設けられている。
【０２３８】
ステップＳ２０２にて読み出したピクチャデータが合成表示対象ピクチャであれば（ステップＳ２１４のＹ）、ＧＣＬ８１は、連続復号化処理を実行する（ステップＳ２１５）。連続復号化処理については、後で詳しく説明する。
【０２３９】
ステップＳ２０２にて読み出したピクチャデータが、フェードイン対象ピクチャ、フェードアウト対象ピクチャ及び合成表示対象ピクチャの何れでもなければ（ステップＳ２１４のＮ）、ＧＣＬ８１は、動画圧縮・伸張部８９を制御して読み出したピクチャデータを復号化し（ステップＳ２１６）、展開領域指定ポインタが指す画像メモリの展開領域に、復号化したピクチャデータをフレーム単位で展開する（ステップＳ２１７）。そして、ＧＣＬ８１は、展開領域指定ポインタが次に使用される展開領域を指すようにしておくために、展開領域指定ポインタの値を更新する（ステップＳ２１８）。
【０２４０】
なお、画像メモリは、再生に用いる画像データをフレーム単位で展開するために、例えばＳＤＲＡＭ８４の所定の領域に設けられている。画像メモリには、フレーム単位で画像データを展開するための展開領域が複数設けられている。展開領域指定ポインタは、例えばＳＤＲＡＭ８４の所定の領域に設けられ、復号化した画像データを展開する展開領域を指すポインタである。例えば、画像メモリに展開領域０から展開領域１１までの１２個の展開領域が設けられている場合には、展開領域指定ポインタは、０〜１１までの範囲の値をとる。そして、ステップＳ２１８にて、展開領域指定ポインタの値が、復号化された画像データが再生される順番で画像メモリに展開されるような値に更新される。そして、ＧＣＬ８１によって、次回の復号化処理のステップＳ２１７にて、展開領域指定ポインタの値と同一の値が設定されている展開領域が画像データを展開する領域として選択される。
【０２４１】
具体的には、例えばＩピクチャ、Ｂ１ピクチャ、Ｂ２ピクチャ、Ｐピクチャの順番で再生される場合には、Ｉピクチャ、Ｐピクチャ、Ｂ１ピクチャ、Ｂ２ピクチャの順番で復号化されることになる。この場合、Ｉピクチャの画像データを画像メモリに展開したあと展開領域指定ポインタの値を３加算し、加算後の展開領域指定ポインタが指す展開領域にＰピクチャの画像データを展開したあと展開領域指定ポインタの値を２減算し、減算後の展開領域指定ポインタが指す展開領域にＢ１ピクチャの画像データを展開したあと展開領域指定ポインタの値を１加算し、加算後の展開領域指定ポインタが指す展開領域にＢ２ピクチャの画像データを展開したあと展開領域指定ポインタの値を次に復号化されるピクチャに応じて更新するようにすればよい。なお、展開領域指定ポインタの値が１２となった場合には０に戻される。
【０２４２】
図４７は、ＧＣＬ８１が実行する連続復号化処理（ステップＳ２１５）の例を示すフローチャートである。連続復号化処理では、１つの合成画像を生成するための複数のピクチャを連続して復号化する処理が実行される。連続復号化処理において、ＧＣＬ８１は、先ず、合成表示実行残数を１加算し（ステップＳ２２１）、本例では処理数を３に設定する（ステップＳ２２２）。なお、合成表示実行残数や処理数は、本例では、演出制御基板１００が備えるＲＡＭ１０３の所定の領域に記憶される。合成表示実行残数は、合成表示を行うための復号化処理がなされているが、合成表示が未だ完了していない画像の残数を示している。また、処理数は、本例では、合成画像の生成に用いられる画像の数に一致している。
【０２４３】
次いで、ＧＣＬ８１は、動画圧縮・伸張部８９を制御して読み出したピクチャデータを復号化して（ステップＳ２２３）、読み出したピクチャについての奥行表示位置情報を指定し（ステップＳ２２４）、復号化したピクチャデータをフレーム単位で所定の合成対象画像保存領域に格納する（ステップＳ２２５）。
【０２４４】
合成表示対象ピクチャとは、合成画像を生成するための合成対象画像に予め定められているピクチャを意味する。合成表示対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャが合成表示対象ピクチャであるか否かを判定することができる。なお、本例では、互いに合成される複数のピクチャのうち、最初に読み出される合成表示対象ピクチャのＭＰＥＧ２機能拡張情報にだけ、合成表示対象ピクチャであることを示す情報と、合成に用いられるピクチャの数を示す情報が格納される。そして、ステップＳ２２２にて設定される処理数は、ＭＰＥＧ２機能拡張情報に格納されている合成に用いられるピクチャの数を示す情報に応じて設定される。
【０２４５】
奥行表示位置情報は、ＬＣＤ９に表示される際の奥行方向の座標を示す情報であり、合成に用いられる各ピクチャのＭＰＥＧ２機能拡張情報に格納されている。従って、ＧＣＬ８１は、各ピクチャのＭＰＥＧ２機能拡張情報を確認することで、読み出したピクチャについての奥行表示位置情報を取得することができる。ステップＳ２２４及びステップＳ２２５の処理では、復号化されたピクチャデータと、そのピクチャデータについての奥行表示位置情報とが、所定の合成対象画像保存領域に格納される。なお、奥行方向の座標とは、ＬＣＤ９の表示画面の前後方向（前面側から背面側に向かう方向）に座標軸をとった場合におけるその座標軸上の値を意味し、例えば背面側に行くほど値が大きくなるように設定される。よって、合成画像が生成されるときには、より小さい値の奥行表示位置情報を有する画像が前面側に合成され、より大きい値の奥行表示位置情報を有する画像が背面側に合成される。また、奥行表示位置情報の値が大きくて背面側に合成される画像よりも奥行表示位置情報の値が小さくて前面側に合成される画像の方が優位であると言えることから、より小さい値の奥行表示位置情報を有する画像を「優先度が高い画像」ということがあり、より大きい値の奥行表示位置情報を有する画像を「優先度の低い画像」ということがある。
【０２４６】
本例では、合成に用いられるピクチャ数分の合成対象画像保存領域を有する合成対象画像保存領域群が設けられている。合成対象画像保存領域群は、例えばＳＤＲＡＭ８４の所定の領域に所定数用意されている。本例では、各合成対象画像保存領域群に、処理数に対応する３つの合成対象画像保存領域が含まれている。ステップＳ２２５では、画像群保存領域指定ポインタが指す合成対象画像保存領域群中の現在の処理数に対応する合成対象画像保存領域に、復号化されたピクチャデータ等が格納される。
【０２４７】
画像群保存領域指定ポインタは、例えばＳＤＲＡＭ８４の所定の領域に設けられ、１つの合成画像の生成に用いられる一群の合成対象画像データを格納するための合成対象画像保存領域群を指すポインタである。例えば、合成対象画像保存領域群が保存領域群０から保存領域群１１までの１２個設けられている場合には、画像群保存領域指定ポインタは、０〜１１までの範囲の値をとる。そして、後述するステップＳ２２９にて、画像群保存領域指定ポインタの値が、合成に用いられる次の一群のピクチャデータを格納する合成対象画像保存領域群を指す値に更新される。そして、ＧＣＬ８１によって、次回の連続復号化処理にて、更新後の画像群保存領域指定ポインタの値と同一の値が設定されている合成対象画像保存領域群が、一群のピクチャデータを格納する領域として選択される。
【０２４８】
ステップＳ２２５の処理を終えると、ＧＣＬ８１は、処理数を１減算し（ステップＳ２２６）、処理数が０でなければ（ステップＳ２２７のＮ）、使用する動画像データから次のピクチャデータを読み出す（ステップＳ２２８）。そして、ステップＳ２２３〜ステップＳ２２７の処理を再度実行する。本例では、ステップＳ２２３〜ステップＳ２２７の処理が３回繰り返し実行され、１つの合成画像を生成するための３つのピクチャデータが読み出されて、復号化された合成対象画像データと奥行表示位置情報とが、合成対象画像保存領域群中の各合成対象画像保存領域にそれぞれ格納される。
【０２４９】
ステップＳ２２７の確認処理にて、処理数が０となっていれば（ステップＳ２２７のＹ）、ＧＣＬ８１は、次回の連続復号化処理で使用される合成対象画像保存領域群を指す値に変更するために、画像群保存領域指定ポインタの値を更新する（ステップＳ２２９）。
【０２５０】
上記のようにして、１枚の合成画像を生成するために用いられる複数の合成対象画像が、それぞれの奥行表示位置情報とともに、合成対象画像保存領域群中の各合成対象画像保存領域に格納される。
【０２５１】
図４８は、ＧＣＬ８１が実行する動画再生処理の例を示すフローチャートである。動画再生処理において、ＧＣＬ８１は、フェードインフラグがオン状態であれば（ステップＳ２３１のＹ）、後述するフェードイン処理を実行する（ステップＳ２３２）。また、フェードアウトフラグがオン状態であれば（ステップＳ２３３のＹ）、後述するフェードアウト処理を実行する（ステップＳ２３４）。
【０２５２】
フェードインフラグ及びフェードアウトフラグがともにオン状態でなければ（ステップＳ２３３のＮ）、ＧＣＬ８１は、合成表示実行残数の値を確認し、合成表示実行残数が０でなければ（ステップＳ２３５のＹ）、処理数を設定する（ステップＳ２３６）。この例では、処理数として、上述したステップＳ２２２で設定される処理数と同数の値が設定される。従って、例えば、所定の合成対象画像保存領域にステップＳ２２２で設定された処理数を格納しておき、後述する半透明化処理に用いられるピクチャデータが格納されている合成対象画像保存領域を参照して処理数を設定するようにすればよい。
【０２５３】
処理数を設定すると、ＧＣＬ８１は、後述する半透明化処理を実行し（ステップＳ２３７）、処理数を１減算する（ステップＳ２３８）。そして、処理数が０になるまで、半透明化処理を繰り返し実行する（ステップＳ２３７〜ステップＳ２３９）。処理数が０になると、ＧＣＬ８１は、半透明化処理によって生成され合成実行画像格納領域に格納されている複数の合成実行画像データを合成した合成画像データを生成する（ステップＳ２４０）。なお、合成する際には、各合成実行画像データにおける奥行表示位置情報に基づいて、各合成実行画像を前面側とするか背面側とするかを決定する。そして、ＧＣＬ８１は、生成した合成画像データにもとづく合成画像をＬＣＤ９に表示するとともに（ステップＳ２４１）、合成表示実行残数を１減算し（ステップＳ２４２）、後述する合成対象画像群指定ポインタの値を更新する（ステップＳ２４３）。なお、本例では、ステップＳ２４１にて画像を表示する場合、ＧＣＬ８１は、後述するステップＳ２４４と同様の判定処理を実行し、動画像表示領域が設定されていると判定した場合には、上述したステップＳ２４５と同様にして、設定されている動画像表示領域に画像を表示する。
【０２５４】
ステップＳ２３５にて合成表示実行残数が０であれば（ステップＳ２３５のＮ）、ＧＣＬ８１は、動画像表示領域が設定されているか否かを確認する（ステップＳ２４４）。具体的には、動画像表示領域が設定されているか否かを示すフラグの状態を確認する。動画像表示領域が設定されていれば、ＧＣＬ８１は、再生領域指定ポインタが指す画像メモリの展開領域に展開されているフレームデータを用いて、ＬＣＤ９の表示領域内に設定されている動画像表示領域に画像を表示する（ステップＳ２４５）。つまり、動画像データを用いた動画像による演出が開始されるときに上述したステップＳ２８２にて動画像表示領域が設定されている場合には、その設定された動画像表示領域に、再生領域指定ポインタが指す画像メモリの展開領域に展開されているフレームデータに基づく画像を表示する。
【０２５５】
ステップＳ２４４にて動画像表示領域が設定されていなければ、ＧＣＬ８１は、再生領域指定ポインタが指す画像メモリの展開領域に展開されているフレームデータを用いてＬＣＤ９に画像を表示する（ステップＳ２４６）。
【０２５６】
次いで、ＧＣＬ８１は、静止表示フラグがオン状態であれば（ステップＳ２４７のＹ）、静止表示対象ピクチャを用いた静止表示処理中であるので、静止表示時間タイマがタイムアウトしているか否かを確認する（ステップＳ２４８）。静止表示時間タイマがタイムアウトしていた場合には、ＧＣＬ８１は、静止表示フラグをオフ状態とし（ステップＳ２４９）、再生領域指定ポインタが次に使用される展開領域を指すようにしておくために、再生領域指定ポインタの値を更新する（ステップＳ２５０）。なお、静止表示時間タイマがタイムアウトしていなければ、静止表示処理を継続して実行するために、再生領域指定ポインタの値は更新しない。
【０２５７】
再生領域指定ポインタは、例えばＳＤＲＡＭ８４の所定の領域に設けられ、動画再生を行うために次に用いられる画像データが展開されている展開領域を指すポインタである。例えば、画像メモリに展開領域０から展開領域１１までの１２個の展開領域が設けられている場合には、再生領域指定ポインタは、０〜１１までの範囲の値をとり、ステップＳ２５０にて再生領域指定ポインタの値が１加算されるように構成される。なお、再生領域指定ポインタの値が１２となった場合には０に戻される。そして、ＧＣＬ８１によって、次回の動画再生処理のステップＳ２４５又はステップＳ２４６にて、再生領域指定ポインタの値と同一の値が設定されている展開領域が、動画再生のために次に使用する画像データが格納されている領域として選択される。
【０２５８】
なお、上述した動画再生処理は、例えば、上述した復号化処理のあとに続けて実行される。ただし、画像データが復号化される順番と再生される順番が異なるので、動画再生処理よりも復号化処理が少なくとも数回分先行して実行される必要がある。この復号化処理及び動画再生処理は、動画像による遊技演出が行われるときに呼び出されて繰り返し実行される。復号化処理及び動画再生処理が繰り返し実行されることで、ＬＣＤ９の画面上に、圧縮されている動画像データに基づく動画像が表示され、遊技演出が実行される。
【０２５９】
次に、演出制御手段によるフェードイン処理について説明する。図４９は、ＧＣＬ８１が実行するフェードイン処理の例を示すフローチャートである。フェードイン処理は、例えば、静止画像による演出と動画像による演出とが切り替わるときに実行される。ここでは、フェードイン処理として、静止画像による演出が終了して動画像による演出に切り替わる際に、フェードイン対象静止画像の透明度（透過度）を徐々に低下させていくようにして、フェードイン対象静止画像が徐々にはっきりと表れるようにするための処理が実行される。なお、フェードイン対象静止画像には、例えば、演出に用いられる動画像のうち最初に表示される画像とされる。この場合、シーケンスにおいて最初に再生されるピクチャがフェードイン対象静止画像とされる。
【０２６０】
フェードイン処理において、ＧＣＬ８１は、フェードイン対象静止画像格納エリアに格納されているフェードイン対象静止画像の画像データを読み出すとともに、中間画像として予め定められている画像データを読み出す（ステップＳ２５１）。中間画像には、例えば、青や白などの単一色の背景画像が用いられる。
【０２６１】
次いで、ＧＣＬ８１は、透明化演算処理を実行することによってフェードイン画像を作成する（ステップＳ２５２）。透明化演算処理として、本例では、図５０に示すような演算を行う。透明化演算処理では、フェードイン対象静止画像における各ピクセルデータ（各ピクセルの表示色を特定するためのＲ，Ｇ，Ｂデータ）のそれぞれについて、表示位置が同一となる中間画像における各ピクセルデータを用いた演算処理が行われる。具体的には、透明化演算処理は、図５０に示すように、該当する中間画像のピクセルデータが示す値とフェードイン対象静止画像のピクセルデータが示す値との差を９９で割り、その値とＮとを乗算した値にフェードイン対象静止画像のピクセルデータが示す値を加算する。透明化演算処理によって得られた各ピクセルデータは、フェードイン画像のピクセルデータとして用いられる。例えば、ある表示位置における中間画像のピクセルデータが（Ｒ，Ｇ，Ｂ＝２４０，１６０，１６０）で、同じ位置のフェードイン対象静止画像のピクセルデータが（Ｒ，Ｇ，Ｂ＝１８０，１３０，１３０）であり、Ｎ＝３３であった場合には、その位置のフェードイン画像のピクセルデータは（Ｒ，Ｇ，Ｂ＝２００，１４０，１４０）となる。なお、演算結果が整数にならない場合には、小数点以下を切り捨てるなどの処理を行うことによって整数になるようにすればよい。
【０２６２】
なお、図５０に示す「Ｎ」は、フェードイン画像の透明度を特定するための値であり、本例では１００段階に透明度を異ならせることができるように、０から９９までの整数をとるようにしている。この例では、「Ｎ」が「０」であるときにフェードイン画像がフェードイン対象静止画像と同一となり（すなわち、透明度が０％となる）、「Ｎ」が「９９」であるときにフェードイン画像が中間画像と同一となる（すなわち、透明度が１００％となる）。さらに具体的には、この例では、透明化演算処理に用いる図５０に示す数式の「Ｎ」を「９９」から「０」にかけて順次減算していくと、演算結果により得られるフェードイン画像は、中間画像がフェードイン対象静止画像に徐々に近づいていくようになる。なお、この例では、透明度を１００段階にしているが、他の複数段階とするようにしてもよい。その場合、「Ｎ」の取り得る値を変更（２００段階であれは０から１９９を取るようにすればよい）するとともに、その値に合わせて図５０に示す分母の「９９」を変更（２００段階であれば「１９９」に変更すればよい）するようにすればよい。
【０２６３】
また、図５０に示す透明化演算処理に用いられる数式は、フェードイン対象静止画像のピクセルデータが示す値が中間画像のピクセルデータが示す値よりも小さい場合に用いられる式であり、フェードイン対象静止画像のピクセルデータが示す値が中間画像のピクセルデータが示す値よりも大きい場合には、図５０に示す数式の「＋」を「−」にするとともに、分数で表されている部分の分子の各項を入れ替えた数式を用いるようにすればよい。すなわち、該当するフェードイン対象静止画像のピクセルデータが示す値と中間画像のピクセルデータが示す値との差を９９で割り、その値とＮとを乗算した値をフェードイン対象静止画像のピクセルデータが示す値から減算するようにすればよい。
【０２６４】
この例では、フェードイン処理での透明化演算処理を、図５０に示した数式等を用いることで行うようにしているが、他の演算処理を行うようにしてもよい。図５０に示す数式を用いると、Ｎの値を小さくしていくに連れて、中間画像から直線的にフェードイン対象静止画像に近づいていくようなフェードイン画像が得られるようになるが、例えば、中間画像から曲線的にフェードイン対象静止画像に近づいていくようなフェードイン画像が得られるような数式を用いるようにしてもよい。
【０２６５】
透明化演算処理によってフェードイン画像を作成すると、ＧＣＬ８１は、作成したフェードイン画像をＬＣＤ９に表示させる処理を実行する（ステップＳ２５３）。なお、本例では、ステップＳ２５３にて画像を表示する場合、ＧＣＬ８１は、上述したステップＳ２４４と同様の判定処理を実行し、動画像表示領域が設定されていると判定した場合には、上述したステップＳ２４５と同様にして、設定されている動画像表示領域に画像を表示する。
【０２６６】
そして、ＧＣＬ８１は、図５０に示す数式のＮの値を確認し（ステップＳ２５４）、Ｎの値が０でなければ、次のタイミングで実行されるフェードイン処理によってフェードイン対象静止画像の透明度をさらに低下させるためにＮの値を１減算した値に更新する（ステップＳ２５５）。一方、Ｎの値が０となっていれば、全く透明化されていない完全な状態でフェードイン対象静止画像がはっきりと表示された状態となっており、そのフェードイン対象静止画像を徐々に出現させていく一連のフェードイン処理が終了しているので、次回の一連のフェードイン処理を実行するときのために、Ｎの値を初期値である「９９」に更新しておく（ステップＳ２５６）。さらに、一連のフェードイン処理が終了したので、フェードインフラグをオフ状態とする（ステップＳ２５７）。
【０２６７】
なお、上述したフェードイン処理は、例えば、演出制御プロセス処理内における図柄変動中処理にてコールされる。フェードイン処理が開始される所定のタイミングで最初にコールされ、その後は、所定期間毎（例えば、１０ｍｓ毎）に所定回数（例えば、初回を入れて１００回）繰り返しコールされる。繰り返しコールされる度に減算されたＮの値を用いた透明化演算処理が実行されるので、フェードイン処理が繰り返し実行されることで、フェードイン対象静止画像の透明度が徐々に低下していくフェードイン表示がなされることになる。例えば、可変表示演出中に動画像による演出を開始するときに、フェードイン処理によって、フェードイン対象静止画像とされている動画像における最初の画像が徐々に出現してくるような表示がなされる。そして、最終的に、フェードイン対象静止画像が、透明度の低下していない完全な状態で表示される。その後、フェードイン対象静止画像を最初の画像とする動画像の再生が実行される。なお、繰り返し実行される一連のフェードイン処理を「フェードイン処理」という場合がある。
【０２６８】
図５１は、フェードイン処理が実行されているときにおけるＬＣＤ９の表示状態の例を示す説明図である。ここでは、大当り遊技状態中の遊技演出において、フェードイン処理が実行された場合を例に説明する。また、この例では、フェードイン対象静止画像として、動画像演出に用いられる動画像における最初の画像である人物の画像が用いられ、中間画像として、例えば白の単一色の画像が用いられる。
【０２６９】
フェードイン画像による演出を実行する場合には、静止画像による表示演出が終了したあと、図５１（Ａ）に示すようにＬＣＤ９に中間画像が表示し、フェードイン処理が開始される。フェードイン処理が開始されると、中間画像から図５１（Ｂ）に示すようにフェードイン対象静止画像が現れてきて、図５１（Ｃ）に示すように徐々にはっきりと表示されていくフェードイン画像が表示される。そして、最終的には、図５１（Ｄ）に示すように、フェードイン画像として、全く透明化されていない完全に不透明化された状態で人物の画像が表示される。なお、図５１（Ａ）に示すフェードイン画像は上述した透明化演算処理がＮ＝９９で実行されたことにより得られた画像であり、図５１（Ｂ）は透明化演算処理が例えばＮ＝６６で実行されたことにより得られた画像であり、図５１（Ｃ）は透明化演算処理が例えばＮ＝３３で実行されたことにより得られた画像であり、図５１（Ｄ）は透明化演算処理が例えばＮ＝０で実行されたことにより得られた画像である。
【０２７０】
図５１（Ｄ）に示す不透明化された状態で人物の画像が表示されてフェードイン処理が終了すると、本例では、最終的に表示されているフェードイン画像を初期画像とする動画像による演出が開始される。すなわち、例えば、不透明化された状態で表示されている人物が動き出して各種の動作を行うような動画像がＬＣＤ９に表示される。
【０２７１】
上記のように、動画像データに含まれている１フレーム分の画像データを用いてフェードイン表示を行う構成としたことで、動画像データのデータ量を増大させることなく、フェードイン表示を行うことができる。よって、動画像データの格納領域の必要容量を抑えることができる。また、動画像データのデータ量が増大してしまうようなことがないため、フェードイン表示の実行期間を短くする必要がなくなり、演出期間が十分に確保されているフェードイン表示を行うことができる。よって、フェードイン表示を円滑に行うことができる。
【０２７２】
また、上述したように、フェードイン処理にて、所定の中間画像を介して段階的に画像を出現させるように構成されているので、徐々に画像が現れてくる様子を容易に視認することができるようなフェードイン表示を行うことができる。
【０２７３】
次に、演出制御手段によるフェードアウト処理について説明する。図５２は、ＧＣＬ８１が実行するフェードアウト処理の例を示すフローチャートである。フェードアウト処理は、例えば、静止画像による演出と動画像による演出とが切り替わるときに実行される。ここでは、フェードアウト処理として、動画像による演出が終了して静止画像による演出に切り替わる際に、フェードアウト対象静止画像の透明度を徐々に高めていくようにして、フェードアウト対象静止画像が徐々に消失していくようにするための処理が実行される。なお、フェードアウト対象静止画像には、例えば、演出に用いられる動画像のうち最後に表示される画像とされる。この場合、シーケンスにおいて最後に再生されるピクチャがフェードアウト対象静止画像とされる。
【０２７４】
フェードアウト処理において、ＧＣＬ８１は、フェードアウト対象静止画像格納エリアに格納されているフェードアウト対象静止画像の画像データを読み出すとともに、中間画像として予め定められている画像データを読み出す（ステップＳ２６１）。中間画像には、例えば、青や白などの単一色の背景画像が用いられる。
【０２７５】
次いで、ＧＣＬ８１は、透明化演算処理を実行することによってフェードアウト画像を作成する（ステップＳ２６２）。透明化演算処理として、本例では、図５３に示すような演算を行う。透明化演算処理では、フェードアウト対象静止画像における各ピクセルデータ（各ピクセルの表示色を特定するためのＲ，Ｇ，Ｂデータ）のそれぞれについて、表示位置が同一となる中間画像における各ピクセルデータを用いた演算処理が行われる。具体的には、透明化演算処理は、図５３に示すように、該当する中間画像のピクセルデータが示す値とフェードアウト対象静止画像のピクセルデータが示す値との差を９９で割り、その値とＭとを乗算した値にフェードアウト対象静止画像のピクセルデータが示す値を加算する。透明化演算処理によって得られた各ピクセルデータは、フェードアウト画像のピクセルデータとして用いられる。例えば、ある表示位置における中間画像のピクセルデータが（Ｒ，Ｇ，Ｂ＝２４０，１６０，１６０）で、同じ位置のフェードアウト対象静止画像のピクセルデータが（Ｒ，Ｇ，Ｂ＝１８０，１３０，１３０）であり、Ｍ＝６６であった場合には、その位置のフェードアウト画像のピクセルデータは（Ｒ，Ｇ，Ｂ＝２２０，１５０，１５０）となる。なお、演算結果が整数にならない場合には、小数点以下を切り捨てるなどの処理を行うことによって整数になるようにすればよい。
【０２７６】
なお、図５３に示す「Ｍ」は、フェードアウト画像の透明度を特定するための値であり、本例では１００段階に透明度を異ならせることができるように、０から９９までの整数をとるようにしている。この例では、「Ｍ」が「０」であるときにフェードアウト画像がフェードアウト対象静止画像と同一となり（すなわち、透明度が０％となる）、「Ｍ」が「９９」であるときにフェードアウト画像が中間画像と同一となる（すなわち、透明度が１００％となる）。さらに具体的には、この例では、透明化演算処理に用いる図５３に示す数式の「Ｍ」を「０」から「９９」にかけて順次加算していくと、演算結果により得られるフェードアウト画像は、フェードアウト対象静止画像が中間画像に徐々に近づいていくようになる。なお、この例では、透明度を１００段階にしているが、他の複数段階とするようにしてもよい。その場合、「Ｍ」の取り得る値を変更（２００段階であれは０から１９９を取るようにすればよい）するとともに、その値に合わせて図５３に示す分母の「９９」を変更（２００段階であれば「１９９」に変更すればよい）するようにすればよい。
【０２７７】
また、図５３に示す透明化演算処理に用いられる数式は、フェードアウト対象静止画像のピクセルデータが示す値が中間画像のピクセルデータが示す値よりも小さい場合に用いられる式であり、フェードアウト対象静止画像のピクセルデータが示す値が中間画像のピクセルデータが示す値よりも大きい場合には、図５３に示す数式の「＋」を「−」にするとともに、分数で表されている部分の分子の各項を入れ替えた数式を用いるようにすればよい。すなわち、該当するフェードアウト対象静止画像のピクセルデータが示す値と中間画像のピクセルデータが示す値との差を９９で割り、その値とＭとを乗算した値をフェードアウト対象静止画像のピクセルデータが示す値から減算するようにすればよい。
【０２７８】
この例では、フェードアウト処理での透明化演算処理を、図５３に示した数式等を用いることで行うようにしているが、他の演算処理を行うようにしてもよい。図５３に示す数式を用いると、Ｍの値を大きくしていくに連れて、フェードアウト対象静止画像から直線的に中間画像に近づいていくようなフェードアウト画像が得られるようになるが、例えば、フェードアウト対象静止画像から曲線的に中間画像に近づいていくようなフェードアウト画像が得られるような数式を用いるようにしてもよい。
【０２７９】
透明化演算処理によってフェードアウト画像を作成すると、ＧＣＬ８１は、作成したフェードアウト画像をＬＣＤ９に表示させる処理を実行する（ステップＳ２６３）。なお、本例では、ステップＳ２６３にて画像を表示する場合、ＧＣＬ８１は、上述したステップＳ２４４と同様の判定処理を実行し、動画像表示領域が設定されていると判定した場合には、上述したステップＳ２４５と同様にして、設定されている動画像表示領域に画像を表示する。
【０２８０】
そして、ＧＣＬ８１は、図５３に示す数式のＭの値を確認し（ステップＳ２６４）、Ｍの値が９９でなければ、次のタイミングで実行されるフェードアウト処理によってフェードアウト対象静止画像の透明度をさらに高めるためにＭの値を１加算した値に更新する（ステップＳ２６５）。一方、Ｍの値が９９となっていれば、完全に透明化されてフェードアウト対象静止画像による画像が消失した状態となっており、そのフェードアウト対象静止画像を徐々に消失させていく一連のフェードアウト処理が終了しているので、次回の一連のフェードアウト処理を実行するときのために、Ｍの値を初期値である「０」に更新しておく（ステップＳ２６６）。さらに、一連のフェードアウト処理が終了したので、フェードアウトフラグをオフ状態とする（ステップＳ２６７）。
【０２８１】
なお、上述したフェードアウト処理は、例えば、演出制御プロセス処理内における図柄変動中処理にてコールされる。フェードアウト処理が開始される所定のタイミングで最初にコールされ、その後は、所定期間毎（例えば、１０ｍｓ毎）に所定回数（例えば、初回を入れて１００回）繰り返しコールされる。繰り返しコールされる度に加算されたＭの値を用いた透明化演算処理が実行されるので、フェードアウト処理が繰り返し実行されることで、フェードアウト対象静止画像の透明度が徐々に高められていくフェードアウト表示がなされることになる。例えば、可変表示演出中に動画像による演出が実行され、その動画像による演出が終了するときに、フェードアウト処理によって、フェードアウト対象静止画像とされている動画像における最後の画像が徐々に消失しているような表示がなされる。そして、最終的に、フェードアウト対象静止画像が完全に透明化され、中間画像が表示された状態となる。すると、動画像による遊技演出が終了し、例えば、静止画像による演出が開始される。なお、繰り返し実行される一連のフェードアウト処理を「フェードアウト処理」という場合がある。
【０２８２】
図５４は、フェードアウト処理が実行されているときにおけるＬＣＤ９の表示状態の例を示す説明図である。ここでは、大当り遊技状態中の遊技演出において、フェードアウト処理が実行された場合を例に説明する。また、この例では、フェードアウト対象静止画像として、動画像演出に用いられる動画像における最後の画像である人物の画像が用いられ、中間画像として、例えば白の単一色の画像が用いられる。
【０２８３】
フェードアウト画像による演出を実行する場合には、図５４（Ａ）に示すように、再生されていた動画像の最後の画像が表示されたときに、フェードアウト処理が開始される。フェードアウト処理が開始すると、図５４（Ｂ）に示すようにフェードアウト対象静止画像が徐々にぼやけてきて、図５４（Ｃ）に示すように徐々に視認しにくい状態となっていく表示状態とされていくようなフェードアウト画像が表示される。そして、最終的には、図５４（Ｄ）に示すように、フェードアウト画像として、完全に透明化されて人物の画像が消失した状態の画像であって、中間画像と同一の画像が表示される。なお、図５４（Ａ）に示すフェードアウト画像は上述した透明化演算処理がＭ＝０で実行されたことにより得られた画像であり、図５４（Ｂ）は透明化演算処理が例えばＭ＝３３で実行されたことにより得られた画像であり、図５４（Ｃ）は透明化演算処理が例えばＭ＝６６で実行されたことにより得られた画像であり、図５４（Ｄ）は透明化演算処理が例えばＭ＝９９で実行されたことにより得られた画像である。
【０２８４】
図５４（Ｄ）に示す中間画像と同一のフェードアウト画像が表示されてフェードアウト処理が終了すると、例えば静止画像による演出など、その後の演出が開始される。なお、フェードアウト処理が終了したことによって演出が終了するようにしてもよい。
【０２８５】
上記のように、動画像データに含まれている１フレーム分の画像データを用いてフェードアウト表示を行う構成としたことで、動画像データのデータ量を増大させることなく、フェードアウト表示を行うことができる。よって、動画像データの格納領域の必要容量を抑えることができる。また、動画像データのデータ量が増大してしまうようなことがないため、フェードアウト表示の実行期間を短くする必要がなくなり、演出期間が十分に確保されているフェードアウト表示を行うことができる。よって、フェードアウト表示を円滑に行うことができる。
【０２８６】
また、上述したように、フェードアウト処理にて、段階的に画像を消滅させて所定の中間画像を表示させるように構成されているので、徐々に画像が消失していく様子を容易に視認することができるようなフェードアウト表示を行うことができる。
【０２８７】
次に、演出制御手段による半透明化処理について説明する。図５５は、ＧＣＬ８１が実行する半透明化処理の例を示すフローチャートである。半透明化処理は、動画像データとして予め用意されている合成対象画像から合成画像を生成するための合成実行画像を生成するための処理であり、合成対象画像の透明度（透過度）を奥行表示位置情報に基づいて低下させ、奥行表示位置情報に応じた透明度とした合成実行画像を生成するための処理が実行される。
【０２８８】
半透明化処理において、ＧＣＬ８１は、合成対象画像群指定ポインタが指す合成対象画像保存領域群の中の、処理数に応じた合成対象画像保存領域から合成対象画像の画像データを読み出すとともに、予め定められている背景画像の画像データを読み出す（ステップＳ２７１）。背景画像には、例えば、青や白などの単一色の画像が用いられる。
【０２８９】
合成対象画像群指定ポインタは、例えばＳＤＲＡＭ８４の所定の領域に設けられ、今回の半透明化処理にて用いられる複数の合成対象画像が格納された合成対象画像保存領域群を指すポインタである。例えば、合成対象画像保存領域群０から合成対象画像保存領域群１１までの１２個の合成対象画像保存領域群が設けられている場合には、合成対象画像群指定ポインタは、０〜１１までの範囲の値をとり、上述したステップＳ２４３にて合成対象画像群指定ポインタの値が１加算されるように構成される。なお、合成対象画像群指定ポインタの値が１２となった場合には０に戻される。
【０２９０】
次いで、ＧＣＬ８１は、合成対象画像データを読み出した合成対象画像保存領域に格納されている奥行表示位置情報が示す値を、半透明化演算処理で用いられる数式の変数Ｐ（図５６参照）に設定し（ステップＳ２７２）、透明化演算処理を実行することによって合成実行画像を生成する（ステップＳ２７３）。次いで、ＧＣＬ８１は、生成した合成実行画像の画像データを、該当する奥行表示位置情報とともに、合成実行画像格納領域に格納する（ステップＳ２７４）。合成実行画像格納領域は、１つの合成画像を生成するための複数の合成実行画像がそれぞれ格納される格納領域であり、例えばＳＤＲＡＭ８４の所定の領域に設けられている。ステップＳ２７４では、合成実行画像格納領域中の処理数に対応した格納領域に、生成した合成実行画像データと奥行表示位置情報とが格納される。
【０２９１】
半透明化処理にて実行される透明化演算処理として、本例では、図５６に示すような演算を行う。この透明化演算処理では、合成対象画像における各ピクセルデータ（各ピクセルの表示色を特定するためのＲ，Ｇ，Ｂデータ）のそれぞれについて、表示位置が同一となる背景画像における各ピクセルデータを用いた演算処理が行われる。具体的には、透明化演算処理は、図５６に示すように、該当する背景画像のピクセルデータが示す値と合成対象画像のピクセルデータが示す値との差を９９で割り、その値とＰとを乗算した値に合成対象画像のピクセルデータが示す値を加算する。透明化演算処理によって得られた各ピクセルデータは、合成実行画像のピクセルデータとして用いられる。例えば、ある表示位置における背景画像のピクセルデータが（Ｒ，Ｇ，Ｂ＝２４０，１６０，１６０）で、同じ位置の合成対象画像のピクセルデータが（Ｒ，Ｇ，Ｂ＝１８０，１３０，１３０）であり、Ｐ＝３３であった場合には、その位置の合成実行画像のピクセルデータは（Ｒ，Ｇ，Ｂ＝２００，１４０，１４０）となる。なお、演算結果が整数にならない場合には、小数点以下を切り捨てるなどの処理を行うことによって整数になるようにすればよい。
【０２９２】
なお、図５６に示す「Ｐ」は、合成実行画像の透明度を特定するための値であり、本例では１００段階に透明度を異ならせることができるように、０から９９までの整数をとるようにしている。本例では、合成実行画像の透明度を異ならせることによって、奥行き感が出るようにしている。従って、奥行表示位置情報が示す値によって、「Ｐ」の値すなわち合成実行画像の透明度が決定される。例えば、奥行表示位置情報が示す値が２０であればＰが２０に設定されるようにすればよい。この例では、「Ｐ」が「０」であるときに合成実行画像が合成対象画像と同一となり（すなわち、透明度が０％となる）、「Ｐ」が「９９」であるときに合成実行画像が背景画像と同一となる（すなわち、透明度が１００％となる）。なお、この例では、透明度を１００段階にしているが、他の複数段階とするようにしてもよい。その場合、「Ｐ」の取り得る値を変更（２００段階であれは０から１９９を取るようにすればよい）するとともに、その値に合わせて図５６に示す分母の「９９」を変更（２００段階であれば「１９９」に変更すればよい）するようにすればよい。
【０２９３】
また、図５６に示す透明化演算処理に用いられる数式は、合成対象画像のピクセルデータが示す値が背景画像のピクセルデータが示す値よりも小さい場合に用いられる式であり、合成対象画像のピクセルデータが示す値が背景画像のピクセルデータが示す値よりも大きい場合には、図５６に示す数式の「＋」を「−」にするとともに、分数で表されている部分の分子の各項を入れ替えた数式を用いるようにすればよい。すなわち、該当する合成対象画像のピクセルデータが示す値と背景画像のピクセルデータが示す値との差を９９で割り、その値とＰとを乗算した値を合成対象画像のピクセルデータが示す値から減算するようにすればよい。
【０２９４】
この例では、半透明化処理での透明化演算処理を、図５６に示した数式等を用いることで行うようにしているが、他の演算処理を行うようにしてもよい。図５６に示す数式を用いると、Ｐの値を小さくしていくに連れて、背景画像から直線的に合成対象画像に近づいていくような合成実行画像が得られるようになるが、例えば、背景画像から曲線的に合成対象画像に近づいていくような合成実行画像が得られるような数式を用いるようにしてもよい。
【０２９５】
図５７は、合成対象画像と合成実行画像とを示す説明図である。図５８は、合成画像が表示されているときのＬＣＤ９の表示状態の例を示す説明図である。
【０２９６】
図５７（Ａ）〜図５７（Ｃ）は、合成画像の生成に用いられる合成対象画像が示されている。例えば、ステップＳ２３７〜ステップＳ２３９のループ処理にて、奥行表示位置情報が示す値に基づく半透明化処理が繰り返し３回実行されることによって、図５７（Ａ）〜図５７（Ｃ）に示す各合成対象画像から、図５７（ａ）〜図５７（ｃ）に示す合成実行画像がそれぞれ生成される。
【０２９７】
この例では、図５７（Ａ）に示す合成対象画像の奥行表示位置情報が示す値が最も小さく（例えば「０」）、図５７（Ｃ）に示す合成対象画像の奥行表示位置情報が示す値が最も大きい（例えば「５０」）。すなわち、図５７（Ａ）に示す合成対象画像の優先度が最も高く、図５７（Ｃ）に示す合成対象画像の優先度が最も低くなるように、各合成対象画像の奥行表示位置情報が設定されている。
【０２９８】
図５７（Ａ）に示す合成対象画像は奥行表示位置情報が示す値が「０」であるので、半透明化処理によって、図５７（Ａ）に示す合成対象画像から同一画像の図５７（ａ）に示す合成実行画像が生成される。つまり、図５７（ａ）に示す合成対象画像は、透明度が低下されていない図５７（Ａ）に示す合成対象画像と同一の画像となっている。
【０２９９】
また、半透明化処理によって、図５７（Ｂ）に示す合成対象画像から透明度が低下された図５７（ｂ）に示す合成実行画像が生成され、図５７（Ｃ）に示す合成対象画像から透明度がさらに低下された図５７（ｃ）に示す合成実行画像が生成される。
【０３００】
そして、図５７（ａ）〜図５７（ｃ）に示す各合成実行画像が、奥行表示位置情報が示す値に応じた優先度に基づいて合成されることによって、図５８（Ａ）に示す合成画像が生成される。この優先度は、奥行表示位置情報が示す値が小さいほど高く、奥行表示位置情報が示す値が大きいほど低い。すなわち、奥行表示位置情報が示す値は、ＬＣＤ９の表示画面における奥行方向の座標軸を示す値とされており、最も手前の表示位置とするときに「０」とされ、奥側に行けば行くほど大きい値をとるように設定される。
【０３０１】
上記のような複数回の半透明化処理を繰り返し実行する動画再生処理が繰り返し実行されることで、合成画像による動画演出が行われる。具体的には、例えば、動画像演出にて、図５８（Ａ）に示す合成画像が表示されたあと、図５８（Ｂ）や図５８（Ｃ）に示す合成画像が表示されて、視点が徐々に左側にずれていくような動画像表示が実行される。
【０３０２】
なお、上記の例では、説明を簡単にするために、３本の木が前後方向に並んでいる合成画像を用いた動画像による遊技演出を行う例について説明したが、どのような動画像による遊技演出であってもよく、例えば、立体的な空間内で花びらや木の葉が散っていくような場面を表示する動画像を用いるようにしても、立体的な空間内で雨が降っているような場面を表示する動画像を用いるようにしてもよい。
【０３０３】
上記のように、表示制御手段が、奥行表示位置情報にもとづいて動画像データ内の合成対象画像データに半透明化処理を施して合成実行画像データを生成し、生成した合成実行画像データを合成した合成画像データを用いて動画像による遊技演出を実行する構成としたので、優先度の低い前後方向の後側に表示される画像の透過度と、手前側に表示される優先度の高い画像の透過度とを異ならせることで奥行感の高められた映像を表示することができ、立体感がより高められた臨場感のある演出表示を行うことができる。特に、上記の実施の形態では、優先度の低い前後方向の後側に表示される画像の透過度を、手前側に表示される優先度の高い画像の透過度よりも高くして、後側に合成される画像の透明度を高めるようにしているので、奥行感を強調させた現実の空間に近い画像を得ることができる。よって、優先度の低い前後方向の後側に表示される画像の透過度と、手前側に表示される優先度の高い画像の透過度の差を調整することによって、現実の空間を見ているかのようなリアルな映像を表示することができ、さらに立体感が高められた臨場感のある演出表示を行うことができる。
【０３０４】
本例の遊技機では、上述した復号化処理と動画再生処理とが実行されることで、静止表示対象ピクチャを用いて静止表示処理が実行される。すなわち、動画像データに含まれている予め定められた１フレーム分の画像データにもとづく画像表示が繰り返し実行されることで、同一画像が所定期間継続して表示されることになり、動画像データに含まれている画像データを用いた静止表示が実現される。
【０３０５】
静止表示対象ピクチャは、例えば、演出に用いられる動画像において、表示画像の変化が所定期間ないような場面を示す画像とされる。静止表示対象ピクチャによる静止表示対象画像が所定期間表示されると、静止表示対象ピクチャのあとに設けられている各ピクチャによって動画表示が実行される。
【０３０６】
図５９は、静止表示対象ピクチャを用いて静止表示処理が実行されるときのＬＣＤ９の表示状態の例を示す説明図である。ここでは、大当り遊技状態中の遊技演出において、静止表示対象ピクチャによる静止表示対象画像の静止表示処理が実行された場合を例に説明する。また、この例では、静止表示対象画像として、動画像演出における表示画像の変化が所定期間ない場面を構成する人物の画像が用いられる。
【０３０７】
静止表示対象画像による演出を実行する場合には、図５９（Ａ）及び図５９（Ｂ）に示すように例えば人物が動作している動画象が表示されたあと、図５９（Ｃ）に示すように動作していた人物が停止した画像が表示される。なお、図５９（Ｃ）に示す画像は、静止表示対象画像である。
【０３０８】
図５９（Ｃ）に示すように静止表示対象画像がＬＣＤ９に一旦表示されると、図５９（Ｄ）及び図５９（Ｅ）に示すように、静止表示時間タイマがタイムアウトするまで静止表示対象画像が繰り返し継続して表示される。そして、予め定められている所定期間が経過して静止表示時間タイマがタイムアウトすると、図５９（Ｆ）及び図５９（Ｇ）に示すように静止していた人物が動き出して各種の動作を行うような動画像がＬＣＤ９に表示され、ＬＣＤ９にて動画像演出が実行される。
【０３０９】
上記のように、動画像データに含まれている１フレーム分の画像データを用いて表示画像を所定期間静止させる静止表示を行う構成としたことで、動画像演出中に表示画面の変化がない場面が存在する場合に、そのような場面を表示させるための動画像データを用意しておく必要をなくすことができるので、静止表示を行うための動画像データを削減することができ、動画像データ全体のデータ量を低減させることができる。よって、動画像データの格納領域の必要容量を抑えることができる。
【０３１０】
次に、動画像表示領域について説明する。図６０は、ステップＳ２８２にて設定される動画像表示領域の例を示す説明図である。図６０に示すように、本例では、動画像表示領域は、ＬＣＤ９の表示領域の特別図柄表示領域内に設けられている。なお、特別図柄表示領域は、特別図柄の可変表示演出が実行される表示領域を意味する。この例では、特別図柄の可変表示演出が実行されている特別図柄表示領域中の動画像表示領域にて、動画像による演出表示が実行される。従って、例えば、可変表示あるいは停止表示している特別図柄の前面側に、動画像による表示キャラクタなどが表示される。
【０３１１】
図６１は、動画像演出を実行しているときの動画像表示領域の表示状態の例を示す説明図である。ここでは、特別図柄表示領域にてリーチ表示がなされたあとのリーチ演出において、動画像による演出表示が実行される場合を例に説明する。動画像による演出表示を実行するか否かは、例えば、演出制御用ＣＰＵ１０１が、演出制御プロセス処理において、変動パターンコマンドを受信したときに、受信した変動パターンコマンドの内容に応じて決定する。この決定は、例えば、乱数や、抽出された乱数と比較される動画演出決定用の判定値が設定されたテーブルなどを用いて行うようにすればよい。また、この場合、例えば、変動パターンコマンドが大当りとすることを示している場合やリーチとすることを示している場合には、高確率で動画像による演出表示を行うことに決定されるように、動画演出決定用の判定値が設定されたテーブルを複数用意するようにしてもよい。さらに、動画像による演出表示を実行することに決定した場合には、演出制御用ＣＰＵ１０１は、例えば使用するシーケンスを選択するなどして演出態様を決定するとともに、動画像演出の実行開始タイミングを決定する。
【０３１２】
本例では、特別図柄の可変表示演出において、左右図柄が例えば「７」で揃ってリーチとなり、その後に変動表示されている中図柄が低速変動となって、中図柄の停止位置に「６」が近づいてきたときに動画像によるリーチ演出が開始されるものとする。また、本例では、動画像によるリーチ演出が終了したあと、大当り表示がなされるものとする。
【０３１３】
先ず、動画像によるリーチ演出を開始するときに、ＧＣＬ８１によって、リーチ演出に用いることに決定されている動画像データ中の領域指定データにもとづいて、動画像表示領域が設定される（ステップＳ２８２参照）。例えば、領域指定データにもとづいて、上述した図６０に示されているように、中図柄の可変表示領域に動画像表示領域が設定される。
【０３１４】
この例では、特別図柄表示領域にて、左右図柄が「７」で仮停止されてリーチ表示がなされ、最終停止図柄である中図柄が低速変動され、特別図柄表示領域中の動画像表示領域に中図柄「６」が表示されているときに（図６１（Ａ））、動画像データに基づく動画像演出が開始される。動画像演出が開始されると、ＧＣＬ８１によって、特別図柄表示領域中の動画像表示領域に表示されていた特別図柄の画像（図６１（Ａ））から、動画像演出における最初の画像に切り替えられる。本例では、動画像演出における最初の画像として、例えば図６１（Ｂ）に示すような「６」を模したキャラクタ画像が用いられる。すなわち、動画像表示領域にて、図６１（Ａ）に示すようなリーチ表示中に低速変動されてきた中図柄の「６」を示す画像が、図６１（Ｂ）に示すような「６」を模したキャラクタを示す画像に切り替えられる。
【０３１５】
次いで、ＧＣＬ８１によって、動画像演出における最初の画像から、動画像データに基づく動画演出が実行される。例えば、図６１（Ｃ）に示すような「７」を模したキャラクタが現れ、「６」を模したキャラクタを動画像表示領域から追い出していく映像が動画再生される。そして、「６」を模したキャラクタが動画像表示領域から完全に消失し、「６」を模したキャラクタを追い出した「７」を模したキャラクタが、動画像表示領域の中心位置（例えば特別図柄表示領域における図柄停止位置）に移動していくような映像が動画再生される。動画像演出において、最終的に、図６１（Ｄ）に示すような、「７」を模したキャラクタが動画像表示領域の中心位置で正面を向いたような画像が表示される。
【０３１６】
動画像データに基づく動画像のうちの最終画像（例えば図６１（Ｄ）に示す画像）が表示され、動画像によるリーチ演出が終了すると、ＧＣＬ８１によって、特別図柄表示領域中の動画像表示領域に表示されている動画像演出における最後の画像（例えば図６１（Ｄ）に示す画像）から、所定の特別図柄を示す画像に切り替えられる。本例では、動画像演出における最後の画像から切り替えられる特別図柄を示す画像として、例えば図６１（Ｅ）に示すような「７」の中図柄を示す画像が用いられる。すなわち、動画像表示領域にて、図６１（Ｄ）に示すような「７」を模したキャラクタの画像が、図６１（Ｅ）に示すような仮停止状態の中図柄としての「７」を示す画像に切り替えられる。そして、この例では、左中右図柄が「７」で確定表示され、大当り表示とされる。その後、大当り遊技に移行する。
【０３１７】
上記のように、特別図柄が表示される特別図柄表示領域の一部に、動画像を表示するための動画像表示領域を設定し、動画像表示領域に、キャラクタ等が登場する動画像の動画再生を行う構成としたので、動画像による演出を目立つようにすることができ、たとえ特別図柄が表示されていたとしても、遊技者の注意を動画像による演出に向けさせることができるようになる。このように、遊技者の注意を動画像に引き付けさせることができるので、動画像による演出を有効なものとすることができ、動画像による演出を用いてリーチ演出などの様々な報知を行うことができる。
【０３１８】
また、上述したように、特別図柄表示領域の表示態様がリーチ表示態様となったあと最後に停止する図柄が低速変動状態となっているときに、特別図柄表示領域における動画像表示領域の表示を動画像による演出表示に切り替え、特別図柄表示領域の表示態様がリーチ表示態様となっている期間中に、リーチ演出として、動画像表示領域にてキャラクタ画像を用いた動画演出を実行するようにしたので、たとえ特別図柄が表示されていたとしても、動画像によるリーチ演出を目立つようにすることができる。よって、動画像によるリーチ演出を有効なものとすることができる。
【０３１９】
図６２は、可変表示装置９に表示される表示態様選択画面の例を示す説明図である。表示態様選択画面は、例えば、リーチ演出などの動画像による演出が開始されるとき（所定の表示態様選択受付タイミングとなったとき）に、ＧＣＬ８１の制御によって表示される。表示態様選択画面は、演出制御手段が遊技者に提示する複数の選択肢から一の選択肢を選択させたり、遊技者に提示する情報を選択するか否かを遊技者に決定させたりして、選択結果または決定結果に応じて、可変表示装置９、演出用のランプ・ＬＥＤ２４およびスピーカ２０Ｌ，２０Ｒの全部または一部を用いて実行される演出である。
【０３２０】
この例では、リーチ演出などの動画像による演出が開始されるときに、図６２に示すように、２種類の表示サイズ（例えば「通常」と「拡大」）が可変表示装置９に表示される。そのとき、特別図柄が表示されている図柄表示エリアは可変表示部１７０において右上方に移動しているものとする。また、可変表示部１７０には、選択有効期間を報知するための選択有効期間表示領域が表示されている。選択有効期間において遊技者がいずれかを選択すると、選択された方の表示サイズの輝度が上がるとともに、「これでよいですか？」の文字が可変表示部１７０の下方に表示される。また、いずれかが選択された後、他方の選択がなされると他方の輝度が上がるとともに、既に選択されていた方の輝度が元に戻る。また、再度「これでよいですか？」の文字が表示される。そして、選択有効期間が終了すると、最後に選択された表示サイズのみが、例えば可変表示領域の中心部分に表示されるようになる。
【０３２１】
なお、この実施の形態では、可変表示部１７０に選択有効期間表示領域を画像表示するが、例えば「表示サイズを選択して下さい」の表示開始時期（図６２参照）から「これでよいですか？」の表示開始時期までを選択有効期間としてもよい。すなわち、選択有効期間終了時に、「これでよいですか？」の表示を行うようにしてもよい。いずれの方式を採用しても、演出制御手段は、限られた期間においてのみ、人体センサの検出信号を監視する処理を行えばよい。
【０３２２】
例えば選択有効期間が終了したときに、遊技者の選択に応じた表示サイズで動画像による表示演出が開始される。例えば、「通常」の表示サイズが選択されていた場合には、図６３（Ａ）に示すように、動画像データにもとづく通常の表示サイズで動画像が再生される。一方、「拡大」の表示サイズが選択されていた場合には、図６３（Ｂ）に示すように、例えば通常の表示画像の中心部分の所定範囲に表示される部分を拡大させた画像によって、表示キャラクタのサイズが拡大された画像が表示される。すなわち、表示領域の大きさは共通であるが、一方は、表示キャラクタが動画像データにもとづく通常の大きさで表示され、他方は、表示キャラクタが動画像データにもとづく通常の大きさよりも拡大された状態で表示される。
【０３２３】
この場合、例えば、動画像データにもとづく各画面の一部のピクセルデータを用いて表示サイズを拡大させた画像データを生成し、その生成した画像データを用いて動画像を表示するようにしてもよい。また、通常の表示サイズで動画表示するための動画像データと、拡大サイズで動画表示するための動画像データとを別個に備えるようにしてもよい。
【０３２４】
なお、表示サイズの選択は、遊技者がタッチ部１６１ａ，１６２ｂに指等を当てることによってなされるが、具体的には、上述したように、発光部６５ａ，６５ｂと受光部６６ａ，６６ｂとによる人体センサの検出信号にもとづいて、ＧＣＬ８１がいずれの選択肢が選択されたのかを判断する。
【０３２５】
上記のように、人体センサを設けるようにして、遊技者からの指示に従って表示態様を異ならせる構成としたことで、遊技演出の種類を豊富なものとして、遊技演出の内容を多様化させることができるので、遊技の興趣を向上させることができるようになる。また、遊技者の意思によって表示態様を異ならせることができるので、各遊技者の好みに合った表示態様の動画像を表示させることができるようになる。
【０３２６】
なお、上記の実施の形態では、遊技者に選択させる表示態様として、表示サイズを例にしていたが、他の表示態様を遊技者に選択させるようにしてもよい。例えば、表示画面の視点を選択させる（例えば、通常の画面が正面から見た状態とし、上方から見た状態、下方から見た状態、右から見た状態、あるいは左から見た状態の何れかを選択させる）ようにしたり、色の明るさや濃さを選択させるようにしてもよい。人体センサを用いて、フェードイン表示を行うか否か、フェードアウト表示を行うか否か、静止表示を行うか否か、合成画像による動画演出を行うか否か、あるいは、動画像表示領域での演出表示を行うか否かを遊技者に選択させるようにしてもよい。また、特定のリーチ演出や予告演出などの遊技演出について、動画像データにもとづく動画像による演出と、動画像によらない演出とを予め用意しておき、人体センサを用いて、動画像による演出を行うか、動画像によらない演出を行うかを遊技者に選択させるようにしてもよい。さらに、人体センサを用いて、フェードイン表示を行うか否か、フェードアウト表示を行うか否か、静止表示を行うか否か、合成画像による動画演出を行うか否か、動画像表示領域での演出表示を行うか否かのうちの任意の組み合わせを遊技者に選択させるようにしてもよい。上記のように構成すれば、遊技演出の種類をさらに豊富なものとし、遊技演出の内容をさらに多様化させることができるので、遊技の興趣をより向上させることができるようになる。また、遊技者の意思によって演出や表示の内容を異ならせることができるので、各遊技者の好みに合った態様の動画像により演出を行うことができるようになる。
【０３２７】
また、上記の実施の形態では、動画像によるリーチ演出を開始するときに表示態様を選択するとしていたが、表示態様の選択を他のタイミングで行うようにしてもよい。例えば、デモンストレーション画面を表示しているときに、将来実行される遊技演出での表示態様をあらかじめ選択させておくようにしてもよい。また、演出の実行途中に選択させるようにしてもよい。
【０３２８】
また、上記の実施の形態では、遊技者にリーチ演出での表示態様を選択させる構成としていたが、大当り演出や予告演出などの他の演出における表示態様を選択させるようにしてもよい。
【０３２９】
なお、上述した実施の形態では、特別図柄の表示態様がリーチ表示態様となったあと最後に停止する図柄が低速変動状態となっているときに、動画像による演出を開始する構成としていたが、特別図柄の表示態様がリーチ表示態様となったあとであれば、どのようなタイミングで動画像による動画演出を開始するようにしてもよい。すなわち、特別図柄の表示態様がリーチ表示態様となったことにもとづくタイミングであれば、どのようなタイミングで動画像による演出への切替条件が成立するようにしてもよい。
【０３３０】
また、上述した実施の形態では、動画像表示領域が、特別図柄表示領域における中図柄の表示領域に設定される構成としていたが、特別図柄表示領域内の領域であれば、例えば特別図柄表示領域における中図柄及び右図柄の表示領域など、どのような領域に設定されるようにしてもよい。また、動画像データによって設定される動画像表示領域が異なる構成としてもよい。この場合、動画像データ内に設定される領域指定データを異ならせるようにすればよい。
【０３３１】
また、上述した実施の形態では、特別図柄の表示状態がリーチ状態となっているときに、動画像表示領域での動画像による演出表示が実行されるものとして説明していたが、特別図柄の表示状態が図柄変動中処理における他の状態となっているときに実行されるようにしてもよい。例えば、リーチや大当りとなることを予告報知するための予告演出として、動画像データに基づく動画像演出を行うようにしてもよい。また、図柄変動中処理以外の処理が実行されているときの演出として、動画像データに基づく動画像演出を行うようにしてもよい。例えば、大当り遊技状態における大当りラウンド中や大当りラウンド間に実行される大当り演出として、動画像データに基づく動画像演出を行うようにしてもよい。この場合、可変表示ゲームの実行中には限らないが、演出において特別図柄が表示されているときに、動画像表示領域にて動画像データに基づく動画像演出が実行されることが好ましい。
【０３３２】
図６４は、この実施の形態で使用されるリーチ演出の演出態様の例を示す説明図である。図６４に示すように、この例では、リーチ演出として、ノーマルリーチ、リーチＡ、リーチＢおよびリーチＣの４種類のリーチ演出が予め用意されている。ノーマルリーチは、特別図柄の表示状態がリーチ態様（左右図柄が同じ図柄で揃った状態）となったあとに、リーチ態様を維持したまま最後に停止する特別図柄（中図柄）を通常の速さで回転させる演出である。すなわち、ノーマルリーチは、遊技者の大当りへの期待を高めるような特殊な演出ではない通常のリーチ演出である。リーチＡは、ノーマルリーチの発展形であり、リーチ態様を維持したまま最後に停止する特別図柄（中図柄）が通常の速さで回転し、所定期間が経過したときに、その特別図柄を高速回転させる演出である。リーチＢは、ノーマルリーチの発展形であり、リーチ態様を維持したまま最後に停止する特別図柄（中図柄）が通常の速さで回転し、所定期間が経過したときに、その特別図柄を逆回転させる演出である。すなわち、リーチＢは、いわゆる戻り演出（図柄の停止位置を過ぎたあとに逆回転して図柄が停止位置に戻ってくるような表示による演出）を含む演出である。
【０３３３】
なお、リーチＡおよびリーチＢは、遊技者の期待を高めるために特別図柄の回転態様を変化させたものであれば、どのような演出であってもよく、例えば中図柄を低速回転させるものであっても、いわゆるすべり演出（通常速度での回転時に数図柄分高速回転を行うことによって実行される演出）であってもよい。
【０３３４】
リーチＣは、リーチＡの発展形であり、リーチ態様を維持したまま最後に停止する特別図柄（中図柄）が通常の速さで回転し、その特別図柄を高速回転させたあと、動画像演出が実行される演出である。すなわち、リーチＣは、動画像データにもとづく動画像を用いた演出を含む演出である。具体的には、リーチＣにて、例えば、人物や動物などのキャラクタが出現して動作を行う動画像がＬＣＤ９上に再生表示される。この例では、リーチＣにて出現するキャラクタは、特別図柄の変動状態と同期した動作を行う。例えば、リーチ表示態様にて、所定の停止位置に到達した中図柄をキャラクタが蹴り飛ばすことによって、次の中図柄が表示されるような演出表示がなされる。すなわち、リーチＣでの動画像を再生表示するための動画像データは、登場キャラクタが特別図柄の変動状態と同期して動作するようにあらかじめ作成されている。
【０３３５】
なお、この例では、ノーマルリーチ、リーチＡ、リーチＢ、リーチＣの順番で、リーチ演出の出現に対する大当り発生確率が高くなっていくように構成される。具体的には、例えば、リーチＣが出現したときには、大当りとなる確率が他のリーチ演出の出現時と比較して高くなるように構成されている。
【０３３６】
図６５、図６６は、リーチＣによるリーチ演出が実行されたときの可変表示装置９の表示状態の例を示す説明図である。可変表示の開始タイミングになると、図６５（Ａ）に示すような前回の可変表示結果を示す左中右図柄が回転を開始し、図６５（Ｂ）に示すように高速回転された状態となる。所定期間高速回転が行われ、左図柄が数図柄分低速回転されたあと、左図柄の仮停止タイミングになると、図６５（Ｃ）に示すように左図柄が仮停止状態となる。なお、仮停止状態とは、停止図柄が確定する前の段階で仮停止している状態をいい、例えば図柄の回転はしていないが上下あるいは左右に揺れた変動を行っている揺れ変動状態を意味する。
【０３３７】
次いで、右図柄が数図柄分低速回転されたあと、右図柄の仮停止タイミングになると、図６５（Ｄ）に示すように右図柄が仮停止状態となる。この例では、図６５（Ｄ）に示すように、左右図柄がともに「７」で仮停止したリーチ表示となっている。図６５（Ｄ）に示すようなリーチ表示状態となったあと、この例ではリーチＣによるリーチ演出が実行される。
【０３３８】
先ず、リーチＣにおける通常速度回転による演出が実行される。具体的には、図６５（Ｅ）に示すようなリーチ状態となったことを報知するための「リーチ」という表示がなされ、中図柄が数図柄分低速回転されたあと、中図柄の仮停止タイミングになると、図６５（Ｆ）に示すように中図柄が仮停止状態となる。図６５（Ｆ）に示すような中図柄の仮停止状態となったときに、通常速度回転による演出が終了する。
【０３３９】
通常速度回転による演出が終了すると、リーチＣにおける高速回転による演出が実行される。具体的には、図６５（Ｇ）に示すような高速回転によるリーチ演出を実行することを報知するための「高速リーチ」という表示がなされ、中図柄の高速回転を所定期間行ったあと、中図柄の仮停止タイミングになると、図６５（Ｈ）に示すように中図柄が仮停止状態となる。図６５（Ｈ）に示すような中図柄の仮停止状態となったときに、高速回転による演出が終了する。
【０３４０】
高速回転による演出が終了すると、リーチＣにおける動画像演出が実行される。動画像演出において、図６６（Ｉ）に示すように、高速回転による演出よりもさらに発展した演出を実行することを報知するための「スペシャルリーチ」という表示がなされるとともに、仮停止中の左右図柄が縮小されて画面下方に移動され、さらに中図柄が高速回転を開始する。次いで、動画像データにもとづく動画像表示が開始され、フェードイン処理が実行されることによって、図６６（Ｊ）に示すように、キャラクタが徐々に表れてくるフェードイン表示がなされる。フェードイン表示が終了して図６６（Ｋ）に示すようにキャラクタが完全に表示されたあと、中図柄の仮停止タイミングになると、中図柄が仮停止状態となる。すると、中図柄の仮停止状態において、図６６（Ｌ）に示すように、キャラクタがハンマーを振り下ろす動画像表示が実行される。この例では、仮停止中の中図柄が位置する場所とハンマーを振り下ろす場所とが一致するように、キャラクタを動画表示するための動画像データが作成されているので、可変表示装置９の表示画面において、キャラクタがハンマーを振り下ろして仮停止中の中図柄を叩いたような演出表示が実現される。
【０３４１】
次いで、仮停止中の中図柄が画面外に消失し、図６６（Ｍ）に示すように、消失した図柄の次に表示される中図柄（この例では「７」）が画面上方から降りてくる表示がなされる。図６６（Ｎ）に示すように、画面上方から降りてきた中図柄が仮停止状態となったときに、動画像データにもとづいてキャラクタが右手を挙げたポーズをとるような動作を行う動画像が表示される。そして、フェードアウト処理が実行されることによって、図６６（Ｏ）に示すように、キャラクタが徐々に消失していくフェードアウト表示がなされる。フェードアウト表示が終了してキャラクタが完全に消失すると、動画像データにもとづく動画像演出が終了するとともに、図６６（Ｐ）に示すように左中右図柄が確定表示される。左中右図柄が確定表示されたときに動画像演出が終了し、リーチＣが完了したことになる。
【０３４２】
上記のように、リーチＣにおける動画像データにもとづく動画像表示と、特別図柄とが、可変表示装置９上に同期して表示されるように構成されている。従って、各特別図柄を含んだ動画像を再生させるための動画像データを作成しておく必要なく、動画像表示によるキャラクタを特別図柄の変動に対応させて動作させることができ、動画像データの容量を削減することができる。従って、動画像データを格納する記憶媒体の必要容量を削減することができる。
【０３４３】
また、上記のように、リーチＣを、通常速度回転による演出、高速回転による演出、動画像による演出と、他のリーチ演出（ノーマルリーチ、リーチＡ）の演出内容を発展させたものとしているので、動画像表示の出現によって遊技者に大当りへの大きな期待を持たせることができるようになり、遊技の興趣を向上させることができる。
【０３４４】
なお、上記の例では、リーチＣは、演出の一部を動画像により行うものであったが、演出全体にわたって動画像による演出を行うようにしてもよい。
【０３４５】
図６７は、演出制御基板１００から音声出力基板７０に出力される音番号データの一例を示す説明図である。図４２に示すように、音番号データには、特別図柄の変動パターンに応じた音番号データ、大当り遊技中における音番号データ、および連続予告の音態様Ａ〜Ｄに応じた音番号データが含まれる。連続予告の音態様Ａ〜Ｄに応じた音番号データは、上記のステップＳ８５６で演出制御基板１００から音声出力基板７０に出力される音番号データである。
【０３４６】
以上に説明したように、演出制御手段としての演出制御手段は、遊技制御手段が始動入賞時に判定した結果（始動入賞時に抽出した乱数の値にもとづいて大当りが発生するか否かとリーチするか否か）にもとづいて、判定結果に応じた判定結果コマンドが送信される起因となった可変表示の実行条件の成立にもとづく可変表示の開始条件が成立する前の段階から連続予告（保留予告）を実行するか否かを決定し、実行する場合には実行回数を決定する。また、連続予告の実行中では、予告Ａおよび予告Ｂの態様での予告演出は行われない（ステップＳ８１１からＳ８２１に移行するので）。また、大当りが発生した場合には、実行回数分の連続予告が完了していなくても連続予告は終了する（ステップＳ８４７参照）。
【０３４７】
例えば、可変表示装置９において図柄の変動が行われている場合に、始動入賞記憶数が「４」であることを示す演出制御コマンドと、大当り入賞指定の演出制御コマンドとを受信した場合を想定する。そして、連続予告を行うか否かの判定において、連続予告することに決定され、実行回数が４であったとする。また、始動入賞記憶が１，２，３に対応する判定結果は大当りでなかったとする。その場合、現在行われている図柄の変動が終了した後、第４回目の図柄の変動の結果大当りが発生する。また、現在行われている図柄の変動が終了した後、第１回目〜第４回目の図柄の変動が行われているときに連続予告演出が実行される。そして、第４回目の図柄の変動の結果大当りが発生する。すなわち、第４回目の図柄の変動の結果大当りが発生することを、それ以前の回の図柄の変動中において、遊技者に報知する（すなわち予告演出を実行する）ことができる。
【０３４８】
なお、例えば、始動入賞記憶数が「４」であることを示す演出制御コマンドと、大当り入賞指定の演出制御コマンドとを受信した場合に、連続予告を行うか否かの判定において連続予告することに決定され、実行回数が４であり、始動入賞記憶が３に対応する判定結果は大当りであったときには、２回の連続予告が実行された後に大当りが発生するので、その時点で、連続予告は終了する。
【０３４９】
図３２および図３３に例示されたように、始動入賞が発生したときに大当りとなると決定された場合には、大当りとならない場合に比べて、高い確率で連続予告が行われることが決定され、かつ、実行回数も多い。従って、連続予告の信頼度（連続予告が実行された場合に、実際に大当りが発生する割合）は高く、遊技者は、連続予告の発生によって大当りの発生を強く期待することができる。さらに、非確変大当りとなる場合に比べて、確変大当りとなる場合には、より高い確率で連続予告が行われることが決定される。従って、確変大当りとなる場合には、連続予告が実行される確率も高くなり、遊技者にとってより信頼性の高い連続予告が実現される。すなわち、演出制御手段は、将来、大当りや確変大当りが出現することを示唆するような保留記憶数にもとづく演出を行うことができる。
【０３５０】
そして、演出制御手段は、判定結果コマンドおよび始動入賞記憶数を指定する演出制御コマンドにもとづいて、独自に、連続予告を実行するか否かと実行回数を決定する。その際、いずれの演出手段（可変表示装置９、ランプ・ＬＥＤ、スピーカ２７）を用いるのかも独自に決定する。さらに、いずれの演出態様で連続予告を行うのかも独自に決定する。なお、演出用の可動部材が設けられている場合には、演出制御手段は、予告演出を実行する際に可動部材を用いるのか否かも独自に決定する。
【０３５１】
図６８は、連続予告に関わる遊技制御手段および演出制御手段の制御、演出制御コマンドの送信タイミングおよび演出手段（可変表示装置９、ランプ・ＬＥＤ、スピーカ２７）の動作の関係の一例を示すタイミング図である。遊技制御手段は、始動入賞の発生を検出すると、入賞時演出設定処理において、その始動入賞にもとづく抽選結果（その始動入賞にもとづいて将来実行される特別図柄の変動の結果、大当りとなるか否か、リーチとなるか否か）を判定する。判定結果にもとづく判定結果コマンド（はずれ入賞コマンド、リーチ入賞コマンド、非特定大当り入賞コマンドまたは特定大当り入賞コマンド）が演出制御基板１００の演出制御手段に送信される。なお、判定結果コマンドの送信前に、始動入賞記憶指定の演出制御コマンドが送信される。そして、特別図柄の可変表示の開始条件が成立すると、遊技制御手段から演出制御手段に、特別図柄の変動開始を示す変動パターン指定の演出制御コマンドが送信される。
【０３５２】
演出制御手段は、始動入賞記憶指定の演出制御コマンドを受信すると、自身が管理している始動入賞記憶数を更新するとともに、連続予告の判定を行う（図３５参照）。そして、変動パターン指定の演出制御コマンドを受信すると、可変表示装置９において特別図柄の変動が開始されるように制御し、連続予告の判定の結果、連続予告を行うことに決定されている場合には、演出手段（可変表示装置９、ランプ・ＬＥＤ、スピーカ２７）の一部または全部を用いて所定の演出態様で連続予告演出が実行されるように制御する。
【０３５３】
なお、この実施の形態では、特別図柄の変動が開始する前に複数回判定結果コマンドを受信した場合には、特別図柄の変動開始前の最後に受信した判定結果コマンドを用いて行った連続予告の判定結果にもとづいて、連続予告する／しないと、連続予告の種類および連続予告を行う演出手段とが決定されることになるが、そのようにしなくてもよい。例えば、複数回の判定結果コマンドのそれぞれを用いて行った連続予告の判定結果のうち、遊技者にとって最も好ましい結果を用いて連続予告する／しないと、連続予告の種類および連続予告を行う演出手段とを決定するようにしてもよい。
【０３５４】
図６９は、本発明の概要を示す概念図である。図６９に示すように、遊技演出に用いられる画像を表示する画像表示装置９Ａと、動き補償予測符号化による圧縮データを含む動画像データを格納する圧縮データ格納手段８３ａと、圧縮データ格納手段８３ａに格納されている動画像データを伸張するデータ伸張手段８９ａと、画像表示装置９Ａ上で識別情報の可変表示の制御を行う可変表示制御手段１０１ａと、データ伸張手段８９ａにより伸張された動画像データに基づいて生成される画像を画像表示装置９Ａに順次表示させることによって動画再生を行うデータ再生手段１０１ｂと、段階的に画像を出現させるフェードイン処理を行うことで画像表示装置９Ａ上の表示画像の切替表示を実行させるフェードイン切替表示手段１０１ｃとを備えている。また、可変表示制御手段１０１ａは、データ再生手段１０１ｂが行う動画再生による動画像を含む表示態様によって識別情報の可変表示を行う第１可変表示制御（ステップＳ１０１ａａ）と、データ再生手段１０１ｂが行う動画再生による動画像を含まない表示態様によって識別情報の可変表示を行う第２可変表示制御（ステップＳ１０１ａｂ）とを実行する機能を有し、識別情報の可変表示の開始条件の成立にもとづく可変表示が開始される以前に、表示結果を特定表示結果とするか否かをあらかじめ決定する特定表示結果決定手段１０１ａｃと、特定表示結果決定手段１０１ａｃの決定結果にもとづいて、識別情報の可変表示を第１可変表示制御と第２可変表示制御との何れにより行うかを決定する表示制御決定手段１０１ａｄとを含む。また、フェードイン切替表示手段１０１ｃは、データ再生手段１０１ｂによる動画再生の再生開始時に使用されるフレームデータから透過度を段階的に高めていった複数のフェードイン画像を生成するフェードイン画像生成手段１０１ｃａと、フェードイン画像生成手段１０１ｃａにより生成された各フェードイン画像を、透過度が最も高められているフェードイン画像から、透過度がより低いフェードイン画像に順次移行させ、最終的にフレームデータの画像を表示させることによってフェードイン処理を実行するフェードイン処理手段１０１ｃｂと、フェードイン処理手段１０１ｃｂによるフェードイン処理が完了したあと、フェードイン処理の完了時に表示されているフレームデータの画像からデータ再生手段１０１ｂに動画再生を開始させる動画再生開始手段１０１ｃｃとを含む。さらに、表示制御決定手段１０１ａｄは、第２可変表示制御（ステップＳ１０１ａｂ）による可変表示が実行されたときと比較して、第１可変表示制御（ステップＳ１０１ａａ）による可変表示が実行されたときの方が高確率で特定表示結果となるように、決定用データが第１可変表示制御（ステップＳ１０１ａａ）と第２可変表示制御（ステップＳ１０１ａｂ）とに割り振られている決定用データテーブルを用いて、第１可変表示制御（ステップＳ１０１ａａ）と第２可変表示制御（ステップＳ１０１ａｂ）との何れを行うかを決定する。
【０３５５】
上記のような構成としたことで、圧縮データを含む動画像データにもとづく動画像による演出の出現頻度を低下させることができ、動画像データを用いた動画再生のための制御負担を軽減することができる。すなわち、動画再生によって表示される動画像（ムービー画像）による可変表示演出と、動画再生によって表示される動画像によらない可変表示演出とを実行する構成とし、ムービー画像によらない可変表示演出が出現したあとよりも、ムービー画像による可変表示演出が出現したあとの方が、大当り遊技演出に移行する確率が高められた構成とされているので、大当りにならないときにムービー画像による可変表示演出が頻繁に実行されることを防止することができ、ムービー画像による可変表示演出の出現頻度を低下させている。よって、遊技全体におけるムービー画像による可変表示演出の出現頻度が低下され、動画像データを用いた動画再生のための制御が実行される機会を減らすことができるので、動画像データを用いた動画再生のための制御負担を軽減することができる。
【０３５６】
なお、動画再生によって表示される動画像によらない可変表示演出は、ムービー画像を用いない演出であるので、例えばスプライト画像を用いた動画演出も含まれる。すなわち、動画像データにもとづく動画再生によって画像表示を行う場合以外であれば、例えば、表示制御部８０にＶＤＰ（ビデオディスプレイプロセッサ）を搭載する構成とし、動画再生によって表示される動画像によらない表示演出として、ＶＤＰが、背景画像にスプライト画像を重ね合わせて表示制御し、そのスプライト画像を順次更新していくことで動画表示を行う構成としてもよい。なお、スプライトは背景画像上に重畳される画像を生成するためのものであるから、一般に画面サイズは小さく、図柄などの表示のための使用に適する。よって、ＶＤＰは、一般に、可変表示される特別図柄としての識別情報をスプライト画像として生成し、スプライト画像を背景画像上に重ねた画像を生成する。
【０３５７】
スプライト画像を用いて表示演出が行われる場合、例えば、リーチ演出などに用いられるキャラクタや識別情報を示すスプライト画像が、他のキャラクタや識別情報を示すスプライト画像の上側に重ね合わされる。そして、背景画像に、上記２つのスプライト画像を重ね合わせた画像をＶＲＡＭ等に展開したのち、映像信号を生成してＬＣＤ６に出力する。すると、背景の前面に重畳された２つのスプライト画像が表示されるようになる。このように、ＶＤＰが有するスプライト画像重ね合わせ機能を用いて、動画像データにもとづく動画再生による演出表示以外の演出表示を行うようにしてもよい。
【０３５８】
また、上述したように、動画像データを用いた動画再生による動画像演出によって、リーチ演出を行う構成（図６６参照）としたので、圧縮データを含む動画像データにもとづく動画像によるリーチ演出の出現頻度を低下させることができ、動画像データを用いた動画再生のための制御負担を軽減することができる。
【０３５９】
なお、上述した実施の形態においては特にリーチ演出の出現頻度を調整することについて説明していたが、上述した予告演出の何れか（例えば図２５に示す予告Ｂ）を動画像データを用いた動画再生による動画像演出（例えば図２５に示す予告Ｂにて、木の葉が落下していく様子をムービー画像によって表示するようにすればよい）によって行うようにするとともに、予告演出の出現頻度を調整するようにしてもよい。この場合、動画像演出によらない予告演出（例えば図２５に示す予告Ａ）が出現したときよりも、動画像による予告演出が出現したときの方が、実際にリーチあるいは大当りとなる確率が高くなるように出現率を調整しておくようにすればよい。このように構成すれば、圧縮データを含む動画像データにもとづく動画像によるリーチ予告演出あるいは大当り予告演出を行う遊技機において、動画像による予告演出の出現頻度を低下させることができ、動画像データを用いた動画再生のための制御負担を軽減することができるようになる。
【０３６０】
また、上述した実施の形態においては特にリーチ演出の出現頻度を調整することについて説明していたが、上述した連続予告演出の何れか（例えば図２６に示す連続予告Ｄ）を動画像データを用いた動画再生による動画像演出（例えば図２６に示す連続予告Ｄにて、雷が繰り返し落下する様子をムービー画像によって表示するようにすればよい）によって行うようにするとともに、連続予告演出の出現頻度を調整するようにしてもよい。この場合、動画像演出によらない連続予告演出（例えば図２６に示す連続予告Ａ〜Ｃ）が出現したときよりも、動画像による予告演出が出現したときの方が、実際にリーチあるいは大当りとなる確率が高くなるように出現率を調整しておくようにすればよい（上述した例ではそのように調整されている（図３４参照））。このように構成すれば、圧縮データを含む動画像データにもとづく動画像による連続予告演出を行う遊技機において、動画像による連続予告演出の出現頻度を低下させることができ、動画像データを用いた動画再生のための制御負担を軽減することができる。
【０３６１】
また、上述したように、演出制御手段が、演出手段により所定の演出を実行するか否かを決定するだけでなく、いずれの演出手段により所定の演出を実行するのかと、いずれの演出態様により所定の演出を実行するのかも決定するので、遊技制御手段の負担を増すことなく、予告演出等のバリエーションを増やすことができる。
【０３６２】
すなわち、演出制御手段が、どの演出手段を用いるのか、または、複数の演出手段のうちのどれとどれを用いるのかを独自に決定するので、遊技制御手段が特に選択制御を行わなくても、予告演出等のバリエーションを増やすことができる。そして、演出制御手段が複数の演出手段を制御しているので、複数の演出手段による予告演出等のバリエーションを増やしても、遊技機において複数の演出手段を制御するための処理が複雑になるのを避けることができる。
【０３６３】
また、演出制御手段は、いずれの演出手段により所定の演出を実行するのかと、いずれの演出態様により所定の演出を実行するのかとを別個に決定しているので、演出手段と演出態様とを任意に組み合わせて連続予告演出を実現することができる。すなわち、演出手段と演出態様とをリンクさせて選択する場合に比べて、予告演出のバリエーションをより豊富にすることができる。
【０３６４】
さらに、１つの演出手段によって連続予告演出が行われる場合に比べて、複数の演出手段によって連続予告演出が行われる場合には、実際に大当りが発生することになる信頼度が高い。そして、全ての演出手段によって連続予告演出が行われる場合には、実際に大当りが発生することになる信頼度が極めて高い。従って、連続予告が行われている演出手段の数が多くなると、遊技者に与えられる期待感が高くなるので、遊技の興趣がより高くなっている。
【０３６５】
また、上記の実施の形態では、動画像演出としてのリーチ演出として、キャラクタが登場して特別図柄の変動と同期して動作を行うものを例示したが、その演出内容はどのようなものであってもよく、例えば特別図柄の形状や寸法が変化するような動作を行う演出とされていてもよい。
【０３６６】
なお、上述した各実施の形態では、手前、中間及び奥側の３枚の画像を合成して合成画像を生成するようにしていたが、他の数の画像を合成して合成画像を生成するようにしてもよい。例えば、奥側に合成される背景画像と手前側に合成されるキャラクタ等を示す画像との２枚の画像を合成することで合成画像を生成し、その合成画像を用いて動画像による演出を行うようにしてもよい。
【０３６７】
なお、上述した合成画像による演出は、例えば、図柄変動中処理において実行される。また、リーチや大当りとなることを予告報知するための予告演出、大当り遊技状態における大当りラウンド中や大当りラウンド間に実行される大当り演出等の様々な演出において、上述した合成画像による演出を行うようにしてもよい。
【０３６８】
また、例えば、スーパーリーチと呼ばれる大当り信頼度の高いリーチへの発展時、デモンストレーション画像を表示するときなどに、上述した合成画像による演出を行うようにしてもよい。
【０３６９】
また、上述した実施の形態では、静止画像による演出から動画像による演出に切り替えるときにフェードイン表示を行う構成としていたが、逆に、動画像による演出から静止画像による演出に切り替えるときに、静止画像を徐々に出現させるフェードイン表示を行う構成としてもよい。
【０３７０】
また、上述した実施の形態では、動画像による演出から静止画像による演出に切り替えるときにフェードアウト表示を行う構成としていたが、逆に、静止画像による演出から動画像による演出に切り替えるときに静止画像を徐々に消失させるフェードアウト表示を行う構成としてもよい。
【０３７１】
また、上述した実施の形態では特に言及していないが、上述したフェードイン表示を行ったあとの動画像演出の際に上述した合成画像による演出を実行し、合成画像による演出の終了後にフェードアウト表示を行う構成としてもよい。この場合、合成画像がフェードイン表示されたりフェードアウト表示される演出が行われるようになる。従って、動画像データのデータ量を多大なものとすることなく、多彩な演出を行うことができる。
【０３７２】
また、上述した実施の形態において、１つのピクチャにもとづく静止表示を動画像表示領域にて行うようにしてもよい。この場合、例えば、図３１（Ｂ）に示した画像を示すピクチャを静止対象ピクチャとし、図３１（Ｂ）に示した画像が所定期間静止する静止表示がなされるようにすればよい。上記のように構成すれば、動画像データのデータ量を多大なものとすることなく、動画像表示領域に１つのピクチャを用いた静止表示を行うなどの多彩な演出を行うことができるようになる。
【０３７３】
また、上述したように、動画像データに含まれている１フレーム分の画像データを用いてフェードイン表示を行う構成として動画像データのデータ量を増大させることなくフェードイン表示を行うようにし、かつ、動画像データに含まれている１フレーム分の画像データを用いて表示画像を所定期間静止させる静止表示を行う構成として静止表示を行うための動画像データを削減するようにしたので、動画像データ全体のデータ量を大幅に低減させることができる。
【０３７４】
また、上述したように、動画像データに含まれている１フレーム分の画像データを用いてフェードアウト表示を行う構成として動画像データのデータ量を増大させることなくフェードアウト表示を行うようにし、かつ、動画像データに含まれている１フレーム分の画像データを用いて表示画像を所定期間静止させる静止表示を行う構成として静止表示を行うための動画像データを削減するようにしたので、動画像データ全体のデータ量を大幅に低減させることができる。
【０３７５】
また、上述した実施の形態では、動画像演出中に表示画面の変化がない場面が存在する場合に静止表示対象画像による静止表示を実行する構成としていたが、変化は全くないときに限らず、例えば動画像演出中に表示画面の変化がほとんどないような場合に静止表示対象画像による静止表示を実行するようにしてもよい。
【０３７６】
また、上述した実施の形態では特に言及していないが、フェードイン表示、合成画像による演出、１つの画像（１つのピクチャによる画像または１つの合成画像）にもとづく静止表示による演出、フェードアウト表示の一連の演出や、合成画像がフェードイン表示されたりフェードアウト表示される演出を、動画像表示領域で実行するようにしてもよい。この場合、動画像表示領域にて、フェードイン表示、合成画像による演出表示、１つの画像にもとづく静止表示による演出表示、フェードアウト表示が行われるようになる。
【０３７７】
具体的には、例えば、図７１に示す合成画像などを用いた動画像表示領域での演出表示が実行される。図７１（Ａ）に示す合成画像は、例えば図７０（Ａ）〜図７０（Ｂ）に示すような合成対象画像に半透明化処理を施した図７０（ａ）〜図７０（ｃ）に示す各合成実行画像を前後方向に合成することで生成される。以下、フェードイン表示、合成画像による演出、フェードアウト表示の一連の動画像演出を動画像表示領域で実行する場合の動画像表示領域の表示状態の例について説明する。
【０３７８】
図７２は、フェードイン表示、合成画像による演出、１つの画像にもとづく静止表示による演出表示、フェードアウト表示の一連の動画像演出を動画像表示領域にて実行しているときの動画像表示領域の表示状態の例を示す説明図である。ここでは、特別図柄表示領域にてリーチ表示がなされたあとのリーチ演出において、合成画像による動画像によって演出表示が実行される場合を例に説明する。すなわち、リーチＣの他の例を示すものである。
【０３７９】
この例では、特別図柄の可変表示演出において、左右図柄が例えば「７」で揃ってリーチとなり、その後に変動表示されている中図柄が低速変動となって、中図柄の停止位置に「５」が近づいてきたときに動画像によるリーチ演出が開始されるものとする。また、この例では、動画像によるリーチ演出が終了したあと、大当り表示がなされるものとする。
【０３８０】
先ず、動画像によるリーチ演出を開始するときに、ＧＣＬ８１によって、リーチ演出に用いることに決定されている動画像データ中の領域指定データにもとづいて、動画像表示領域が設定される（ステップＳ２８２参照）。例えば、領域指定データにもとづいて、上述した図６０に示されているように、中図柄の可変表示領域に動画像表示領域が設定される。
【０３８１】
この例では、特別図柄表示領域にて、左右図柄が「７」で仮停止されてリーチ表示がなされ、最終停止図柄である中図柄が低速変動され、特別図柄表示領域中の動画像表示領域に中図柄「５」が表示されているときに（図７２（Ａ））、動画像データに基づく動画像演出が開始される。動画像演出が開始されると、ＧＣＬ８１によって、特別図柄表示領域中の動画像表示領域に表示されていた特別図柄の画像（図７２（Ａ））から、一旦所定の中間画像（例えば単色の背景画像）が表示されたあと、フェードイン表示によって動画像演出における最初の画像に切り替えられる。本例では、動画像演出における最初の画像として、例えば図７２（Ｂ）に示すような「５」を模したキャラクタ画像が用いられる。すなわち、動画像表示領域にて、図７２（Ａ）に示すようなリーチ表示中に低速変動されてきた中図柄の「５」を示す画像が、中間画像を挟んで図７２（Ｂ）に示すような「５」を模したキャラクタを示す画像に切り替えられる。この図７２（Ｂ）に示す画像は、フェードイン処理によって徐々に出現してくるように表示される。
【０３８２】
この例では、図７２（Ｂ）に示す「５」を模したキャラクタを示す画像が合成画像における前後方向の前面側に合成される合成実行画像として用いられ、図７２（Ｃ）に示すように、「５」を模したキャラクタの背面側に、「６」を模したキャラクタと「７」を模したキャラクタを出現させた合成画像が表示される。図７２（Ｃ）に示す合成画像では、「６」を模したキャラクタを示す画像が合成画像における前後方向の中間に合成される合成実行画像として用いられ、「７」を模したキャラクタを示す画像が合成画像における前後方向の背面側に合成される合成実行画像として用いられている。
【０３８３】
「６」を模したキャラクタと「７」を模したキャラクタが出現すると、画面に表示されている各キャラクタが動き出して各種の動作を行うような動画像がＬＣＤ９に表示され、ＬＣＤ９にて動画像演出が実行される。この例では、「５」を模したキャラクタが前面側に移動して行き、やがては動画像表示領域から消失していくような動画像が表示され、図７２（Ｄ）に示すように、「６」を模したキャラクタおよび「７」を模したキャラクタがともに前面側に移動してきたような合成画像が表示される。図７２（Ｄ）に示す合成画像では、「６」を模したキャラクタを示す画像が合成画像における前後方向の前面側に合成される合成実行画像として用いられ、「７」を模したキャラクタを示す画像が合成画像における前後方向の中間に合成される合成実行画像として用いられている。なお、前後方向の背面側に合成される合成実行画像は、例えば単一色の背景画像であるようにすればよい。
【０３８４】
この例では、図７２（Ｄ）に示す合成画像にもとづく静止表示が実行される。すなわち、図７２（Ｄ）に示す合成画像を繰り返し表示することで、図７２（Ｄ）に示す合成画像が所定期間静止しているかのような表示がなされる。
【０３８５】
図７２（Ｄ）に示す合成画像の静止表示が終了すると、この例では、「６」を模したキャラクタが前面側に移動して行き、やがては動画像表示領域から消失していくような動画像が表示され、図７２（Ｅ）に示すように、「７」を模したキャラクタが前面側に移動してきたような合成画像が表示される。図７２（Ｅ）に示す合成画像では、「７」を模したキャラクタを示す画像が合成画像における前後方向の前面側に合成される合成実行画像として用いられている。なお、前後方向の中間及び背面側に合成される合成実行画像は、例えばそれぞれ単一色の背景画像であるようにすればよい。この例では、図７２（Ｅ）に示す画像が動画像演出における最後の表示画像とされる。
【０３８６】
上記のように、「６」を模したキャラクタが動画像表示領域から完全に消失し、「７」を模したキャラクタが動画像表示領域の中心位置（例えば特別図柄表示領域における図柄停止位置）に移動していくような映像が動画再生され、動画像演出において、最終的に、図７２（Ｅ）に示すような、「７」を模したキャラクタが動画像表示領域の中心位置で正面を向いたような画像が表示される。
【０３８７】
動画像によるリーチ演出が終了すると、ＧＣＬ８１によって、特別図柄表示領域中の動画像表示領域に表示されている動画像演出における最後の画像（例えば図７２（Ｅ）に示す画像）を用いてフェードアウト表示がなされ、中間画像を介して所定の特別図柄を示す画像に切り替えられる。本例では、動画像演出における最後の画像から切り替えられる特別図柄を示す画像として、例えば図７２（Ｆ）に示すような「７」の中図柄を示す画像が用いられる。すなわち、動画像表示領域にて、図７２（Ｅ）に示すような「７」を模したキャラクタの画像がフェードアウト処理によって徐々に消失していく表示がなされたあと、所定の中間画像を表示され、その後に図７２（Ｆ）に示すような仮停止状態の中図柄としての「７」を示す画像に切り替えられる。そして、この例では、左中右図柄が「７」で確定表示され、大当り表示とされる。その後、大当り遊技に移行する。
【０３８８】
上記のように、フェードイン表示、合成画像による演出、１つの画像にもとづく静止表示による演出、フェードアウト表示の一連の演出や、合成画像がフェードイン表示されたりフェードアウト表示されたり静止表示されたりする演出を、動画像表示領域で行う構成とすれば、動画像データのデータ量を多大なものとすることなく、多彩な演出を行うことができるとともに、遊技者が引き付けられるような位置に表示することができ、目立つ演出を行うことができるようになる。
【０３８９】
また、上述した実地の形態では、フェードイン表示、合成画像による演出、１つの画像にもとづく静止表示による演出、フェードアウト表示の一連の演出や、合成画像がフェードイン表示されたりフェードアウト表示されたり静止表示されたりする演出の際に、表示態様選択画面（例えば図６２参照）を用いて遊技者に表示態様を選択させることができるので、遊技者に意思によって選択された表示態様でフェードイン表示などの各種の演出を行うことができる。また、この場合の演出を、動画像表示領域で行うようにしてもよい。
【０３９０】
また、上述した実施の形態では、例えば図柄変動中処理等に動画像による演出が実行され、フェードイン処理やフェードアウト処理が実行されるものとして説明していたが、例えば、リーチや大当りとなることを予告報知するための予告演出、大当り遊技状態における大当りラウンド中や大当りラウンド間に実行される大当り演出等の様々な演出において、上述したフェードイン処理やフェードアウト処理によるフェードイン表示やフェードアウト表示を用いた演出を行うようにしてもよい。
【０３９１】
例えば、スーパーリーチと呼ばれる大当り信頼度の高いリーチへの発展時にフェードイン表示を実行し、フェードイン表示の後に動画像による演出を実行し、その動画像による演出の終了時にフェードアウト表示を行うようにしてもよい。また、例えば、デモンストレーション画像を表示するときにフェードイン表示を実行し、フェードイン表示の後に動画像によるデモンストレーション演出を実行し、その動画像による演出の終了時にフェードアウト表示を行うようにしてもよい。
【０３９２】
また、上述した実施の形態では特に言及していないが、動画像データは、動画撮影装置によって撮影された実写画像を動画再生するためのデータであっても、アニメーションによる動画を再生するためのデータであってもよく、パーソナルコンピュータなどの情報処理装置によって描画されたコンピュータグラフィクス（ＣＧ）を用いたＣＧ画像を動画再生するためのデータであってもよい。実写画像による動画像データを用いる構成とした場合には、人物や動物などの動きをリアルに表現することができるようになる。また、ＣＧ画像による動画像データを用いる構成とした場合には、コンピュータグラフィクスによって自由に画像を作成することができるので、実写によっては得ることが困難な画像であっても簡単に作成することができ、必要とする動画像を含めた動画像データを容易に作成することができるようになる。なお、実写画像とＣＧ画像とを組み合わせて動画像データを作成するようにしてもよい。
【０３９３】
また、上述した実施の形態では、動画像による遊技演出が特別図柄の可変表示が実行される可変表示装置９で行われるものとして説明していたが、特別図柄の可変表示が実行される表示装置とは別個の画像表示装置にて動画像による遊技演出が実行される構成としてもよい。
【０３９４】
また、上述した実施の形態では、遊技機の例として、識別情報を可変表示する可変表示装置としての機能と演出画像を表示する画像表示装置としての機能とを併せ持つ可変表示装置９を備えたパチンコ遊技機を用いて説明したが、パチンコ遊技機に限られず、可変表示装置と画像表示装置とを別個に備えたスロット機等の他の遊技機においても、本発明を適用することができる。以下、本発明を、他の遊技機の一例であるスロット機に適用した場合の例について説明する。
【０３９５】
図７３はスロット機（スロットマシン）５００を正面から見た正面図である。図７３に示すように、スロット機５００は、中央付近に遊技パネル５０１が着脱可能に取り付けられている。また、遊技パネル５０１の前面の中央付近には、複数種類の図柄が可変表示される可変表示装置５０２が設けられている。この実施の形態では、可変表示装置５０２には、「左」、「中」、「右」の３つの図柄表示エリアがあり、各図柄表示エリアに対応してそれぞれ図柄表示リール５０２ａ，５０２ｂ，５０２ｃが設けられている。
【０３９６】
遊技パネル５０１の下部には、遊技者が各種の操作を行うための各種入力スイッチ等が配される操作テーブル５２０が設けられている。操作テーブル５２０の奥側には、コインを１枚ずつＢＥＴする（かける）ためのＢＥＴスイッチ５２１、１ゲームでかけることのできる最高枚数（本例では３枚）ずつコインをＢＥＴするためのＭＡＸＢＥＴスイッチ５２２、精算スイッチ５２３、及びコイン投入口５２４が設けられている。コイン投入口５２４に投入されたコインは、図示しない投入コインセンサによって検知される。
【０３９７】
操作テーブル５２０の手前側には、スタートスイッチ５２５、左リールストップスイッチ５２６ａ、中リールストップスイッチ５２６ｂ、右リールストップスイッチ５２６ｃ及びコイン詰まり解消スイッチ５２７が設けられている。操作テーブル５２０の手前左右には、それぞれランプ５２８ａ，５２８ｂが設けられている。操作テーブル５２０の下部には、効果音等を出力するスピーカ５３０が設けられている。
【０３９８】
遊技パネル５０１の上部には、遊技者に遊技方法や遊技状態等を報知する画像表示装置（ＬＣＤ：液晶表示装置）５４０が設けられている。例えば、入賞発生時に、キャラクタが所定動作を行う画像を画像表示装置５４０に表示することで、後述する当選フラグが設定されていることを遊技者に報知する。本例では、この画像表示装置５４０に動画像データにもとづく動画像（例えばパチンコ遊技機におけるリーチ演出や予告演出などに類する演出を行うための動画像）が再生表示される。すなわち、スロット機５００にて、上述したパチンコ遊技機と同様に復号化処理や動画再生処理が実行されるとともにフェードイン処理やフェードアウト処理による遊技演出が実行されて、画像表示装置５４０の表示領域にフェードイン表示やフェードアウト表示を含む動画像による各種の表示がなされる。また、上述したパチンコ遊技機１と同様に、この画像表示装置５４０に、１又は２以上の動画像データに基づく複数の画像を合成することによって生成された合成画像による動画像が再生表示される。例えば、複数の画像が合成された合成画像による動画像を用いた遊技演出がなされる。また、スロット機５００にて、上述したパチンコ遊技機と同様に復号化処理や動画再生処理が実行されることで、静止表示対象ピクチャを用いた静止表示処理に遊技演出が実行されて、画像表示装置５４０の表示領域に静止表示対象ピクチャを用いた静止表示など、動画像データによる各種の表示がなされる。さらに、スロット機５００にて、上述したパチンコ遊技機と同様に動画像表示領域設定処理、復号化処理及び動画再生処理が実行されるとともに、設定された動画像表示領域にて動画像による遊技演出が実行されて、画像表示装置５４０に設定された動画像表示領域に飾り図柄の可変表示におけるリーチ演出に類する演出などの動画像による各種の演出が行われる。また、画像表示装置５４０の左右には、効果音を発する２つのスピーカ５４１Ｌ，５４１Ｒが設けられている。
【０３９９】
また、この例では、図示はしていないが、画像表示装置５４０の上下に、上述したパチンコ遊技機１と同様に、発光部と受光部とを含む人体センサが設置されている。また、選択操作手段（タッチ部）を確保するために、画像表示装置５４０の手前側にガラスが配されているものとする。
【０４００】
なお、スロット機５００で発生する入賞役には、小役入賞と、リプレイ入賞と、ビッグボーナス入賞と、レギュラーボーナス入賞とがある。スロット機５００では、スタートスイッチ５２５を操作したタイミングで乱数が抽出され、上記いずれかの入賞役による入賞の発生を許容するか否かを決定する。入賞の発生が許容されていることを、「内部当選している」という。内部当選した場合、その旨を示す当選フラグがスロット機５００の内部で設定される。当選フラグが設定された状態でのゲームでは、その当選フラグに対応する入賞役を引き込むことが可能なようにリール５０２ａ〜５０２ｃが制御される。一方、当選フラグが設定されていない状態でのゲームでは、入賞が発生しないようにリール５０２ａ〜５０２ｃが制御される。
【０４０１】
次に、スロット機により提供されるゲームの概要について説明する。
例えば、コイン投入口５２４からコインが投入されＢＥＴスイッチ５２１又はＭＡＸＢＥＴスイッチ５２２が押下される等してかけ数が設定されると、スタートスイッチ５２５の操作が有効となる。そして、遊技者によってスタートスイッチ５２５が操作されると、可変表示装置５０２に設けられている各図柄表示リール５０２ａ〜５０２ｃが回転を始める。また、スタートスイッチ５２５を操作したタイミングで、レギュラーボーナス入賞又はビッグボーナス入賞が内部当選した場合には、例えば、画像表示装置５４０に所定のキャラクタが所定の動作を行っている画面を表示する等して、内部当選した旨が遊技者等に報知される。
【０４０２】
各図柄表示リール５０２ａ〜５０２ｃが回転を始めてから所定時間が経過すると、各リールストップスイッチ５２６ａ〜５２６ｃの操作が有効となる。この状態で、遊技者が各リールストップスイッチ５２６ａ〜５２６ｃのいずれかを押下すれば、操作されたストップスイッチに対応するリールの回転が停止する。なお、各図柄表示リール５０２ａ〜５０２ｃを停止させずに、所定期間以上放置した場合には、各図柄表示リール５０２ａ〜５０２ｃが自動的に停止する。
【０４０３】
すべての図柄表示リール５０２ａ〜５０２ｃが停止した時点で、可変表示装置５０２に表示されている各図柄表示リール５０２ａ〜５０２ｃの上段、中段、下段の３段の図柄中、かけ数に応じて定められる有効な入賞ライン上に位置する図柄の組合せによって入賞したか否かが定められる。かけ数が１の場合には、可変表示装置５０２における中段の横１列の入賞ラインのみが有効となる。かけ数が２の場合には、可変表示装置５０２における上段、中段、下段の横３列の入賞ラインが有効となる。かけ数が３の場合には、可変表示装置５０２における横３列と斜め対角線上２列の合計５本の入賞ラインが有効ラインとなる。
【０４０４】
有効ライン上の図柄の組合せが、予め定められた特定の表示態様となって入賞が発生した場合には、音、光、画像表示装置５４０の表示等によって所定の遊技演出がなされ、入賞の発生に応じたゲームが開始される。
【０４０５】
図７４は、スロット機５００に備えられる主基板（遊技制御基板）６００の回路構成の一例を示すブロック図である。図７４には、演出制御基板６３０及びリールユニット６５０も示されている。なお、主基板６００には電源基板や中継基板等の他の基板も接続されるが、図７４には示されていない。主基板６００は、プログラムに従って制御動作を行うＣＰＵ６０２、ワークメモリとして使用される記憶手段の一例であるＲＡＭ６０３、ゲーム制御用のプログラム等を記憶するＲＯＭ６０４及びＩ／Ｏポート部６０５を含む構成とされている。
【０４０６】
リールユニット６５０には、リールモータ６５１と、リールランプ６５２と、リールセンサ６５３とが格納されている。リールモータ６５１は、各リール５０２ａ〜５０２ｃを回転させるためのモータである。リールランプ６５２は、各リール５０２ａ〜５０２ｃの内部に設けられ、各リール５０２ａ〜５０２ｃに描かれた図柄のうち、可変表示装置５０２にて視認される図柄をリールの内側から照らすためのランプである。リールセンサ６５３は、各リール５０２ａ〜５０２ｃの回転状態や回転数等を感知するためのセンサである。
【０４０７】
この実施の形態では、演出制御基板６３０に搭載されている演出制御手段が、スロット機５００に設けられている画像表示装置５４０の表示制御や、リールランプ６５２の点灯制御を行う。画像表示装置５４０には、演出制御手段の制御によって、飾り図柄の変動表示や、遊技状態や遊技方法を報知するための表示等の様々な情報が表示される。この例では、演出制御基板６３０に搭載されている演出制御手段には、演出制御用のＣＰＵやＧＣＬ等が含まれる。したがって、演出制御基板６３０に搭載されている演出制御手段は、上述したパチンコ遊技機と同様に、動画像データにもとづく動画像による遊技演出を実行することができる構成とされている。なお、演出制御基板６３０に搭載されている演出制御手段は、スロット機５００に設けられている各種の遊技効果ランプ５５０，５５１，５５２，５５３の点灯制御、及びスロット機５００に設けられているスピーカ５０１，５４１Ｌ，５４１Ｒの音出力制御を行う。
【０４０８】
この例では、演出制御基板６３０は、主基板６００から受信した制御コマンドに基づく演出パターンに従って、画像表示装置５４０や、遊技効果ランプ５５０等や、スピーカ５３０等を制御する。画像表示装置５４０では、所定の画像表示パターン（演出パターンの一例）に従って、飾り図柄の変動表示がなされる。飾り図柄の変動表示演出では、例えば、パチンコ機における特別図柄の変動表示のような図柄組合せ演出表示や、リール５０２ａ〜５０２ｃの変動表示のような図柄組合せ演出等の演出が実行される。この図柄組合せ演出において、リーチ演出や予告演出に類する演出が実行される。また、動画像による演出がなされたときは、動画像によらない演出がなされたときよりも、図柄組合せ演出の結果が特定結果（図柄が揃った状態）となる確率が高くなるように設定される。予め複数設けられている演出パターンから何れの演出パターンを用いるかについては、例えば、スタートスイッチ５２５が操作されたタイミングで、ＣＰＵ６０２によって決定される。
【０４０９】
なお、上述したスロット機５００では、動画像データにもとづく動画像による演出等がなされるが、それらの演出は、例えば、入賞していない通常の遊技期間中、レギュラーボーナス入賞によってレギュラーボーナスゲームが行われている期間中、ビッグボーナス入賞によるビッグボーナスゲームが行われている期間中等に実行されるようにすればよい。
【０４１０】
この例では、例えば、フェードイン処理やフェードアウト処理等によって、画像表示装置５４０に表示される動画像演出の最初や最後において、動画像データに含まれている画像データを用いたフェードイン表示やフェードアウト表示が実行される。また、合成画像を生成する処理等によって、画像表示装置５４０に表示される合成画像による動画像演出が実行される。また、例えば、動画像データに含まれている静止対象ピクチャを用いた動画再生処理等によって、画像表示装置５４０に静止状態の画像を表示する処理が実行される。さらに、この例では、例えば、画像表示装置５４０に設定された動画像表示領域に動画像データに基づく動画像を表示する処理が実行される。
【０４１１】
以上説明したように、本発明をスロット機に適用することができ、スロット機に適用した場合であっても上述した各実施の形態における効果を得ることができる。
【０４１２】
上述した各遊技機は、可変表示装置における変動表示の表示結果が予め定められた特定の表示態様となったときに所定の遊技価値を遊技者に与える構成とされている。遊技価値とは、例えば、遊技機の遊技領域に設けられた可変入賞球装置が入賞しやすい遊技者にとって有利な状態になることや、遊技者にとって有利な状態となるための権利を発生させたりすることや、景品遊技媒体払出の条件が成立しやすくなる状態になることである。
【０４１３】
また、上記のように、複数の選択肢を提示する構成としているので、遊技者にとっては、表示態様の指示内容や指示方法を容易に把握することができるというメリットがある。すなわち、遊技者は、提示された選択肢を目視することで、操作方法や操作結果を容易かつ迅速に把握することができるようになる。このように、表示態様を選択するための操作をわかりやすく簡単なものとすることができる。
【０４１４】
また、上記の実施の形態では、入賞時判定結果コマンドにもとづいて、演出制御手段が連続予告演出を実行したが、連続予告演出に限らず、他の演出を実行するようにしてもよい。例えば、可変表示装置９において可変表示の開始から表示結果を表示するまでの全体の演出、大当り遊技中の演出（例えば、大当り遊技中の演出がストーリー展開するもので、演出制御手段において抽選を行って、大当り遊技中にストーリーの内容を複数のストーリーの中から抽選して決定する）や、確変や時短を選択する演出などの各種の演出を実行するようにしてもよい。
【０４１５】
また、上記の実施の形態では、連続予告演出は、実行回数分だけ、複数回の特別図柄の可変表示に亘って連続的に実行されたが、複数回の特別図柄の可変表示に亘って間欠的（例えば３回の可変表示における１回目と３回目）に実行されるようにしてもよい。
【０４１６】
また、上記の実施の形態では、始動入賞記憶数を最大４個であるとしていたが、他の数であってもよい。
【０４１７】
また、上記の実施の形態では、始動口スイッチ通過処理（図１２参照）における入賞時演出設定処理（ステップＳ１１５）が、始動入賞口への入賞があった場合に事項されたが、遊技機が、例えば複数個の入賞がなければ可変表示が開始されない構成である場合には、複数個の入賞があったことを条件に入賞時演出設定処理を実行するようにしてもよい。また、所定の可変入賞装置（例えば第２種可変入賞球装置）が有利な状態となっている期間（例えば開放動作を実行したときから所定期間が経過するまでの期間）にのみ入賞が認められるような場合には、その期間中に遊技球が入賞したことを条件に入賞時演出設定処理を開始するようにしてもよい。
【０４１８】
また、上記の実施の形態では、発光体制御に関して演出用ＣＰＵ１０１とバス接続されるランプドライバ基板３５を設け、音制御に関してデータＲＯＭが搭載されている音声出力基板７０に対して演出用ＣＰＵ１０１からデータ（音番号データ）を出力するように構成したが、双方を同様の構成にしてもよい。すなわち、発光体制御に関しても音制御に関しても演出用ＣＰＵ１０１とバス接続されるそれぞれのドライバ基板を設けたり、発光体制御に関しても音制御に関してもそれぞれの基板にデータＲＯＭを搭載して演出用ＣＰＵ１０１からデータ（制御データ番号を指定するデータ）を出力するように構成してもよい。
【０４１９】
さらに、上記の実施の形態にでは、以下のような特徴的態様も開示されている。
【０４２０】
演出制御手段を搭載した演出制御基板（例えば演出制御基板１００）と、演出制御基板から出力される信号にもとづいて、演出手段を動作させるための動作信号を生成するドライバ基板（例えばランプ・ＬＥＤ、スピーカ２７、可動部材を駆動する駆動信号）とを別個に備えた構成の遊技機。そのような遊技機では、双方の基板のうち演出制御基板のみを交換するだけで機種変更を行うことが可能である。
【０４２１】
演出制御手段は演出制御用ＣＰＵを含み、ドライバ基板（例えばランプドライバ基板３５）には演出制御用ＣＰＵとバス接続される出力ポート（例えば出力ポート３５２）が搭載されている遊技機。そのような遊技機では、ドライバ基板の汎用性をより高めることができる。
【０４２２】
ドライバ基板に、演出手段としての音出力手段（例えばスピーカ２７）から出力される音を生成するためのデータを記憶した音データＲＯＭ（例えば音声データＲＯＭ７０４）と、演出制御手段から出力される音指定データ（例えば音番号データ）にもとづいて音データＲＯＭに記憶されているデータを選択し、選択したデータにもとづいて音出力手段を制御する音声合成用ＩＣとが搭載された遊技機。そのような遊技機では、演出制御基板に搭載された演出制御手段の負担を軽減することができる。
【０４２３】
所定の演出（例えば連続予告演出）の実行回数を決定するためのテーブル（例えば図３２および図３３に示す連続予告実行回数テーブル）と、所定の演出を実行する演出手段を決定するためのテーブル（例えば図３４に示す連続予告判定テーブルのうち予告乱数３に対応した部分）と、所定の演出の演出態様を決定するためのテーブル（例えば図３４に示す連続予告判定テーブルのうち予告乱数４に対応した部分）とが設けられた遊技機。そのような遊技機では、所定の演出の実行回数と、所定の演出を実行する演出手段と、所定の演出の演出態様とを、容易に、別個に決定することができる。
【０４２４】
演出決定手段が、判定結果コマンドにより所定の判定結果（例えば大当り）が特定される場合には、所定の判定結果にならないことが特定される場合に比べて、所定の演出（例えば連続予告演出）を実行可能な複数種類の演出手段のうち複数の演出手段を選択する割合を、１つの演出手段を選択する割合よりも高くする遊技機。そのような遊技機では、所定の演出を実行する演出手段の数が多くなると、遊技者に高い期待感を与えることができる。
【０４２５】
演出決定手段が、判定結果コマンドにより所定の判定結果が特定される場合には、所定の判定結果にならないことが特定される場合に比べて、所定の演出を実行可能な複数種類の演出手段のうちの特定の演出手段および所定の演出の複数の演出態様のうち特定の演出態様の組み合わせ（例えば図３４に示す「全て」と態様Ｄの組み合わせ）を選択する割合を、他の演出手段および他の演出態様を選択する割合よりも高くする遊技機。そのような遊技機では、特定の演出手段および特定の演出態様の組み合わせにより所定の演出が実行されると、遊技者に高い期待感を与えることができる。
【０４２６】
なお、上記の各実施の形態のパチンコ遊技機１は、始動入賞にもとづいて可変表示装置９に可変表示される特別図柄の停止図柄が所定の図柄の組み合わせになると所定の遊技価値が遊技者に付与可能になる第１種パチンコ遊技機であり、かつ、プリペイドカードによって球貸しを行うカードリーダ（ＣＲ：Card Reader ）式の第１種パチンコ遊技機であったが、プリペイドカードによって球貸しを行うＣＲ式パチンコ遊技機だけでなく、現金によって球貸しを行うパチンコ遊技機にも適用可能である。さらに、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。
【０４２７】
また、上述した実施の形態において、「特別遊技状態」とは、大当りとなりやすい遊技者にとって有利な状態を意味する。具体的には、「特別遊技状態」は、例えば、特別図柄が大当り図柄で揃う確率が高確率状態とされる確変状態、単位時間あたりの普通図柄の変動回数が高められる時短状態、可変入賞球装置１５の開成期間や開成回数が高められる開放延長状態などの大当りとなる確率が高められている高確率状態である。なお、時短状態は、可変入賞球装置１５の開放回数が高められていることから単位時間あたりの入賞回数が増加し、単位時間あたりの特別図柄の可変表示回数が高められるので、大当りとなる確率が高められている状態といえる。また、同様に、開放延長状態は、可変入賞球装置１５の開成期間や開成回数が高められていることから単位時間あたりの入賞回数が増加し、単位時間あたりの特別図柄の可変表示回数が高められるので、大当りとなる確率が高められている状態といえる。
【０４２８】
【発明の効果】
以上のように、請求項１記載の発明では、可変表示制御手段が、データ再生手段が行う動画再生による動画像を含む表示態様によって識別情報の可変表示を行う第１可変表示制御と、データ再生手段が行う動画再生による動画像を含まない表示態様によって識別情報の可変表示を行う第２可変表示制御とを実行する機能を有し、識別情報の可変表示の開始条件の成立にもとづく可変表示が開始される以前に、表示結果を特定表示結果とするか否かをあらかじめ決定する特定表示結果決定手段と、特定表示結果決定手段の決定結果にもとづいて、識別情報の可変表示を第１可変表示制御と第２可変表示制御との何れにより行うかを決定する表示制御決定手段とを含み、フェードイン切替表示手段が、データ再生手段による動画再生の再生開始時に使用されるフレームデータから透過度を段階的に高めていった複数のフェードイン画像を生成するフェードイン画像生成手段と、フェードイン画像生成手段により生成された各フェードイン画像を、透過度が最も高められているフェードイン画像から、透過度がより低いフェードイン画像に順次移行させ、最終的にフレームデータの画像を表示させることによってフェードイン処理を実行するフェードイン処理手段と、フェードイン処理手段によるフェードイン処理が完了したあと、フェードイン処理の完了時に表示されているフレームデータの画像からデータ再生手段に動画再生を開始させる動画再生開始手段とを含み、表示制御決定手段は、第２可変表示制御による可変表示が実行されたときと比較して、第１可変表示制御による可変表示が実行されたときの方が高確率で特定表示結果となるように、決定用データが第１可変表示制御と第２可変表示制御とに割り振られている決定用テーブルを用いて、第１可変表示制御と第２可変表示制御との何れを行うかを決定することを特徴とするので、圧縮データを含む動画像データにもとづく動画像による演出の出現頻度を低下させることができ、動画像データを用いた動画再生のための制御負担を軽減することができるとともに、動画像データのデータ量を増大させることなく、フェードイン表示を行うことができる。よって、動画像データの格納領域の必要容量を抑えることができる。さらに、圧縮データを含む動画像データにもとづく動画像による演出の実行に対する遊技者の期待感を向上させることができる。
【０４２９】
請求項２記載の発明では、フェードイン切替表示手段が、フェードイン処理にて、所定の中間画像を介して段階的に画像を出現させるように構成されているので、容易に視認される状態でフェードイン表示を実行することができる。
【０４３０】
また、請求項３記載の発明では、可変表示制御手段は、データ再生手段が行う動画再生による動画像を含む表示態様によって識別情報の可変表示を行う第１可変表示制御と、データ再生手段が行う動画再生による動画像を含まない表示態様によって識別情報の可変表示を行う第２可変表示制御とを実行する機能を有し、識別情報の可変表示の開始条件の成立にもとづく可変表示が開始される以前に、表示結果を特定表示結果とするか否かをあらかじめ決定する特定表示結果決定手段と、特定表示結果決定手段の決定結果にもとづいて、識別情報の可変表示を第１可変表示制御と第２可変表示制御との何れにより行うかを決定する表示制御決定手段とを含み、フェードアウト切替表示手段が、データ再生手段による動画再生を終了するときに、再生終了時に使用されるフレームデータの画像を表示する動画再生終了手段と、フレームデータから透過度を段階的に高めていった複数のフェードアウト画像を生成するフェードアウト画像生成手段と、フェードアウト画像生成手段により生成された各フェードアウト画像を、フレームデータの画像から、透過度がより高められているフェードアウト画像に順次移行させ、最終的に透過度が最も高められているフェードアウト画像を表示させることによってフェードアウト処理を実行するフェードアウト処理手段とを含み、表示制御決定手段が、第２可変表示制御による可変表示が実行されたときと比較して、第１可変表示制御による可変表示が実行されたときの方が高確率で特定表示結果となるように、決定用データが第１可変表示制御と第２可変表示制御とに割り振られている決定用テーブルを用いて、第１可変表示制御と第２可変表示制御との何れを行うかを決定することを特徴とするので、圧縮データを含む動画像データにもとづく動画像による演出の出現頻度を低下させることができ、動画像データを用いた動画再生のための制御負担を軽減することができるとともに、動画像データのデータ量を増大させることなく、フェードアウト表示を行うことができる。よって、動画像データの格納領域の必要容量を抑えることができる。さらに、圧縮データを含む動画像データにもとづく動画像による演出の実行に対する遊技者の期待感を向上させることができる。
【０４３１】
請求項４記載の発明では、フェードアウト切替表示手段が、フェードアウト処理にて、段階的に画像を消滅させて所定の中間画像を表示させるように構成されているので、容易に視認される状態でフェードアウト表示を実行することができる。
【０４３２】
請求項５記載の発明では、動画像データは、キーフレームデータと、前方向予測符号化フレームデータと、双方向予測符号化フレームデータとを含み、キーフレームデータは、動画像データにおいて、動画像中に現れる表示物体が遅く動作する動画像を再生するためのデータ部分よりも、当該表示物体が速く動作する動画像を再生するためのデータ部分に多く用いられる構成とされているので、再生される動画像の画像品質を向上させることができるとともに、動画像データのデータ量を削減することができる。
【０４３３】
請求項６記載の発明では、動画像データは、実写画像及びコンピュータグラフィクスの少なくともいずれか一方を含む多色画像を動画再生するためのデータであるとされているので、コンピュータグラフィクスによって構成される動画像データを使用することができ、必要とする動画像を含めた動画像データを容易に作成することができるようになる。
【０４３４】
請求項７記載の発明では、データ再生手段が行う動画再生による動画像には、識別情報の表示態様がリーチ態様となったことにもとづいて実行されるリーチ演出を示す動画像を含むので、圧縮データを含む動画像データにもとづく動画像によるリーチ演出の出現頻度を低下させることができ、動画像データを用いた動画再生のための制御負担を軽減することができる。
【０４３５】
請求項８記載の発明では、データ再生手段が行う動画再生による動画像には、識別情報の表示態様がリーチ態様となることを予告するためのリーチ態様予告演出を示す動画像を含むので、圧縮データを含む動画像データにもとづく動画像によるリーチ態様予告演出の出現頻度を低下させることができ、動画像データを用いた動画再生のための制御負担を軽減することができる。
【０４３６】
請求項９記載の発明では、データ再生手段が行う動画再生による動画像には、識別情報の表示結果が特定表示結果となることを予告するための特定表示結果予告演出を示す動画像を含むので、圧縮データを含む動画像データにもとづく動画像による特定表示結果予告演出の出現頻度を低下させることができ、動画像データを用いた動画再生のための制御負担を軽減することができる。
【図面の簡単な説明】
【図１】パチンコ遊技機を正面からみた正面図である。
【図２】ガラス扉枠を取り外した状態での遊技盤の前面を示す正面図である。
【図３】遊技制御基板（主基板）の回路構成例を示すブロック図である。
【図４】演出制御基板、ランプドライバ基板および音声出力基板の回路構成例を示すブロック図である。
【図５】演出制御基板の回路構成例を示すブロック図である。
【図６】人体センサの作用を説明するための説明図である。
【図７】主基板におけるＣＰＵが実行するメイン処理を示すフローチャートである。
【図８】２ｍｓタイマ割込処理を示すフローチャートである。
【図９】各乱数を示す説明図である。
【図１０】特別図柄プロセス処理を示すフローチャートである
【図１１】変動パターンの一例を示す説明図である。
【図１２】始動口スイッチ通過処理を示すフローチャートである。
【図１３】入賞時演出設定処理を示すフローチャートである。
【図１４】大当り判定テーブルおよびリーチ判定テーブルの一例を示す説明図である。
【図１５】大当り判定モジュールを示すフローチャートである。
【図１６】リーチ判定モジュールを示すフローチャートである。
【図１７】特別図柄通常処理を示すフローチャートである。
【図１８】特別図柄停止図柄設定処理を示すフローチャートである。
【図１９】リーチ演出判定テーブルの一例を示す説明図である。
【図２０】変動パターン設定処理を示すフローチャートである。
【図２１】記憶処理を示すフローチャートである。
【図２２】演出制御コマンドの信号線を示す説明図である。
【図２３】制御コマンドを構成する８ビットの制御信号とＩＮＴ信号との関係を示すタイミング図である。
【図２４】演出制御コマンドの内容の一例を示す説明図である。
【図２５】予告演出の例を示す説明図である。
【図２６】可変表示装置を用いた連続予告演出の例を示す説明図である。
【図２７】演出制御用ＣＰＵが実行するメイン処理を示すフローチャートである。
【図２８】コマンド受信バッファの構成を示す説明図である。
【図２９】コマンド解析処理を示すフローチャートである。
【図３０】コマンド解析処理を示すフローチャートである。
【図３１】予告乱数カウンタを示す説明図である。
【図３２】始動入賞記憶数と連続予告の実行回数の関係の一例を示す説明図である。
【図３３】始動入賞記憶数と連続予告の実行回数の関係の一例を示す説明図である。
【図３４】連続予告判定テーブルの構成例を示す説明図である。
【図３５】連続予告の判定処理を示すフローチャートである。
【図３６】演出制御プロセス処理を示すフローチャートである。
【図３７】プロセスデータの一構成例を示す説明図である。
【図３８】変動パターンコマンドコマンド受信待ち処理を示すフローチャートである。
【図３９】予告選択処理を示すフローチャートである。
【図４０】全図柄変動開始処理を示すフローチャートである。
【図４１】図柄変動中処理を示すフローチャートである。
【図４２】全図柄停止待ち処理を示すフローチャートである。
【図４３】動画像データのデータ構造の例を示す説明図である。
【図４４】動画像表示領域設定処理の例を示すフローチャートである。
【図４５】動画像表示領域解除処理の例を示すフローチャートである。
【図４６】復号化処理の例を示すフローチャートである。
【図４７】連続復号化処理の例を示すフローチャートである。
【図４８】動画再生処理の例を示すフローチャートである。
【図４９】フェードイン処理の例を示すフローチャートである。
【図５０】フェードイン処理に用いられる数式の例を示す説明図である。
【図５１】フェードイン処理により作成されるフェードイン画像の表示状態を示す説明図である。
【図５２】フェードアウト処理の例を示すフローチャートである。
【図５３】フェードアウト処理に用いられる数式の例を示す説明図である。
【図５４】フェードアウト処理により作成されるフェードイン画像の表示状態を示す説明図である。
【図５５】半透明化処理の例を示すフローチャートである。
【図５６】半透明化処理に用いられる数式の例を示す説明図である。
【図５７】合成対象画像と合成実行画像の例を示す説明図である。
【図５８】合成画像の表示状態を示す説明図である。
【図５９】静止表示対象画像の表示状態等を示す説明図である。
【図６０】動画像表示領域の設定位置の例を示す説明図である。
【図６１】動画像表示領域の表示状態の例を示す説明図である。
【図６２】表示態様切替画面の例を示す説明図である。
【図６３】表示態様が切り替えられた状態の例を示す説明図である。
【図６４】リーチ演出態様の例を示す説明図である。
【図６５】リーチＣによるリーチ演出が実行されたときの可変表示装置の表示状態の例を示す説明図である。
【図６６】リーチＣによるリーチ演出が実行されたときの可変表示装置の表示状態の例を示す説明図である。
【図６７】音番号データの一例を示す説明図である。
【図６８】連続予告に関わる遊技制御手段および演出制御手段の制御、演出制御コマンドの送信タイミングおよび演出手段の動作の関係の一例を示すタイミング図である。
【図６９】本発明の概要を示す概念図である。
【図７０】合成対象画像と合成実行画像の他の例を示す説明図である。
【図７１】合成画像の表示状態の他の例を示す説明図である。
【図７２】動画像表示領域の表示状態の他の例を示す説明図である。
【図７３】スロット機を正面から見た正面図である。
【図７４】スロット機に搭載されている主基板の回路構成の一例を示すブロック図である。
【符号の説明】
１      パチンコ遊技機
９      可変表示装置
３１    主基板
５６    ＣＰＵ
８０    表示制御部
８１    ＧＣＬ
１００  演出制御基板
１０１  演出制御用ＣＰＵ
【図１】
2004187887.tif 000003
【図２】
2004187887.tif 000004
【図３】
2004187887.tif 000005
【図４】
2004187887.tif 000006
【図５】
2004187887.tif 000007
【図６】
2004187887.tif 000008
【図７】
2004187887.tif 000009
【図８】
2004187887.tif 000010
【図９】
2004187887.tif 000011
【図１０】
2004187887.tif 000012
【図１１】
2004187887.tif 000013
【図１２】
2004187887.tif 000014
【図１３】
2004187887.tif 000015
【図１４】
2004187887.tif 000016
【図１５】
2004187887.tif 000017
【図１６】
2004187887.tif 000018
【図１７】
2004187887.tif 000019
【図１８】
2004187887.tif 000020
【図１９】
2004187887.tif 000021
【図２０】
2004187887.tif 000022
【図２１】
2004187887.tif 000023
【図２２】
2004187887.tif 000024
【図２３】
2004187887.tif 000025
【図２４】
2004187887.tif 000026
【図２５】
2004187887.tif 000027
【図２６】
2004187887.tif 000028
【図２７】
2004187887.tif 000029
【図２８】
2004187887.tif 000030
【図２９】
2004187887.tif 000031
【図３０】
2004187887.tif 000032
【図３１】
2004187887.tif 000033
【図３２】
2004187887.tif 000034
【図３３】
2004187887.tif 000035
【図３４】
2004187887.tif 000036
【図３５】
2004187887.tif 000037
【図３６】
2004187887.tif 000038
【図３７】
2004187887.tif 000039
【図３８】
2004187887.tif 000040
【図３９】
2004187887.tif 000041
【図４０】
2004187887.tif 000042
【図４１】
2004187887.tif 000043
【図４２】
2004187887.tif 000044
【図４３】
2004187887.tif 000045
【図４４】
2004187887.tif 000046
【図４５】
2004187887.tif 000047
【図４６】
2004187887.tif 000048
【図４７】
2004187887.tif 000049
【図４８】
2004187887.tif 000050
【図４９】
2004187887.tif 000051
【図５０】
2004187887.tif 000052
【図５１】
2004187887.tif 000053
【図５２】
2004187887.tif 000054
【図５３】
2004187887.tif 000055
【図５４】
2004187887.tif 000056
【図５５】
2004187887.tif 000057
【図５６】
2004187887.tif 000058
【図５７】
2004187887.tif 000059
【図５８】
2004187887.tif 000060
【図５９】
2004187887.tif 000061
【図６０】
2004187887.tif 000062
【図６１】
2004187887.tif 000063
【図６２】
2004187887.tif 000064
【図６３】
2004187887.tif 000065
【図６４】
2004187887.tif 000066
【図６５】
2004187887.tif 000067
【図６６】
2004187887.tif 000068
【図６７】
2004187887.tif 000069
【図６８】
2004187887.tif 000070
【図６９】
2004187887.tif 000071
【図７０】
2004187887.tif 000072
【図７１】
2004187887.tif 000073
【図７２】
2004187887.tif 000074
【図７３】
2004187887.tif 000075
【図７４】
2004187887.tif 000076